(57)【要約】  端末の送信制御部は、電磁波吸収率（ＳＡＲ）の合計値が規定値以下になるように選択された複数の通信方式からなる一つ以上のグループを生成し、前記一つ以上のグループを示すグループ情報を生成する。Ｎ個の送信部の各々は、グループ情報に基づいて、一つのグループに含まれる複数の通信方式にそれぞれ対応する通信局に、それぞれに対応する通信方式を用いて、送信データを送信する。
2016194310.tif 000002
【特許請求の範囲】
【請求項１】
通信方式が互いに異なる複数の通信局と無線通信を行うことができる端末装置であって、
電磁波吸収率（ＳＡＲ）の合計値が規定値以下になるように選択された複数の通信方式からなる一つ以上のグループを生成し、前記一つ以上のグループを示すグループ情報を生成するグループ生成部と、
前記グループ情報に基づいて、一つのグループに含まれる前記複数の通信方式にそれぞれ対応する通信局に、それぞれに対応する通信方式を用いて、送信データを送信する送信部と、
を具備する端末装置。
【請求項２】
受信データを受信する受信部をさらに具備し、
前記送信部は、前記グループ情報を、少なくとも一つの通信局を介して送信し、
前記受信部は、前記選択された前記複数の通信方式にそれぞれ対応する通信局を介して前記受信データを受信し、
前記受信データは、前記グループ情報に基づいて、一つのグループに含まれる前記複数の通信方式にそれぞれ対応する複数の通信局に振り分けられている、
請求項１に記載の端末装置。
【請求項３】
前記グループ生成部は、複数のグループを生成し、各グループは、前記ＳＡＲの合計値が前記規定値以下になるように選択された複数の通信方式の組合せからなる、
請求項２に記載の端末装置。
【請求項４】
前記複数のグループから一つのグループを選択するグループ選択部をさらに具備し、
前記送信部は、前記選択された一つのグループを示すグループ情報を送信する、
請求項３に記載の端末装置。
【請求項５】
前記送信部は、前記生成された複数のグループを示すグループ情報を送信し、
前記端末装置以外の機器が、前記複数のグループから一つのグループを選択し、
前記受信データは、前記選択された一つのグループに含まれる前記複数の通信方式にそれぞれ対応する複数の通信局に振り分けられている、
請求項３に記載の端末装置。
【請求項６】
前記複数のグループから選択される一つのグループは、時間軸方向で切り替えられる、
請求項４または５に記載の端末装置。
【請求項７】
前記複数のグループから選択される一つのグループは、前記端末装置の送信タイミングと受信タイミングの切替時に切り替えられる、
請求項４または５に記載の端末装置。
【請求項８】
ディスプレイを有し、ユーザーからの入力を受けつける表示部をさらに具備し、
前記グループ選択部における前記一つのグループの選択は、前記表示部への前記ユーザーの入力に基づいて行われる、
請求項４に記載の端末装置。
【請求項９】
前記表示部は、前記端末装置が対応する複数の通信方式の各々、及び、前記複数のグループの各々について、伝送速度を表示する、
請求項８に記載の端末装置。
【請求項１０】
前記グループ生成部は、
前記端末装置が対応する複数の通信方式の各々について、ＳＡＲの値を保持し、
前記ＳＡＲの値に対応する規定値を保持し、
一つのグループ内に含まれる少なくとも一つの通信方式のＳＡＲの値に、グループ外の別の通信方式のＳＡＲの値を足した合計値が前記規定値以下であれば、前記別の通信方式を前記一つのグループに加える、
請求項１から９のいずれか一項に記載の端末装置。
【請求項１１】
前記グループ生成部は、
前記端末装置が対応する複数の通信方式の各々について、第１のＳＡＲの値と第２のＳＡＲの値とを保持し、
前記第１のＳＡＲの値に対応する第１の規定値と前記第２のＳＡＲの値に対応する第２の規定値とを保持し、
前記一つのグループ内に含まれる少なくとも一つの通信方式の第１のＳＡＲの値に、グループ外の別の通信方式の第１のＳＡＲの値を足した合計値が前記第１の規定値以下であり、かつ、前記一つのグループ内に含まれる少なくとも一つの通信方式の第２のＳＡＲの値に、前記別の通信方式の第２のＳＡＲの値を足した合計値が前記第２の規定値以下である場合、前記別の通信方式を前記一つのグループに加える、
請求項１から９のいずれか一項に記載の端末装置。
【請求項１２】
通信方式が互いに異なる複数の通信局と無線通信を行うことができる端末装置における通信方法であって、
電磁波吸収率（ＳＡＲ）の合計値が規定値以下になるように選択された複数の通信方式からなる一つ以上のグループを生成し、前記一つ以上のグループを示すグループ情報を生成し、
前記グループ情報に基づいて、一つのグループに含まれる前記複数の通信方式にそれぞれ対応する通信局に、それぞれに対応する通信方式を用いて、送信データを送信する、
通信方法。
【請求項１３】
前記グループ情報を、少なくとも一つの通信局を介して送信し、
前記選択された前記複数の通信方式にそれぞれ対応する通信局を介して受信データを受信し、
前記受信データは、前記グループ情報に基づいて、一つのグループに含まれる前記複数の通信方式にそれぞれ対応する複数の通信局に振り分けられている、
請求項１２に記載の通信方法。
【請求項１４】
複数のグループを生成し、
各グループは、前記ＳＡＲの合計値が前記規定値以下になるように選択された複数の通信方式の組合せからなる、
請求項１３に記載の通信方法。
【請求項１５】
前記複数のグループから一つのグループを選択し、
前記選択された一つのグループを示すグループ情報を送信する、
請求項１４に記載の通信方法。
【請求項１６】
前記複数のグループを示すグループ情報を送信し、
前記受信データは、前記複数のグループから選択される一つのグループに含まれる前記複数の通信方式にそれぞれ対応する複数の通信局に振り分けられている、
請求項１４に記載の通信方法。
【請求項１７】
前記複数のグループから選択される一つのグループは、時間軸方向で切替えられる、
請求項１５または１６に記載の通信方法。
【請求項１８】
前記複数のグループから選択される一つのグループは、送信タイミングと受信タイミングの切替時に切り替えられる、
請求項１５または１６に記載の通信方法。
【請求項１９】
前記一つのグループの選択は、ユーザーの入力に基づいて行われる、
請求項１５に記載の通信方法。
【請求項２０】
前記端末装置が対応する複数の通信方式の各々、及び、前記複数のグループの各々について、伝送速度を表示する、
請求項１９に記載の通信方法。
【発明の詳細な説明】
【技術分野】
【０００１】
本開示は、複数の無線通信方式を用いて複数の変調信号を送信する際の電磁波吸収率の制御方法に関する。
【背景技術】
【０００２】
無線通信において、通信機器から送信される電磁波の人体に与える影響について指摘されており、人体に許容される電磁波の基準が定められている。例えば、単位質量の組織に単位時間に吸収されるエネルギー量である電磁波吸収率（ＳＡＲ：Specific Absorption Rate）が、指標として用いられている。ここでは、ＳＡＲの値が大きいほど、人体への影響が大きいため、ＳＡＲの値を規定値以下に抑えたいという要求がある。【０００３】
ところで、近年、小型端末（ウェアラブル端末）の実用化要求、および、２つ以上の無線通信方式を用いて複数の変調信号を同時に送信したいという要求がある。小型端末が２つ以上の無線通信方式を用いて複数の変調信号を同時に送信する場合に、ＳＡＲの合計値を規定値以下に抑えるための制御方法を実現する必要がある。【０００４】
例えば、特許文献１では、通信装置の近傍に人体が存在する場合に、通信装置が有する複数の無線通信インターフェースのそれぞれから出力される電波に起因するＳＡＲの合計値を低減して、合計値を所定値以下に抑制する方法について記載されている。
【先行技術文献】
【特許文献】
【０００５】
【特許文献１】特開２０１４−７８９０４号公報
【発明の概要】
【０００６】
しかしながら、特許文献１では、例えば、小型端末が、複数の無線通信方式を用いることができる場合に、ＳＡＲの合計値が規定値以下になるように、前記複数の無線通信方式のうち、同時動作可能な二つ以上の無線通信方式の組合せを選択する方法については、何ら検討されていない。
【０００７】
本開示の一態様は、複数の無線通信方式を用いて複数の変調信号を送信することができる無線通信機器において、対応可能な無線通信方式の数が増えても、ＳＡＲの合計値が規定値以下になるように、同時動作可能な二つ以上の無線通信方式の組合せを選択できる端末装置、および、通信方法を提供する。
【課題を解決するための手段】
【０００８】
本開示の一態様に係る端末装置は、通信方式が互いに異なる複数の通信局と無線通信を行うことができる端末装置であって、電磁波吸収率（ＳＡＲ）の合計値が規定値以下になるように選択された複数の通信方式からなる一つ以上のグループを生成し、前記一つ以上のグループを示すグループ情報を生成するグループ生成部と、前記グループ情報に基づいて、一つのグループに含まれる前記複数の通信方式にそれぞれ対応する通信局に、それぞれに対応する通信方式を用いて、送信データを送信する送信部と、を具備する。【０００９】
なお、これらの包括的または具体的な態様は、システム、方法、集積回路、コンピュータプログラム、または、記録媒体で実現されてもよく、システム、装置、方法、集積回路、コンピュータプログラムおよび記録媒体の任意な組み合わせで実現されてもよい。【００１０】
本開示の一態様によれば、通信機器が対応可能な無線通信方式の数が増えても、ＳＡＲの合計値が規定値以下になるように、同時動作可能な二つ以上の無線通信方式の組合せを選択できる。
【図面の簡単な説明】
【００１１】
【図１】実施の形態１における通信状態の一例を示す図
【図２】実施の形態１における通信状態の別の一例を示す図
【図３】実施の形態１に係る端末の構成の一例を示す図
【図４】無線通信方式とＳＡＲとの対応関係の第１の例を示す表を示す図
【図５】実施の形態１における無線通信方式のグループの設定方法を示すフローチャート
【図６】無線通信方式とＳＡＲとの対応関係の第２の例を示す表を示す図
【図７】無線通信方式とＳＡＲとの対応関係の第３の例を示す表を示す図
【図８】グループ情報を表示する画面の第１の例を示す図
【図９】グループ情報を表示する画面の第２の例を示す図
【図１０】通信方式と（予想）伝送速度の関係を表示する画面の一例を示す図
【図１１】実施の形態１におけるグループ化の設定の別の例を説明する図
【図１２】無線通信方式とＳＡＲとの対応関係の第４の例を示す表を示す図
【図１３】実施の形態２における無線通信方式のグループの設定方法を示すフローチャート
【図１４】無線通信方式とＳＡＲとの対応関係の第５の例を示す表を示す図
【図１５】無線通信方式とＳＡＲとの対応関係の第６の例を示す表を示す図
【図１６】無線通信方式とＳＡＲとの対応関係の第７の例を示す表を示す図
【図１７】無線通信方式とＳＡＲとの対応関係の第８の例を示す表を示す図
【図１８】無線通信方式とＳＡＲとの対応関係の第９の例を示す表を示す図
【図１９】無線通信方式とＳＡＲとの対応関係の第１０の例を示す表を示す図
【図２０】無線通信方式とＳＡＲとの対応関係の第１１の例を示す表を示す図
【図２１】無線通信方式とＳＡＲとの対応関係の第１２の例を示す表を示す図
【図２２】送信信号のフレーム構成の一例を示す図
【図２３】プロキシサーバーの構成の一例を示す図
【図２４】グループの切替タイミングの一例を示す図
【発明を実施するための形態】
【００１２】
以下、本開示の実施の形態について、図面を参照して詳細に説明する。なお、以下に説明する各実施形態は一例であり、本開示はこれらの実施形態により限定されるものではない。
【００１３】
（実施の形態１）
図１は、本実施の形態における通信状態の一例を示す図である。端末１０８は、複数の無線通信方式の送信・受信に対応することができる端末であるものとする。このとき、端末１０８が対応することのできる無線通信方式の個数をＮ（Ｎは２以上の整数、または、Ｎは３以上の整数）個とする。Ｎ個の互いに異なる無線通信方式のそれぞれに対し、「第１の無線通信方式」、「第２の無線通信方式」「第３の無線通信方式」、・・・、「第Ｎの無線通信方式」と名付ける。すなわち、「第ｉの無線通信方式」が存在することになる（ｉは１以上Ｎ以下の整数とする）。
【００１４】
図１に示すように、端末１０８は、「第１の無線通信方式」を用いて、第１の通信局１０６−１と通信を行うものとする。なお、図１の１０７−１＿１は、端末１０８が変調信号を送信し、第１の通信局１０６−１がその変調信号を受信することを意味している。そして、１０７−１＿２は、第１の通信局１０６−１が変調信号を送信し、端末１０８がその変調信号を受信することを意味している。
【００１５】
そして、端末１０８は、「第２の無線通信方式」を用いて、第２の通信局１０６−２と通信を行うものとする。なお、図１の１０７−２＿１は、端末１０８が変調信号を送信し、第２の通信局１０６−２がその変調信号を受信することを意味している。そして、１０７−２＿２は、第２の通信局１０６−２が変調信号を送信し、端末１０８がその変調信号を受信することを意味している。
【００１６】
また、端末１０８は、「第Ｎの無線通信方式」を用いて、第Ｎの通信局１０６−Ｎと通信を行うものとする。なお、図１の１０７−Ｎ＿１は、端末１０８が変調信号を送信し、第Ｎの通信局１０６−Ｎがその変調信号を受信することを意味している。そして、１０７−Ｎ＿２は、第Ｎの通信局１０６−Ｎが変調信号を送信し、端末１０８がその変調信号を受信することを意味している。
【００１７】
上述したように、端末１０８は、「第ｉの無線通信方式」を用いて、第ｉの通信局と通信を行うものとする（ただし、ｉは１以上Ｎ以下の整数とする）。
【００１８】
第１の通信局１０６−１は、プロキシサーバー１０４と通信を行う。したがって、第１の通信局１０６−１は、プロキシサーバー１０４へデータを送信することもあれば（１０５−１＿１）、プロキシサーバー１０４からデータを受信することもある（１０５−１＿２）。
【００１９】
同様に、第２の通信局１０６−２は、プロキシサーバー１０４と通信を行う。したがって、第２の通信局１０６−２は、プロキシサーバー１０４へデータを送信することもあれば（１０５−２＿１）、プロキシサーバー１０４からデータを受信することもある（１０５−２＿２）。
【００２０】
そして、第Ｎの通信局１０６−Ｎは、プロキシサーバー１０４と通信を行う。したがって、第Ｎの通信局１０６−Ｎは、プロキシサーバー１０４へデータを送信することもあれば（１０５−Ｎ＿１）、プロキシサーバー１０４からデータを受信することもある（１０５−Ｎ＿２）。
【００２１】
上述したように、第ｉの通信局は、プロキシサーバー１０４と通信を行い、第ｉの通信局は、プロキシサーバー１０４へデータを送信したり、プロキシサーバー１０４からデータを受信したりすることがある（ただし、ｉは１以上Ｎ以下の整数とする）。
【００２２】
プロキシサーバー１０４は、前にも述べたように、第ｉの通信局（ｉは１以上Ｎ以下の整数）と通信を行うとともに、サーバー１０２とも通信を行う。したがって、プロキシサーバー１０４は、サーバー１０２へデータを送信することもあれば（１０３＿１）、サーバー１０からデータを受信することもある（１０３＿２）。
【００２３】
サーバー１０２は、前にも述べたように、プロキシサーバー１０４と通信を行うとともに、ネットワークに対し、データを送信することもあり（１０１＿１）、ネットワークからデータを受信することもある（１０１＿２）。
【００２４】
［ネットワークからデータを取得する第１の方法］
次に、図１を用いて、具体的な通信の例として、端末１０８がネットワークからデータを取得する第１の方法を説明する。端末１０８が、ネットワーク上にあるコンテンツ（またはアプリケーション）＃Ａを入手する場合について説明する。端末１０８は、プロキシサーバー１０４およびサーバー１０２を経由して、ネットワークからコンテンツ（またはアプリケーション）＃Ａを入手する。このとき、図１の例では、端末１０８が、第１の通信局１０６−１、第２の通信局１０６−２、・・・、第Ｎの通信局１０６−ＮのＮ個の通信局のうち、複数の通信局の組合せから、コンテンツ（またはアプリケーション）＃Ａのデータを入手することになる。このとき、この複数の通信局の組合せを選択する権限は、以下にそれぞれ説明するように、端末１０８が保有していてもよいし、プロキシサーバー１０４が保有していてもよい。
【００２５】
＜プロキシサーバー１０４が選択権限を保有している場合＞
通信局の組合せの選択権限を、プロキシサーバー１０４が保有している場合について説明する。この場合、プロキシサーバー１０４は、コンテンツ（またはアプリケーション）＃Ａのデータを伝送するための複数の通信局を選択する。そして、プロキシサーバー１０４は、コンテンツ（またはアプリケーション）＃Ａのデータを、選択した複数の通信局に対して振り分けを行うことになる。
【００２６】
例えば、プロキシサーバー１０４がコンテンツ（またはアプリケーション）＃Ａのデータを伝送するために第１の通信局１０６−１と第２の通信局１０６−２を選択した場合、プロキシサーバー１０４は、サーバー１０２を経由して取得したコンテンツ（またはアプリケーション）＃Ａのデータを、１０５−１＿２、１０５−２＿２に振り分けることになる。
【００２７】
なお、ここでは、プロキシサーバー１０４が選択権限を有し、データを複数の通信局に振り分けるとして説明したが、プロキシサーバー１０４に接続するコンピュータのような電子機器が選択権限を有し、データを複数の通信局に振り分けてもよい。また、プロキシサーバー１０４が、サーバー１０２であってもよく、そして、プロキシ―サーバー、サーバーを別の呼び方をしてもよい（呼び方は、サーバー、プロキシサーバーに限ったものではない）。
【００２８】
＜端末１０８が選択権限を保有している場合＞
通信局の組合せの選択権限を、端末１０８が保有している場合について説明する。この場合、端末１０８は、コンテンツ（またはアプリケーション）＃Ａのデータを得るための複数の通信局を選択する。そして、端末１０８は、いずれかの通信局を通して、プロキシサーバー１０４に対し、コンテンツ（またはアプリケーション）＃Ａのデータを得るために選択した通信局の組合せを示す情報（グループ情報）をプロキシサーバー１０４に伝送する。そして、プロキシサーバー１０４は、グループ情報にもとづき、選択された組合せに含まれる複数の通信局に対し、コンテンツ（またはアプリケーション）＃Ａのデータを振り分ける。
【００２９】
例えば、第１の通信局１０６−１と第２の通信局１０６−２が、選択された組み合わせのうちの１つの組み合わせとして含まれている場合、プロキシサーバー１０４は、サーバー１０２を経由して取得したコンテンツ（またはアプリケーション）＃Ａのデータを、１０５−１＿２、１０５−２＿２に振り分けることになる。
【００３０】
なお、ここでは、プロキシサーバー１０４が、グループ情報を受信し、グループ情報に基づいてデータを複数の通信局に振り分けるとして説明したが、プロキシサーバー１０４に接続するコンピュータのような電子機器が、グループ情報を受信し、データを複数の通信局に振り分けてもよい。また、プロキシサーバー１０４が、サーバー１０２であってもよく、そして、プロキシ―サーバー、サーバーを別の呼び方をしてもよい（呼び方は、サーバー、プロキシサーバーに限ったものではない）。
【００３１】
以上のように、端末１０８は、複数の通信局の組合せから、データを得ることになるが、このとき、電波の伝搬環境によってデータのパケットロスが発生することがある。
【００３２】
このとき、例えば、第１の通信局１０６−１が送信したデータを端末１０８が受信する際に、パケットロスが発生した場合、端末１０８は、第１の通信局１０６−１に対し、データの再送要求を行うための変調信号を送信する。また、再送要求を行うための変調信号に限らず、端末１０８は、第１の通信局１０６−１に対し、データ・制御情報を伝送するための変調信号を送信することもある。同様のことが、端末１０８と各通信局との通信で発生する可能性がある。
【００３３】
このように、端末１０８は、複数の通信局の各々に対し、それぞれに対応する通信方式を用いて、変調信号を送信することが起こる可能性がある。
【００３４】
この場合、端末１０８が、複数の通信局に対し、互いに異なる複数の通信方式を用いて、同時に複数の変調信号を送信するため、端末１０８から送信される電磁波は変調信号の数に応じて強くなる。そのため、端末１０８から送信される電磁波のＳＡＲも変調信号の数に応じて増加する傾向があり、複数の変調信号を同時送信するときのＳＡＲは、単一の変調信号を送信する場合に比べて大きくなる傾向がある。このような状況において、「ＳＡＲを定められた規定値以下に抑える」ことが難しい場合がある。本開示は、このような状況においても、「ＳＡＲを定められた規定値以下に抑える」ことを実現するための発明である。
【００３５】
ところで、図１の通信状態とは異なる通信状態について説明する。図２は、実施の形態１における通信状態の別の一例を示す図であり、図１と同じ部分については、図１と同様の番号を付しており、図１で説明した部分については、説明を省略する。
【００３６】
第１の通信局１０６−１は、プロキシサーバー１０４−１と通信を行う。したがって、第１の通信局１０６−１は、データを送信することもあり（１０５−１）、データを受信することもある（１０５−２）。
【００３７】
同様に、第２の通信局１０６−２は、プロキシサーバー１０４−２と通信を行う。したがって、第２の通信局１０６−２は、データを送信することもあり（１０６−１）、データを受信することもある（１０６−２）。そして、第Ｎの通信局１０６−Ｎは、プロキシサーバー１０４−Ｎと通信を行う。したがって、第Ｎの通信局１０６−Ｎは、データを送信することもあり（１０７−１）、データを受信することもある（１０７−２）。
【００３８】
したがって、第ｉの通信局は、プロキシサーバー１０４―ｉと通信を行い、第ｉの通信局は、データを送信、受信することがある（ただし、ｉは１以上Ｎ以下の整数とする）。
【００３９】
各プロキシサーバーは、前にも述べたように、各通信局と通信を行うとともに、サーバーとも通信を行う。
【００４０】
プロキシサーバー１０４−１は、サーバー１０２−１と通信を行う。したがって、プロキシサーバー１０４−１は、データを送信することもあり（１０３−１＿１）、データを受信することもある（１０３−１＿２）。同様に、プロキシサーバー１０４−２は、サーバー１０２−２と通信を行う。したがって、プロキシサーバー１０４−２は、データを送信することもあり（１０３−２＿１）、データを受信することもある（１０３−２＿２）。そして、プロキシサーバー１０４−Ｎは、サーバー１０２−Ｎと通信を行う。したがって、プロキシサーバー１０４−Ｎは、データを送信することもあり（１０３−Ｎ＿１）、データを受信することもある（１０３−Ｎ＿２）。
【００４１】
したがって、プロキシサーバー１０４−ｉは、サーバー１０２−ｉと通信を行う。したがって、プロキシサーバー１０４−ｉは、データを送信することもあり（１０３−ｉ＿１）、データを受信することもある（１０３−ｉ＿２）。
【００４２】
各サーバーは、前にも述べたように、各プロキシサーバーと通信を行うとともに、ネットワークとも通信を行う。
【００４３】
サーバー１０２−１は、ネットワークに対し、データを送信することもあり（１０１−１＿１）、データを受信することもある（１０１−１＿２）。同様に、サーバー１０２−２は、ネットワークに対し、データを送信することもあり（１０１−２＿１）、データを受信することもある（１０１−２＿２）。そして、サーバー１０２−Ｎは、ネットワークに対し、データを送信することもあり（１０１−Ｎ＿１）、データを受信することもある（１０１−Ｎ＿２）。
【００４４】
したがって、サーバー１０２−ｉは、ネットワークに対し、データを送信することもあり（１０１−ｉ＿１）、データを受信することもある（１０１−ｉ＿２）。
【００４５】
［ネットワークからデータを取得する第２の方法］
次に、図２を用いて、具体的な通信の例として、端末１０８がネットワークからデータを取得する第２の方法を説明する。端末１０８が、ネットワーク上にある複数のコンテンツ（またはアプリケーション）を入手する場合について説明する。例えば、端末１０８が、コンテンツ（またはアプリケーション）＃Ａ及び別のコンテンツ（アプリケーション）＃Ｂを入手するものとする。このとき、第２の方法では、端末１０８は、コンテンツ（またはアプリケーション）＃Ａのデータとコンテンツ（アプリケーション）＃Ｂのデータとを異なる通信局から入手するものとする。
【００４６】
例えば、図２において、端末１０８は、コンテンツ（またはアプリケーション）＃Ａのデータを第１の通信局１０６−１から入手し、コンテンツ（アプリケーション）＃Ｂのデータを第２の通信局１０６−２から入手するものとする。
【００４７】
このとき、第１の通信局１０６−１は、コンテンツ（またはアプリケーション）＃Ａのデータをプロキシサーバー１０４−１、サーバー１０２−１を介して、入手する。同様に、第２の通信局１０６−２は、コンテンツ（またはアプリケーション）＃Ｂのデータをプロキシサーバー１０４−２、サーバー１０２−２を介して、入手することになる。
【００４８】
以上のように、端末１０８は、複数の通信局を介して、複数のコンテンツ（またはアプリケーション）のデータを得ることになるが、このとき、伝播環境によっては、データのパケットロスが発生することがある。
【００４９】
このとき、例えば、第１の通信局１０６−１が送信したデータを端末１０８が受信する際に、パケットロスが発生した場合、端末１０８は、第１の通信局１０６−１に対し、データの再送要求を行うための変調信号を送信する。また、再送要求を行うための変調信号に限らず、端末１０８は、第１の通信局１０６−１に対し、データ・制御情報を伝送するために、変調信号を送信することがある。同様のことが、端末１０８と各通信局との通信で発生する可能性がある。
【００５０】
このように、端末１０８は、複数の通信局の各々に対し、それぞれに対応する通信方式を用いて、変調信号を送信することが起こる可能性がある。
【００５１】
この場合、端末１０８が、複数の通信局に対し、互いに異なる複数の通信方式を用いて、同時に複数の変調信号を送信するため、端末１０８から送信される電磁波は変調信号の数に応じて強くなる。そのため、端末１０８から送信される電磁波のＳＡＲも変調信号の数に応じて増加する傾向があり、複数の変調信号を同時送信するときのＳＡＲは、単一の変調信号を送信する場合に比べて大きくなる傾向がある。このような状況において、「ＳＡＲを定められた規定値以下に抑える」ことが難しい場合がある。本開示は、このような状況においても、「ＳＡＲを定められた規定値以下に抑える」ことを実現するための発明である。
【００５２】
［ネットワークからデータを取得する第３の方法］
ここで、図１を用いて、前述の第１の方法及び第２の方法を組み合わせた第３の方法を説明する。端末１０８が、ネットワーク上にある複数のコンテンツ（またはアプリケーション）を入手する場合について説明する。例えば、端末１０８が、コンテンツ（またはアプリケーション）＃Ａとコンテンツ（またはアプリケーション）＃Ｂとを入手するものとする。このとき、第３の方法では、端末１０８は、コンテンツ（またはアプリケーション）＃Ａを一つ以上の通信局から入手し、コンテンツ（またはアプリケーション）＃Ｂを一つ以上の通信局から入手することになる。つまり、端末１０８は、２つのコンテンツを、複数の通信局の組み合わせから入手することになる。
【００５３】
このとき、この複数の通信局の組合せを選択する権限、および／または、各コンテンツをどの通信局から端末が得るかについての割り当ての権限は、以下に説明するように、端末１０８が保有していてもよいし、プロキシサーバー１０４が保有していてもよい。
【００５４】
＜プロキシサーバーが選択権限を保有している場合＞
プロキシサーバー１０４が、コンテンツ（またはアプリケーション）＃Ａのデータを送信する通信局の選択権限、および／または、コンテンツ（またはアプリケーション）＃Ｂにデータを送信する通信局の選択権限を、保有している場合について説明する。この場合、プロキシサーバー１０４は、コンテンツ（またはアプリケーション）＃Ａのデータおよびコンテンツ（またはアプリケーション）＃Ｂのデータを伝送するための複数の通信局を、それぞれ、一つ以上選択する。そして、プロキシサーバー１０４は、コンテンツ（またはアプリケーション）＃Ａのデータを、選択した一つ以上の通信局に振り分け、および／または、コンテンツ（またはアプリケーション）＃Ｂのデータを、選択した一つ以上の通信局に振り分け、を行うことになる。
【００５５】
例えば、プロキシサーバー１０４がコンテンツ（またはアプリケーション）＃Ａのデータを伝送するために第１の通信局１０６−１と第２の通信局１０６−２を選択し、コンテンツ（またはアプリケーション）＃Ａのデータを伝送するために第Ｎの通信局を選択したものとする。この場合、プロキシサーバー１０４は、サーバー１０２を経由して得たコンテンツ（またはアプリケーション）＃Ａのデータを、１０５−１＿２、１０５−２＿２に振り分けることになる。そして、プロキシサーバー１０４は、サーバー１０２を経由して得たコンテンツ（またはアプリケーション）＃Ｂのデータを１０５−Ｎ＿２に振り分けることになる。
【００５６】
なお、ここでは、プロキシサーバー１０４が選択権限を有し、データを複数の通信局に振り分けるとして説明したが、プロキシサーバー１０４に接続するコンピュータのような電子機器が選択権限を有し、データを複数の通信局に振り分けてもよい。また、プロキシサーバー１０４が、サーバー１０２であってもよく、そして、プロキシ―サーバー、サーバーを別の呼び方をしてもよい（呼び方は、サーバー、プロキシサーバーに限ったものではない）。
【００５７】
＜端末が選択権限を保有している場合＞
端末１０８が、コンテンツ（またはアプリケーション）＃Ａのデータを送信する通信局の組合せの選択権限、および／または、コンテンツ（またはアプリケーション）＃Ｂにデータ送信する通信局の組合せの選択権限を有している場合について説明する。この場合、端末１０８は、コンテンツ（またはアプリケーション）＃Ａのデータを得るための複数の通信局、および、コンテンツ（またはアプリケーション）＃Ｂのデータを得るための複数の通信局を選択する。そして、端末１０８は、いずれかの通信局を通して、プロキシサーバー１０４に対し、コンテンツ（またはアプリケーション）＃Ａのデータを得るために選択した通信局の組合せを示す情報（グループ情報Ａ）、および／または、コンテンツ（またはアプリケーション）＃Ｂを得るために選択した通信局の組合せを示す情報（グループ情報Ｂ）をプロキシサーバー１０４に伝送する。そして、プロキシサーバー１０４は、グループ情報Ａにもとづき、選択された組み合わせに含まれる複数の通信局に対し、コンテンツ（またはアプリケーション）＃Ａのデータを振り分ける。また、プロキシサーバー１０４は、グループ情報Ｂにもとづき、選択された組み合わせに含まれる複数の通信局に、コンテンツ（またはアプリケーション）＃Ｂのデータを振り分ける。
【００５８】
例えば、コンテンツ（またはアプリケーション）＃Ａのデータを得るために選択された通信局の組合せが、第１の通信局１０６−１と第２の通信局１０６−２である場合、プロキシサーバー１０４は、サーバー１０２を経由して得たコンテンツ（またはアプリケーション）＃Ａのデータを、１０５−１＿２、１０５−２＿２に振り分ける。また、コンテンツ＃Ｂのデータを得るために選択された通信局の組合せが、第Ｎの通信局１０６−Ｎである場合、プロキシサーバー１０４は、サーバー１０２を経由して得たコンテンツ（またはアプリケーション）＃Ｂのデータを。１０５−Ｎ＿２に振り分ける。
【００５９】
なお、ここでは、プロキシサーバー１０４が、グループ情報を受信し、グループ情報にもとづいてデータを複数の通信局に振り分けるとして説明したが、プロキシサーバー１０４に接続するコンピュータのような電子機器が、グループ情報を受信し、データを複数の通信局に振り分けてもよい。また、プロキシサーバー１０４が、サーバー１０２であってもよく、そして、プロキシ―サーバー、サーバーを別の呼び方をしてもよい（呼び方は、サーバー、プロキシサーバーに限ったものではない。
【００６０】
以上のように、端末１０８は、複数の通信局から、データを得ることになるが、このとき、電波の伝搬環境によってデータのパケットロスが発生することがある。
【００６１】
このとき、例えば、第１の通信局１０６−１が送信したデータを端末１０８が受信する際に、パケットロスが発生した場合、端末１０８は、第１の通信局１０６−１に対し、データの再送要求を行うための変調信号を送信する。また、再送要求を行うための変調信号に限らず、端末１０８は第１の通信局１０６−１に対し、データ・制御情報を伝送するために、変調信号を送信することがある。同様のことが、端末１０８と各通信局との通信で発生する可能性がある。
【００６２】
このように、端末１０８は、複数の通信局の各々に対し、それぞれに対応する通信方式を用いて、変調信号を送信することが起こる可能性がある。
【００６３】
この場合、端末１０８が、複数の通信局に対し、互いに異なる複数の通信方式を用いて、同時に複数の変調信号を送信するため、端末１０８から送信される電磁波は変調信号の数に応じて強くなる。そのため、端末１０８から送信される電磁波のＳＡＲも変調信号の数に応じて増加する傾向があり、複数の変調信号を同時送信するときのＳＡＲは、単一の変調信号を送信する場合に比べて大きくなる傾向がある。このような状況において、「ＳＡＲを定められた規定値以下に抑える」ことが難しいことがある。本開示は、このような状況においても、「ＳＡＲを定められた規定値以下に抑える」ことを実現するための発明である。
【００６４】
本開示における端末は、例えば、以上で説明したような３つの方法のいずれかで、データの送信、受信を行うことになるものとする。ただし、端末は、状況に応じて（通信状況、データのサイズ、ネットワークの負荷、端末の負荷などを考慮して）、上述で説明した３つの方法を含む複数の方法のいずれかの方法で、データの送信、受信の方法を切り替えてもよい。
【００６５】
以降では、上述で述べた通信形態を含む通信形態において、端末が、複数の通信方式を用いて、複数の変調信号を送信する場合のＳＡＲ低減の方法について説明する。
【００６６】
図３は、本実施の形態に係る端末１０８の構成の一例を示す図である。
【００６７】
送信制御部３０５は、送信制御情報３０４を入力とし、送信制御情報３０４に基づいた送信制御信号３０６を出力する。送信制御情報３０４は、例えば、各送信部から送信されるデータへの誤り訂正符号化、変調（マッピング）、周波数変換、増幅等の各無線通信方式の送信用の処理のための情報を含む。また、送信制御情報３０４には、端末のユーザーが図示しない表示部を操作した情報が含まれる。なお、詳細の動作については、後で説明する。
【００６８】
受信制御部３１７は、受信制御情報３１６を入力とし、受信制御情報３１６に基づいた受信制御信号３１８を出力する。受信制御情報３１６は、例えば、各受信部にて受信される信号への周波数変換、復調、誤り訂正復号化等の各無線通信方式の受信用の処理のための情報を含む。
【００６９】
送信データ解析部３０２は、送信情報３０１、および、送信制御信号３０６を入力とし、送信制御信号３０６に基づいて、送信情報３０１を制御し、第１の送信データ３０３＿１、第２の送信データ３０３＿２、・・・、第Ｎの送信データ３０３＿Ｎを出力する。つまり、送信データ解析部３０２は、第ｉの送信データ３０３＿ｉ（ｉは１以上Ｎ以下の整数（Ｎは２以上、または、３以上の整数））を出力する。
【００７０】
第１の送信部３０７＿１は、第１の送信データ３０３＿１、および、送信制御信号３０６を入力とし、送信制御信号３０６に基づき、第１の送信データ３０３＿１に、誤り訂正符号化、変調（マッピング）、周波数変換、増幅等の処理を施し（「第１の無線通信方式」の送信用の処理を施し）、第１の送信信号３０８＿１を出力する。第１の送信信号３０８＿１は、第１の送信アンテナ３０９＿１から電波として出力される。
【００７１】
第２の送信部３０７＿２は、第２の送信データ３０３＿２、および、送信制御信号３０６を入力とし、送信制御信号３０６に基づき、第２の送信データ３０３＿２に、誤り訂正符号化、変調（マッピング）、周波数変換、増幅等の処理を施し（「第２の無線通信方式」の送信用の処理を施し）、第２の送信信号３０８＿２を出力する。第２の送信信号３０８＿２は、第２の送信アンテナ３０９＿２から電波として出力される。
【００７２】
第Ｎの送信部３０７＿Ｎは、第Ｎの送信データ３０３＿Ｎ、および、送信制御信号３０６を入力とし、送信制御信号３０６に基づき、第Ｎの送信データ３０３＿Ｎに、誤り訂正符号化、変調（マッピング）、周波数変換、増幅等の処理を施し（「第Ｎの無線通信方式」の送信用の処理を施し）、第Ｎの送信信号３０８＿Ｎを出力する。第Ｎの送信信号３０８＿Ｎは、第Ｎの送信アンテナ３０９＿Ｎから電波として出力される。
【００７３】
同様に、第ｉの送信部３０７＿ｉは、第ｉの送信データ３０３＿ｉ、および、送信制御信号３０６を入力とし、送信制御信号３０６に基づき、第ｉの送信データ３０３＿ｉに、誤り訂正符号化、変調（マッピング）、周波数変換、増幅等の処理を施し（「第ｉの無線通信方式」の送信用の処理を施し）、第ｉの送信信号３０８＿ｉを出力する。第ｉの送信信号３０８＿ｉは、第ｉの送信アンテナ３０９＿Ｎから電波として出力される（ｉは、１以上Ｎ以下の整数）。
【００７４】
第１の受信部３１２＿１は、第１の受信アンテナ３１０＿１で受信した第１の受信信号３１１＿１、および、受信制御信号３１８を入力とし、受信制御信号３１８に基づいて、第１の受信信号３１１＿１の受信処理（周波数変換、復調、誤り訂正復号など）を行い（「第１の無線通信方式」の受信用の処理を施し）、第１の受信データ３１３＿１を出力する。
【００７５】
第２の受信部３１２＿２は、第２の受信アンテナ３１０＿２で受信した第２の受信信号３１１＿２、受信制御信号３１８を入力とし、受信制御信号３１８に基づいて、第２の受信信号３１１＿２の受信処理（周波数変換、復調、誤り訂正復号など）を行い（「第２の無線通信方式」の受信用の処理を施し）、第２の受信データ３１３＿２を出力する。
【００７６】
第Ｎの受信部３１２＿Ｎは、第Ｎの受信アンテナ３１０＿Ｎで受信した第Ｎの受信信号３１１＿Ｎ及び受信制御信号３１８を入力とし、受信制御信号３１８に基づいて、第Ｎの受信信号３１１＿Ｎの受信処理（周波数変換、復調、誤り訂正復号など）を行い（「第Ｎの無線通信方式」の受信用の処理を施し）、第Ｎの受信データ３１３＿Ｎを出力する。
【００７７】
同様に、第ｉの受信部３１２＿ｉは、第ｉの受信アンテナ３１０＿ｉで受信した第ｉの受信信号３１１＿ｉ、及び受信制御信号３１８を入力とし、受信制御信号３１８に基づいて、第ｉの受信信号３１１＿ｉの受信処理（周波数変換、復調、誤り訂正復号など）を行い（「第ｉの無線通信方式」の受信用の処理を施し）、第ｉの受信データ３１３＿ｉを出力する（ｉは、１以上Ｎ以下の整数）。
【００７８】
受信データ解析部３１４は、第１の受信データ３１３＿１、第２の受信データ３１３＿２、・・・、第Ｎの受信データ３１３＿Ｎ（つまり、第ｉの受信データ３１３＿ｉ（ｉは１以上Ｎ以下の整数（Ｎは２以上、または、３以上の整数）））、および、受信制御信号３１８を入力とし、受信制御信号３１８に基づき、受信データ３１５を出力する。
【００７９】
図３の構成により、図１、図２を用いて説明した、通信、特に、複数の変調信号の同時受信、および、複数の変調信号の同時送信が行われることになる。
【００８０】
なお、図３では、各送信部、各受信部にそれぞれアンテナが接続されているが、本開示はこれに限定されない。例えば、各通信方式で送信用のアンテナと受信用のアンテナが共用されてもよい。あるいは、複数の送信部、複数の受信部で、アンテナが共用されてもよい。また、各送信部、各受信部に、複数のアンテナが接続されていてもよい。
【００８１】
また、本開示において、各送信部から送信される信号、各受信部から受信される信号が複数であってもよい。例えば、各送信部は、対応する無線通信方式において、周波数、周波数帯域、送信アンテナ数等が互いに異なる複数の変調信号を送信するような構成であってもよい。この場合、各送信部に入力される送信信号は、複数であってもよい。また、各受信部は、対応する無線通信方式において、周波数、周波数帯域、送信アンテナ数等が互いに異なる複数の変調信号を受信するような構成であってもよい。この場合、各受信部から出力される受信信号は、複数あってもよい。
【００８２】
次に、端末が、複数の通信局に同時に変調信号を送信する場合に、「ＳＡＲの合計値を定められた規定値以下に抑える」ことを実現するための動作について詳しく説明する。
【００８３】
図４は、無線通信方式とＳＡＲとの対応関係の第１の例を示す表であり、例えば、図３の送信制御部３０５が、図５の制御（図５については後で説明する。）を行うのに必要な情報に関する表を示している。
【００８４】
図４の例では、選択番号＃１は、「第１の無線通信方式」であり、通信方式の名称が「無線ＬＡＮ」、使用する周波数が２．４ＧＨｚであり、選択番号＃１の方法で端末が変調信号を送信した場合、ＳＡＲがａ１１であるということを意味している。
【００８５】
選択番号＃２は、「第１の無線通信方式」であり、通信方式の名称が「無線ＬＡＮ」、使用する周波数が５ＧＨｚであり、選択番号＃２の方法で端末が変調信号を送信した場合、ＳＡＲがａ１２であるということを意味している。
【００８６】
選択番号＃３は、「第２の無線通信方式」であり、通信方式の名称が「Ｂｌｕｅｔｏｏｔｈ（登録商標）」、使用する周波数が２．４ＧＨｚであり、選択番号＃３の方法で端末が変調信号を送信した場合、ＳＡＲがａ２１であるということを意味している。
【００８７】
選択番号＃４は、「第３の無線通信方式」であり、通信方式の名称が「第三世代携帯電話」、使用する周波数が８００ＭＨｚであり、選択番号＃４の方法で端末が変調信号を送信した場合、ＳＡＲがａ３１であることを意味している。
【００８８】
選択番号＃５は、「第３の無線通信方式」であり、通信方式の名称が「第三世代携帯電話」、使用する周波数が２ＧＨｚであり、選択番号＃５の方法で端末が変調信号を送信した場合、ＳＡＲがａ３２であることを意味している。
【００８９】
選択番号＃６は、「第４の無線通信方式」であり、通信方式の名称が「第四世代携帯電話」、使用する周波数が８００ＭＨｚであり、選択番号＃６の方法で端末が変調信号を送信した場合、ＳＡＲがａ４１であることを意味している。
【００９０】
選択番号＃７は、「第４の無線通信方式」であり、通信方式の名称が「第四世代携帯電話」、使用する周波数が２ＧＨｚであり、選択番号＃７の方法で端末が変調信号を送信した場合、ＳＡＲがａ４２であることを意味している。
【００９１】
図５は、本実施の形態における無線通信方式のグループの設定方法を示すフローチャートであり、図３の送信制御部３０５が行う動作の一例を示している。
【００９２】
本実施の形態では、端末が対応している複数の無線通信方式から、「同時送信に用いる２つ以上の無線通信方式で構成されるグループを、端末を使用するユーザーが設定する」ことを特徴とする。以下では、設定方法に関する例を説明する。なお、この設定は、端末の送信制御部３０５によって実行される。この場合、送信制御部３０５は、グループ生成部として機能する。
【００９３】
例えば、端末が「グループ＃Ｘ」の設定を行うものとする。図５に基づき、「グループ＃Ｘ」の設定方法について説明する。
【００９４】
まず、端末の送信制御部３０５は、通信方式の選択動作を開始する操作を受けつける（Ｓ１０１）。この操作は、例えば、図示しない端末の表示部をユーザーが操作することによって行われる。
【００９５】
次に、グループ＃Ｘに追加する「同時送信用の通信方式」の選択を受けつける（Ｓ１０２）。例えば、図４の選択番号から、同時送信に用いる通信方式を選択する。この操作は、例えば、表示部をユーザーが操作することによって行われる。
【００９６】
次に、Ｓ１０２で選択された通信方式のＳＡＲと、グループ＃Ｘにすでに含まれる通信方式のＳＡＲとの合計値を算出し（Ｓ１０３）、得られたＳＡＲの合計値と定められた規定値とを比較する（Ｓ１０４）。
【００９７】
ＳＡＲの合計値が、定められた規定値以下でない場合（Ｓ１０５にてＮｏ）、選択された通信方式をグループ＃Ｘに追加せずに、Ｓ１０７へ進む。ＳＡＲ値の合計値が定められた規定値以下である場合（Ｓ１０５にてＹｅｓ）、選択された通信方式をグループ＃Ｘに追加し（Ｓ１０６）、Ｓ１０７へ進む。
【００９８】
そして、送信制御部３０５は、次の「同時送信用の通信方式」の選択を受けつけたか否かを判定する（Ｓ１０７）。次の「同時送信用の通信方式」の選択を受けつけた場合（Ｓ１０７にてＹｅｓ）、Ｓ１０３以降の処理が行われる。次の「同時送信用の通信方式」の選択を受けつけない場合（Ｓ１０７にてＮｏ）、通信方式の選択動作を終了する（Ｓ１０８）。
【００９９】
そして、端末は、同時送信に用いる複数の通信方式の組合せの情報（グループ情報）を「グループ＃Ｘ」として記憶しておく。そして、端末は、グループ＃Ｘを呼び出し、グループ＃Ｘを構成する複数の通信方式を用いて、データを送信することになる。これにより、端末は、ＳＡＲの合計値が規定値以下であるという条件を実現しながら、複数の変調方式を用いて、複数の変調信号を同時送信することができ、データの伝送速度を向上させることができるという効果を得ることができる。
【０１００】
なお、端末は、同様の手順にしたがって、「グループ＃Ｘ」以外のグループ（例えば、「グループ＃Ｙ」、「グループ＃Ｚ」など）を生成、記憶し、複数のグループの中から、いずれかのグループを呼び出し、呼び出したグループを構成する複数の通信方式を用いてデータを送信してもよい。
【０１０１】
さらに、図４の表に基づいて、図５のグループ設定を行う場合の例を説明する。例えば、端末が「グループ＃Ｘ」の設定を行うものとする。このとき、図４、図５に基づいた「グループ＃Ｘ」の設定方法の具体例について説明する。
【０１０２】
Ｓ１０１にて、通信方式の選択動作を開始する操作を受付の後、Ｓ１０２にて、端末が、例えば、図４の選択番号「＃６」の選択を受けつける。次に、Ｓ１０３にて、選択番号「＃６」を選択したときのＳＡＲを計算する。その結果はａ４１であり、Ｓ１０４にて、この値と規定値とを比較する。この値が定められた規定値以下である場合（Ｓ１０５にてＹｅｓ）、Ｓ１０６にて、「グループ＃Ｘ」に、選択番号「＃６」を追加する。
【０１０３】
次に、Ｓ１０７にて、次の「同時送信用の通信方式」の選択を受けつけたか否かを判定する。例えば、図４の選択番号「＃５」の選択を受けつけるものとする（Ｓ１０７にてＹｅｓ）。この場合、Ｓ１０３に戻り、選択番号「＃５」をグループ＃Ｘに追加したときのＳＡＲの合計値を計算する。ａ３２が選択番号「＃５」のＳＡＲの値であるため（図４参照）、ＳＡＲの合計値はａ４１＋ａ３２となる。Ｓ１０４にて、この値と規定値とを比較する。そして、この合計値が定められた規定値以下でない場合（Ｓ１０５にてＮｏ）、「グループ＃Ｘ」に、選択番号「＃５」が追加されない。
【０１０４】
次に、Ｓ１０７にて、次の「同時送信用の通信方式」の選択を受けつけたか否かを判定する。ユーザーが選択を行った場合、Ｓ１０３に再び戻ることになる。
【０１０５】
ここで、図４の選択番号「＃１」の選択を受けつけるものとする（Ｓ１０７にてＹｅｓ）。Ｓ１０３にて、選択番号「＃１」をグループ＃Ｘに追加したときのＳＡＲの合計値を計算する。ａ１１が選択番号「＃１」のＳＡＲの値であるため（図４参照）、合計値はａ４１＋ａ１１となる。Ｓ１０４にて、この値と規定値とを比較する。そして、この合計値が定められた規定値以下である場合（Ｓ１０５にてＹｅｓ）、Ｓ１０６にて、「グループ＃Ｘ」に、選択番号「＃１」が追加される。次に、Ｓ１０７にて、次の「同時送信用の通信方式」の選択を受けつけたか否かを判定する。ユーザーから次の「同時送信用の通信方式」の選択を受けつけない場合（Ｓ１０７にてＮｏ）、例えば、ユーザーから「選択しない」という指示を受けつけた場合、「同時送信の通信方式の選択を完了」する（Ｓ１０８）。
【０１０６】
そして、端末は、同時送信に用いる複数の通信方式の組合せの情報（グループ情報）を「グループ＃Ｘ」として記憶しておく。そして、端末は、グループ＃Ｘを呼び出し、グループ＃Ｘを構成する複数の通信方式を用いて、データを送信することになる。これにより、端末は、ＳＡＲの合計値が規定値以下であるという条件を実現しながら、複数の変調方式を用いて、複数の変調信号を同時送信することができ、データの伝送速度を向上させることができるという効果を得ることができる。
【０１０７】
次に、無線通信方式とＳＡＲとの対応関係の第２の例について説明する。図６は、無線通信方式とＳＡＲとの対応関係の第２の例を示す表である。図６の表に基づいて、図５のグループ設定を行う場合の例を説明する。なお、図４と図６の異なる点は、ＭＩＭＯ（Multiple-Input Multiple-Output）方式、または、ＭＩＳＯ（Multiple-Input Single-Output）方式の「有」と「無」により、選択番号、ＳＡＲを分離している点である。
【０１０８】
ここで、ＭＩＭＯ方式、または、ＭＩＳＯ方式の「有」とは、ＭＩＭＯ方式、または、ＭＩＳＯ方式で送信する（つまり、複数のアンテナを用いて、変調信号を送信する）ことを意味し、ＭＩＭＯ方式、または、ＭＩＳＯ方式の「無」とは、ＭＩＭＯ方式で送信しない、および、ＭＩＳＯ方式で送信しない（つまり、シングルアンテナを用いて、変調信号を送信する）ことを意味している。
【０１０９】
図６の例では、選択番号＃１は、「第１の無線通信方式」であり、通信方式の名称が「無線ＬＡＮ」、使用する周波数が２．４ＧＨｚであり、ＭＩＭＯ方式、または、ＭＩＳＯ方式の「有」であり、選択番号＃１の方法で端末が変調信号を送信した場合、ＳＡＲがａ１１であるということを意味している。
【０１１０】
選択番号＃２は、「第１の無線通信方式」であり、通信方式の名称が「無線ＬＡＮ」、使用する周波数が２．４ＧＨｚであり、ＭＩＭＯ方式、または、ＭＩＳＯ方式の「無」であり、選択番号＃２の方法で端末が変調信号を送信した場合、ＳＡＲがａ１２であるということを意味している。
【０１１１】
選択番号＃３は、「第１の無線通信方式」であり、通信方式の名称が「無線ＬＡＮ」、使用する周波数が５ＧＨｚであり、ＭＩＭＯ方式、または、ＭＩＳＯ方式の「有」であり、選択番号＃３の方法で端末が変調信号を送信した場合、ＳＡＲがａ１３であるということを意味している。
【０１１２】
選択番号＃４は、「第１の無線通信方式」であり、通信方式の名称が「無線ＬＡＮ」、使用する周波数が５ＧＨｚであり、ＭＩＭＯ方式、または、ＭＩＳＯ方式の「無」であり、選択番号＃４の方法で端末が変調信号を送信した場合、ＳＡＲがａ１４であるということを意味している。
【０１１３】
選択番号＃５は、「第２の無線通信方式」であり、通信方式の名称が「Ｂｌｕｅｔｏｏｔｈ（登録商標）」、使用する周波数が２．４ＧＨｚであり、選択番号＃５の方法で端末が変調信号を送信した場合、ＳＡＲがａ２１であるということを意味している。
【０１１４】
選択番号＃６は、「第３の無線通信方式」であり、通信方式の名称が「第三世代携帯電話」、使用する周波数が８００ＭＨｚであり、選択番号＃６の方法で端末が変調信号を送信した場合、ＳＡＲがａ３１であることを意味している。
【０１１５】
選択番号＃７は、「第３の無線通信方式」であり、通信方式の名称が「第三世代携帯電話」、使用する周波数が２ＧＨｚであり、選択番号＃７の方法で端末が変調信号を送信した場合、ＳＡＲがａ３２であることを意味している。
【０１１６】
選択番号＃８は、「第４の無線通信方式」であり、通信方式の名称が「第四世代携帯電話」、使用する周波数が８００ＭＨｚであり、選択番号＃８の方法で端末が変調信号を送信した場合、ＳＡＲがａ４１であることを意味している。
【０１１７】
選択番号＃９は、「第４の無線通信方式」であり、通信方式の名称が「第四世代携帯電話」、使用する周波数が２ＧＨｚであり、選択番号＃９の方法で端末が変調信号を送信した場合、ＳＡＲがａ４２であることを意味している。
【０１１８】
図６の表に基づいて、図５のグループ設定を行う場合の例を説明する。
【０１１９】
例えば、端末が「グループ＃Ｙ」の設定を行うものとする。このとき、図５、図６に基づいた「グループ＃Ｙ」の設定方法の具体例について説明する。なお、この説明において、図５の「グループ＃Ｘ」は、「グループ＃Ｙ」に置き換えるものとする。
【０１２０】
Ｓ１０１にて、通信方式の選択動作を開始する操作を受付の後、Ｓ１０２にて、端末が、例えば、図６の選択番号「＃６」の選択を受けつける。次に、Ｓ１０３にて、選択番号「＃６」を選択したときのＳＡＲを計算する。その結果はａ３１であり、Ｓ１０４にて、この値と規定値とを比較する。この値が定められた規定値以下である場合（Ｓ１０５にてＹｅｓ）、Ｓ１０６にて、「グループ＃Ｙ」に、選択番号「＃６」を追加する。
【０１２１】
次に、Ｓ１０７にて、次の「同時送信用の通信方式」の選択を受けつけたか否かを判定する。例えば、図６の選択番号「＃９」の選択を受けつけるものとする（Ｓ１０７にてＹｅｓ）。この場合、Ｓ１０３に戻り、選択番号「＃９」をグループ＃Ｙに追加したときのＳＡＲの合計値を計算する。ａ４２が選択番号「＃９」のＳＡＲの値であるため（図６参照）、ＳＡＲの合計値はａ３１＋ａ４２となる。Ｓ１０４にて、この値と規定値とを比較する。そして、この合計値が定められた規定値以下でない場合（Ｓ１０５にてＮｏ）、「グループ＃Ｙ」に、選択番号「＃９」が追加されない。
【０１２２】
次に、Ｓ１０７にて、次の「同時送信用の通信方式」の選択を受けつけたか否かを判定する。ユーザーが選択を行った場合、Ｓ１０３に再び戻ることになる。
【０１２３】
ここで、図６の選択番号「＃１」の選択を受けつけるものとする（Ｓ１０７にてＹｅｓ）。Ｓ１０３にて、選択番号「＃１」をグループ＃Ｙに追加したときのＳＡＲの合計値を計算する。ａ１１が選択番号「＃１」のＳＡＲの値であるため（図６参照）、合計値はａ３１＋ａ１１となる。Ｓ１０４にて、この値と規定値とを比較する。そして、この合計値が定められた規定値以下である場合（Ｓ１０５にてＹｅｓ）、Ｓ１０６にて、「グループ＃Ｙ」に、選択番号「＃１」が追加される。次に、Ｓ１０７にて、次の「同時送信用の通信方式」の選択を受けつけたか否かを判定する。ユーザーから次の「同時送信用の通信方式」の選択を受けつけない場合、例えば、ユーザーから「選択しない」という指示を受けつけた場合、「同時送信の通信方式の選択を完了」する（Ｓ１０８）。
【０１２４】
そして、端末は、同時送信に用いる複数の通信方式の組合せの情報（グループ情報）を「グループ＃Ｙ」として記憶しておく。そして、端末は、グループ＃Ｙを呼び出し、グループ＃Ｙを構成する複数の通信方式を用いて、データを送信することになる。これにより、端末は、ＳＡＲの合計値が規定値以下であるという条件を実現しながら、複数の変調方式を用いて、複数の変調信号を同時送信することができ、データの伝送速度を向上させることができるという効果を得ることができる。
【０１２５】
次に、無線通信方式とＳＡＲとの対応関係の第３の例について説明する。図７は、無線通信方式とＳＡＲとの対応関係の第３の例を示す表である。図７の表に基づいて、図５のグループ設定を行う場合の例を説明する。なお、図４と図７の異なる点は、ＭＩＭＯ方式、または、ＭＩＳＯ方式の「有」と「無」、および、「使用する周波数帯域」により、選択番号、ＳＡＲを分離している点である。
【０１２６】
ここで、ＭＩＭＯ方式、または、ＭＩＳＯ方式の「有」とは、ＭＩＭＯ方式、または、ＭＩＳＯ方式で送信する（つまり、複数のアンテナを用いて、変調信号を送信する）ことを意味し、ＭＩＭＯ方式、または、ＭＩＳＯ方式の「無」とは、ＭＩＭＯ方式で送信しない、および、ＭＩＳＯ方式で送信しない（つまり、シングルアンテナを用いて、変調信号を送信する）ことを意味している。
【０１２７】
図７の例では、選択番号＃１は、「第１の無線通信方式」であり、通信方式の名称が「無線ＬＡＮ」、使用する周波数が２．４ＧＨｚであり、ＭＩＭＯ方式、または、ＭＩＳＯ方式の「有」であり、使用する周波数帯域は２０ＭＨｚであり、選択番号＃１の方法で端末が変調信号を送信した場合、ＳＡＲがａ１１であるということを意味している。
【０１２８】
選択番号＃２は、「第１の無線通信方式」であり、通信方式の名称が「無線ＬＡＮ」、使用する周波数が２．４ＧＨｚであり、ＭＩＭＯ方式、または、ＭＩＳＯ方式の「有」であり、使用する周波数帯域は２０ＭＨｚまたは４０ＭＨｚであり、選択番号＃２の方法で端末が変調信号を送信した場合、ＳＡＲがａ１２であるということを意味している。
【０１２９】
選択番号＃３は、「第１の無線通信方式」であり、通信方式の名称が「無線ＬＡＮ」、使用する周波数が２．４ＧＨｚであり、ＭＩＭＯ方式、または、ＭＩＳＯ方式の「無」であり、使用する周波数帯域は２０ＭＨｚであり、選択番号＃３の方法で端末が変調信号を送信した場合、ＳＡＲがａ１３であるということを意味している。
【０１３０】
選択番号＃４は、「第１の無線通信方式」であり、通信方式の名称が「無線ＬＡＮ」、使用する周波数が２．４ＧＨｚであり、ＭＩＭＯ方式、または、ＭＩＳＯ方式の「無」であり、使用する周波数帯域は２０ＭＨｚまたは４０ＭＨｚであり、選択番号＃４の方法で端末が変調信号を送信した場合、ＳＡＲがａ１４であるということを意味している。
【０１３１】
選択番号＃５は、「第１の無線通信方式」であり、通信方式の名称が「無線ＬＡＮ」、使用する周波数が５ＧＨｚであり、ＭＩＭＯ方式、または、ＭＩＳＯ方式の「有」であり、使用する周波数帯域は２０ＭＨｚであり、選択番号＃５の方法で端末が変調信号を送信した場合、ＳＡＲがａ１５であるということを意味している。
【０１３２】
選択番号＃６は、「第１の無線通信方式」であり、通信方式の名称が「無線ＬＡＮ」、使用する周波数が５ＧＨｚであり、ＭＩＭＯ方式、または、ＭＩＳＯ方式の「有」であり、使用する周波数帯域は２０ＭＨｚまたは４０ＭＨｚであり、選択番号＃６の方法で端末が変調信号を送信した場合、ＳＡＲがａ１６であるということを意味している。
【０１３３】
選択番号＃７は、「第１の無線通信方式」であり、通信方式の名称が「無線ＬＡＮ」、使用する周波数が５ＧＨｚであり、ＭＩＭＯ方式、または、ＭＩＳＯ方式の「無」であり、使用する周波数帯域は２０ＭＨｚであり、選択番号＃７の方法で端末が変調信号を送信した場合、ＳＡＲがａ１７であるということを意味している。
【０１３４】
選択番号＃８は、「第１の無線通信方式」であり、通信方式の名称が「無線ＬＡＮ」、使用する周波数が５ＧＨｚであり、ＭＩＭＯ方式、または、ＭＩＳＯ方式の「無」であり、使用する周波数帯域は２０ＭＨｚまたは４０ＭＨｚであり、選択番号＃８の方法で端末が変調信号を送信した場合、ＳＡＲがａ１８であるということを意味している。
【０１３５】
選択番号＃９は、「第２の無線通信方式」であり、通信方式の名称が「Ｂｌｕｅｔｏｏｔｈ（登録商標）」、使用する周波数が２．４ＧＨｚであり、選択番号＃９の方法で端末が変調信号を送信した場合、ＳＡＲがａ２１であるということを意味している。
【０１３６】
選択番号＃１０は、「第３の無線通信方式」であり、通信方式の名称が「第三世代携帯電話」、使用する周波数が８００ＭＨｚであり、選択番号＃１０の方法で端末が変調信号を送信した場合、ＳＡＲがａ３１であることを意味している。
【０１３７】
選択番号＃１１は、「第３の無線通信方式」であり、通信方式の名称が「第三世代携帯電話」、使用する周波数が２ＧＨｚであり、選択番号＃１１の方法で端末が変調信号を送信した場合、ＳＡＲがａ３２であることを意味している。
【０１３８】
選択番号＃１２は、「第４の無線通信方式」であり、通信方式の名称が「第四世代携帯電話」、使用する周波数が８００ＭＨｚであり、使用する周波数帯域はＸ Ｈｚであり、選択番号＃１２の方法で端末が変調信号を送信した場合、ＳＡＲがａ４１であることを意味している。
【０１３９】
選択番号＃１３は、「第４の無線通信方式」であり、通信方式の名称が「第四世代携帯電話」、使用する周波数が８００ＭＨｚであり、使用する周波数帯域はＸ Ｈｚ、または、Ｙ Ｈｚであり、選択番号＃１３の方法で端末が変調信号を送信した場合、ＳＡＲがａ４２であることを意味している。
【０１４０】
選択番号＃１４は、「第４の無線通信方式」であり、通信方式の名称が「第四世代携帯電話」、使用する周波数が２ＧＨｚであり、使用する周波数帯域はＸ Ｈｚであり、選択番号＃１４の方法で端末が変調信号を送信した場合、ＳＡＲがａ４３であることを意味している。
【０１４１】
選択番号＃１５は、「第４の無線通信方式」であり、通信方式の名称が「第四世代携帯電話」、使用する周波数が２ＧＨｚであり、使用する周波数帯域はＸ Ｈｚ、または、Ｙ Ｈｚであり、選択番号＃１５の方法で端末が変調信号を送信した場合、ＳＡＲがａ４４であることを意味している。
【０１４２】
図７の表に基づいて、図５のグループ設定を行う場合の例を説明する。
【０１４３】
例えば、端末が「グループ＃Ｚ」の設定を行うものとする。このとき、図５、図７に基づいた「グループ＃Ｚ」の設定方法について説明する。なお、この説明において、図５の「グループ＃Ｘ」は、「グループ＃Ｚ」に置き換えるものとする。
【０１４４】
Ｓ１０１にて、通信方式の選択動作を開始する操作を受付の後、Ｓ１０２にて、端末が、例えば、図７の選択番号「＃６」の選択を受けつける。次に、Ｓ１０３にて、選択番号「＃６」を選択したときのＳＡＲを計算する。その結果はａ１６であり、Ｓ１０４にて、この値と規定値とを比較する。この値が定められた規定値以下である場合（Ｓ１０５にてＹｅｓ）、Ｓ１０６にて、「グループ＃Ｚ」に、選択番号「＃６」を追加する。
【０１４５】
次に、Ｓ１０７にて、次の「同時送信用の通信方式」の選択を受けつけたか否かを判定する。例えば、図７の選択番号「＃１５」の選択を受けつけるものとする（Ｓ１０７にてＹｅｓ）。この場合、Ｓ１０３に戻り、選択番号「＃１５」をグループ＃Ｚに追加したときのＳＡＲの合計値を計算する。ａ４４が選択番号「＃１５」のＳＡＲの値である（図７参照）ため、ＳＡＲの合計値はａ１６＋ａ４４となる。Ｓ１０４にて、この値と規定値とを比較する。そして、この合計値が定められた規定値以下でない場合（Ｓ１０５にてＮｏ）、「グループ＃Ｚ」に、選択番号「＃１５」が追加されない。
【０１４６】
次に、Ｓ１０７にて、次の「同時送信用の通信方式」の選択を受けつけたか否かを判定する。ユーザーが選択を行った場合、Ｓ１０３に再び戻ることになる。
【０１４７】
ここで、図７の選択番号「＃１０」の選択を受けつけるものとする（Ｓ１０７にてＹｅｓ）。Ｓ１０３にて、選択番号「＃１０」をグループ＃Ｚに追加したときのＳＡＲの合計値を計算する。ａ３１が選択番号「＃１０」のＳＡＲの値であるため（図７参照）、合計値はａ１６＋ａ３１となる。Ｓ１０４にて、この値と規定値とを比較する。そして、この合計値が定められた規定値以下である場合（Ｓ１０５にてＹｅｓ）、Ｓ１０６にて、「グループ＃Ｚ」に、選択番号「＃１０」が追加される。
【０１４８】
次に、Ｓ１０７にて、次の「同時送信用の通信方式」の選択を受けつけたか否かを判定する。ユーザーから次の「同時送信用の通信方式」の選択を受けつけない場合（Ｓ１０７にてＮｏ）、例えば、ユーザーから「選択しない」という指示を受けつけた場合、「同時送信の通信方式の選択を完了」する（Ｓ１０８）。
【０１４９】
そして、端末は、同時送信に用いる複数の通信方式の組合せの情報（グループ情報）を「グループ＃Ｚ」として記憶しておく。そして、端末は、グループ＃Ｚを呼び出し、グループ＃Ｚを構成する複数の通信方式を用いて、データを送信することになる。これにより、端末は、ＳＡＲの合計値が規定値以下であるという条件を実現しながら、複数の変調方式を用いて、複数の変調信号を同時送信することができ、データの伝送速度を向上させることができるという効果を得ることができる。
【０１５０】
次に、端末のディスプレイに表示されるグループ情報の画面の例を説明する。図８は、グループ情報を表示する画面の第１の例を示す図であり、図９は、グループ情報を表示する画面の第２の例を示す図である。
【０１５１】
グループ＃Ｘとして、選択番号＃１と選択番号＃６をユーザーが選択したものとする。すると、端末の画面には、例えば、最大伝送速度が表示されてもよい。図８の例では、グループ＃Ｘとして、「第四世代携帯電話  使用する周波数８００ＭＨｚ」および「無線ＬＡＮ  使用する周波数２．４ＧＨｚ」が選択されているとき、この二つの通信方式を用いたときの最大伝送速度が５００Ｍｂｐｓであることが表示される。このとき、最大伝送速度は、端末の受信するデータの最大伝送速度であってもよいし、端末が送信するデータの最大伝送速度であってもよい。
【０１５２】
また、図４、図５に基づく設定をし、グループ＃Ｘとして、「第四世代携帯電話  使用する周波数８００ＭＨｚ」、「無線ＬＡＮ  使用する周波数２．４ＧＨｚ」、「無線ＬＡＮ  使用する周波数５ＧＨｚ」を、端末が選択し、各方式の接続状態、伝送速度の状態を、端末の画面に表示してもよい。
【０１５３】
図９の例では、「第四世代携帯電話  使用する周波数８００ＭＨｚ」は、ある時点で「接続中」（基地局と端末は接続中）であり、データの伝送速度は４０Ｍｂｐｓであるという状態を、端末の画面は表示している。
【０１５４】
そして、「無線ＬＡＮ  使用する周波数２．４ＧＨｚ」は、ある時点で「接続中」（端末とアクセスポイントが接続中）であり、データの伝送速度は７２Ｍｂｐｓであるという状態を、端末の画面は表示している。
【０１５５】
また、「無線ＬＡＮ  使用する周波数５ＧＨｚ」は、ある時点で「未接続」（端末とアクセスポイントは未接続）であることを、端末の画面は表示しており、そして、データの伝送速度は端末の画面には表示されていない（なお、データの伝送速度としては、端末が受信するデータの伝送速度であってもよいし、端末が送信するデータの伝送速度であってもよい）。
【０１５６】
このようにすることで、ユーザー自身が設定したグループの状態を確認することができるため、グループの内容の変更、グループの新規の設定に活用することができ、グループの設定を効果的に行うことができる、という効果を得ることができる。
【０１５７】
以上のように、本実施の形態では、ユーザーが同時送信に用いる複数の通信方式を選択し、ＳＡＲの合計値が規定値以下となるような複数の通信方式で構成されるグループを形成する。そして、そのグループの情報に基づいて、複数の通信方式を用いて変調信号を同時送信することで、ＳＡＲの合計値が規定値以下であるという条件を実現しながら、データの伝送速度を向上させることができるという効果を得ることができる。
【０１５８】
なお、本実施の形態では、通信方式として、無線ＬＡＮ、Ｂｌｕｅｔｏｏｔｈ（登録商標）、第三世代携帯電話、第四世代携帯電話を例に説明したがこれに限ったものではなく、他の無線通信方式が、同時送信する通信方式の一つに選ばれても、本実施の形態は、同様に実施することができる。また、選択番号の分類方法として、図４、図６、図７を用いて説明しているが、これに限ったものではなく、他の分類方法を用いて、選択番号を設定し、本実施の形態で説明したグループの設定を行っても同様に実施することができる。
【０１５９】
そして、端末の画面において、図１０に示すような確認ができてもよい。図１０は、通信方式と（予想）伝送速度の関係を表示する画面の一例を示す図である。ただし、伝送速度については、上でも述べたように、端末の受信時のデータ伝送速度であってもよいし、端末の送信時のデータの伝送速度であってもよい。また、端末の画面への表示は、端末の送信時のデータの伝送速度と端末の受信時のデータの伝送速度の両者が表示されていてもよい。当然であるが、一方が表示されていてもよい。
【０１６０】
図１０では、端末が通信方式として「無線ＬＡＮ」を用いた場合、（予想）データの伝送速度は１００Ｍｂｐｓであるという表示を行っている。同様に、端末が通信方式として「第三世代携帯電話」を用いた場合、（予想）データの伝送速度は５Ｍｂｐｓであるという表示を行っている。そして、端末が通信方式として「第四世代携帯電話」を用いた場合、（予想）データの伝送速度は５０Ｍｂｐｓであるという表示を行っている。
【０１６１】
端末が本実施の形態で説明した設定方法を用いて設定した「グループ＃Ｘ」に含まれる複数の通信方式を用いた場合、（予想）データの伝送速度は２００Ｍｂｐｓであるという表示を行っている。
【０１６２】
端末が本実施の形態で説明した設定方法を用いて設定した「グループ＃Ｙ」に含まれる通信方式を用いた場合、（予想）データの伝送速度は３００Ｍｂｐｓであるという表示を行っている。
【０１６３】
このような表示を端末が行うと、ユーザーは、例えば、要求データの伝送速度やバッテリーの残量を考慮して、好適な通信方式を選択することができるという利点をもつことになる。そして、本実施の形態で説明した設定方法を有効に活用することができるという効果を得ることができる。
【０１６４】
また、本実施の形態で説明した端末で行うグループ化については、ユーザーが端末を操作することで、グループ化を行ってもよいし、ユーザーが他の機器を介して、本実施の形態で説明したグループ化の端末の設定を行ってもよい。この点について、図１１を用いて説明する。
【０１６５】
図１１は、本実施の形態におけるグループ化の設定の別の例を説明する図である。図１１において、１１０１は端末である（例えば、図３で示したような構成をとる）。そして、例えば、端末１１０１と第１機器１１０２は、有線、または、無線で接続されており、第１機器１１０２を操作することで、本実施の形態で説明したグループ化を実施してもよい。このとき、第１機器１１０２がコントローラーとなり、端末１１０１で、グループ化の設定を行ってもよいし、第１機器１１０２で、グループ化の設定を行い、グループ化を行った結果の情報、または、これに関連するプログラムを端末１１０１に送信し、グループ化を実現してもよい。
【０１６６】
また、図１１において、端末１１０１と第２機器１１０３は、ネットワークを介し、有線、または、無線で接続されており、第２機器１１０３を操作することで、本実施の形態で説明したグループ化を実施してもよい。このとき、第２機器１１０３がコントローラーとなり、端末１１０１でグループ化の設定を行ってもよいし、第２機器１１０３で、グループ化の設定を行う、グループ化を行った結果の情報、または、これに関連するプログラムを端末１１０１に送信し、グループ化を実現してもよい。
【０１６７】
なお、本実施の形態では、端末が生成し、送信するグループ情報は、同時送信に用いる複数の通信方式からなるグループの情報であってもよいし、同時送信に用いる複数の通信局の組合せを示す情報であってもよい。
【０１６８】
（実施の形態２）
実施の形態１では、各通信方式について一つのＳＡＲの値しかなく、ＳＡＲの規定値も一つしかない場合を説明した。しかし、これに限ったものではなく、各通信方式について複数のＳＡＲの値が存在したり、規定値が複数存在したりしてもよい。本実施の形態では、ＳＡＲの規定値が複数存在するときの実施の形態１の変形例について説明する。
【０１６９】
端末が複数の無線通信方式の送受信ができるときの通信形態の例は、図１、図２に示したとおりであり、実施の形態１で説明したので、説明は省略する。また、端末の構成については、図３に示したとおりであり。実施の形態１で説明したので、説明は省略する。
【０１７０】
図１２は、無線通信方式とＳＡＲとの対応関係の第４の例を示す表であり、例えば、図３の送信制御部３０５が、図１３の制御（図１３については後で説明する。）を行うのに必要な情報に関する表を示している。
【０１７１】
図１２の例では、選択番号＃１は、「第１の無線通信方式」であり、通信方式の名称が「無線ＬＡＮ」、使用する周波数が２．４ＧＨｚであり、選択番号＃１の方法で端末が変調信号を送信した場合、第１のＳＡＲ（ＳＡＲ１）がａ１１であり、第２のＳＡＲ（ＳＡＲ２）がｂ１１であることを意味している。
【０１７２】
各通信方式について複数のＳＡＲの値がある場合の一例として、図１２では、ＳＡＲ１とＳＡＲ２の２種類のＳＡＲがある場合を記載しているが、例えば、手に装着したときのＳＡＲがＳＡＲ１であり、頭部に近づけたときのＳＡＲがＳＡＲ２という場合というように、測定対象や測定方法が異なる場合に、複数のＳＡＲ測定が必要となる。なお、図１２のＳＡＲ１およびＳＡＲ２に対して、それぞれ、第１の規定値および第２の規定値が存在する。
【０１７３】
なお、図１２では２種類のＳＡＲがある場合を例として説明しているが、２種類以上存在してもよく、この場合、図４から図１２に拡張したように、各選択番号で、複数種類のＳＡＲの値が定義されることになる。また、複数種類のＳＡＲの値に対して、それぞれ、規定値が存在する。
【０１７４】
選択番号＃２は、「第１の無線通信方式」であり、通信方式の名称が「無線ＬＡＮ」、使用する周波数が５ＧＨｚであり、選択番号＃２の方法で端末が変調信号を送信した場合、ＳＡＲ１がａ１２であり、ＳＡＲ２がｂ１２であるということを意味している。
【０１７５】
選択番号＃３は、「第２の無線通信方式」であり、通信方式の名称が「Ｂｌｕｅｔｏｏｔｈ（登録商標）」、使用する周波数が２．４ＧＨｚであり、選択番号＃３の方法で端末が変調信号を送信した場合、ＳＡＲ１がａ２１であり、ＳＡＲ２がｂ２１であるということを意味している。
【０１７６】
選択番号＃４は、「第３の無線通信方式」であり、通信方式の名称が「第三世代携帯電話」、使用する周波数が８００ＭＨｚであり、選択番号＃４の方法で端末が変調信号を送信した場合、ＳＡＲ１がａ３１であり、ＳＡＲ２がｂ３１であることを意味している。
【０１７７】
選択番号＃５は、「第３の無線通信方式」であり、通信方式の名称が「第三世代携帯電話」、使用する周波数が２ＧＨｚであり、選択番号＃５の方法で端末が変調信号を送信した場合、ＳＡＲ１がａ３２であり、ＳＡＲ２がｂ３２であることを意味している。
【０１７８】
選択番号＃６は、「第４の無線通信方式」であり、通信方式の名称が「第四世代携帯電話」、使用する周波数が８００ＭＨｚであり、選択番号＃６の方法で端末が変調信号を送信した場合、ＳＡＲ１がａ４１であり、ＳＡＲ２がｂ４１であることを意味している。
【０１７９】
選択番号＃７は、「第４の無線通信方式」であり、通信方式の名称が「第四世代携帯電話」、使用する周波数が２ＧＨｚであり、選択番号＃７の方法で端末が変調信号を送信した場合、ＳＡＲ１がａ４２であり、ＳＡＲ２がｂ４２であることを意味している。
【０１８０】
図１３は、本実施の形態における無線通信方式のグループの設定方法を示すフローチャートであり、図３の送信制御部３０５が行う動作の一つである制御のフローチャートの一例を示している。
【０１８１】
本実施の形態では、「同時送信を行う複数の無線通信方式で構成されるグループを、端末を使用するユーザーが設定する」ことを特徴とする。以下では、設定方法に関する例を説明する。
【０１８２】
例えば、端末が「グループ＃Ｘ」の設定を行うものとする。図１３に基づき、「グループ＃Ｘ」の設定方法について説明する。なお、以下では、定義されている複数種類のＳＡＲの値として、Ｍ個のＳＡＲが存在するとして説明する。
【０１８３】
まず、端末の送信制御部３０５は、通信方式の選択動作を開始する操作を受けつける（Ｓ１０１）。この操作は、例えば、図示しない端末の表示部をユーザーが操作することによって行われる。
【０１８４】
次に、グループ＃Ｘに追加する「同時送信通信方式の選択」を受けつける（Ｓ１０２）。例えば、図１２の選択番号から、同時送信に用いる通信方式を選択する。この操作は、例えば、表示部をユーザーが操作することによって行われる。
【０１８５】
次に、Ｓ１０２で選択された通信方式のＳＡＲ（ＳＡＲ１〜ＳＡＲＭ）と、グループ＃Ｘに含まれる通信方式の各ＳＡＲ（ＳＡＲ１〜ＳＡＲＭ）とのそれぞれの合計値を算出する（Ｓ２０３）。そして、算出した各ＳＡＲ（ＳＡＲ１〜ＳＡＲＭ）の合計値と、それぞれに対応して定められた規定値とを比較する（Ｓ２０４）。つまり、「ｊは１以上Ｍ以下（Ｍは２以上の整数である）であり、これを満たす、すべてのｊで、ＳＡＲｊは、それぞれに対応して定められた規定値以下である」かどうかについての確認を行うことになる。
【０１８６】
算出した各ＳＡＲ（ＳＡＲ１〜ＳＡＲＭ）の合計値のうち、少なくとも１つが、対応して定められた規定値以下でない場合（Ｓ２０５にてＮｏ）、選択された通信方式をグループ＃Ｘに追加せずに、Ｓ１０７へ進む。算出した各ＳＡＲ（ＳＡＲ１〜ＳＡＲＭ）の合計値が、全て、それぞれに対応して定められた規定値以下である場合（Ｓ２０５にてＹｅｓ）、選択された通信方式をグループ＃Ｘに追加し（Ｓ１０６）、Ｓ１０７へ進む。
【０１８７】
そして、送信制御部３０５は、次の「同時送信用の通信方式」の選択を受けつけたか否かを判定する（Ｓ１０７）。次の「同時送信用の通信方式」の選択を受けつけた場合（Ｓ１０７にてＹｅｓ）、Ｓ２０３以降の処理が行われる。次の「同時送信用の通信方式」の選択を受けつけない場合（Ｓ１０７にてＮｏ）、通信方式の選択動作を終了する（Ｓ１０８）。
【０１８８】
そして、端末は、同時送信に用いる複数の通信方式の組合せの情報（グループ情報）を「グループ＃Ｘ」として記憶しておく。そして、端末は、グループ＃Ｘを呼び出し、グループ＃Ｘを構成する複数の通信方式を用いて、データを送信することになる。これにより、端末は、ＳＡＲの規定値以下を実現しながら、変調信号を同時送信することができ、データの伝送速度を向上させることができるという効果を得ることができる。
【０１８９】
なお、端末は、同様の手順にしたがって、「グループ＃Ｘ」以外のグループ（例えば、「グループ＃Ｙ」、「グループ＃Ｚ」など）を生成、記憶し、複数のグループの中から、いずれかのグループを呼び出し、呼び出したグループを構成する複数の通信方式を用いてデータを送信してもよい。
【０１９０】
さらに、図１２の表に基づいて、図１３のグループ設定を行う場合の例を説明する。
【０１９１】
例えば、端末が「グループ＃Ｘ」の設定を行うものとする。このとき、図１２、図１３に基づいた「グループ＃Ｘ」の設定方法の具体例について説明する。
【０１９２】
Ｓ１０１にて、通信方式の選択動作を開始する操作を受付の後、Ｓ１０２にて、端末が、例えば、図１２の選択番号「＃６」の選択を受けつける。次に、Ｓ２０３にて、選択番号「＃６」を選択したときのそれぞれのＳＡＲを計算する。選択番号「＃６」のＳＡＲ１はａ４１であり、ＳＡＲ２はｂ４１である。Ｓ２０４にて、これらの値とそれぞれに対応する規定値とを比較する。ここで、ＳＡＲ１及びＳＡＲ２の両方が規定値以下である場合（Ｓ２０５にてＹｅｓ）、Ｓ１０６にて、「グループ＃Ｘ」に選択番号「＃６」を追加する。つまり、「ｊは１以上Ｍ以下（Ｍは２以上の整数である）であり、これを満たす、すべてのｊで、ＳＡＲｊは、それぞれに対応して定められた規定値以下である」かどうかについての確認を行うことになる。
【０１９３】
次に、Ｓ１０７にて、次の「同時送信用の通信方式」の選択を受けつけたか否かを判定する。例えば、図１２の選択番号「＃５」の選択を受けつけるものとする（Ｓ１０７にてＹｅｓ）。この場合、Ｓ２０３に戻り、選択番号「＃５」をグループ＃Ｘに追加したときのそれぞれＳＡＲの合計値を計算する。ａ３２が選択番号「＃５」のＳＡＲ１の値であるため（図１２参照）、ＳＡＲ１の合計値はａ４１＋ａ３２となる。また、ｂ３２が選択番号「＃５」のＳＡＲ２の値であるため（図１２参照）、ＳＡＲ２の合計値はｂ４１＋ｂ３２となる。Ｓ２０４にて、これらの値とそれぞれに対応する規定値とを比較する。ここで、「ＳＡＲ１の合計値が、ＳＡＲ１に対応する規定値以下であり、かつ、ＳＡＲ２の合計値が、ＳＡＲ２に対応する規定値以下である」という条件を満たさない場合（Ｓ２０５にてＮｏ）、「グループ＃Ｘ」に、選択番号「＃５」を追加しない。
【０１９４】
次に、Ｓ１０７にて、次の「同時送信用の通信方式」の選択を受けつけたか否かを判定する。ユーザーが選択を行った場合、Ｓ２０３に再び戻ることになる。
【０１９５】
ここで、図１２の選択番号「＃１」の選択を受けつけるものとする（Ｓ１０７にてＹｅｓ）。Ｓ２０３にて、選択番号「＃１」をグループ＃Ｘに追加したときのＳＡＲ１の合計値及びＳＡＲ２の合計値を計算する。ａ１１が選択番号「＃１」のＳＡＲ１の値であるため（図１２参照）、ＳＡＲ１の合計値はａ４１＋ａ１１となる。また、ｂ１１が選択番号「＃１」のＳＡＲ２の値であるため（図１２参照）、ＳＡＲ２の合計値はｂ４１＋ｂ１１となる。Ｓ２０４にて、これらの値とそれぞれに対応する規定値とを比較する。ここで、「ＳＡＲ１の合計値が、ＳＡＲ１に対応する規定値以下であり、かつ、ＳＡＲ２の合計値が、ＳＡＲ２に対応する規定値以下である」という条件を満たす場合（Ｓ２０５にてＹｅｓ）、Ｓ１０６にて、「グループ＃Ｘ」に、選択番号「＃１」を追加する。
【０１９６】
次に、Ｓ１０７にて、次の「同時送信用の通信方式」の選択を受けつけたか否かを判定する。ユーザーから次の「同時送信用の通信方式」の選択を受けつけない場合（Ｓ１０７にてＮｏ）、例えば、ユーザーから「選択しない」という指示を受けつけた場合、「同時送信の通信方式の選択を完了」する（Ｓ１０８）。
【０１９７】
そして、端末は、同時送信に用いる複数の通信方式の組合せの情報（グループ情報）を「グループ＃Ｘ」として記憶しておく。そして、端末は、グループ＃Ｘを呼び出し、グループ＃Ｘを構成する複数の通信方式を用いて、データを送信することになる。これにより、端末は、ＳＡＲの合計値が規定値以下であるという条件を実現しながら、複数の変調方式を用いて、複数の変調信号を同時送信することができ、データの伝送速度を向上させることができるという効果を得ることができる。
【０１９８】
次に、無線通信方式とＳＡＲとの対応関係の第５の例について説明する。図１４は、無線通信方式とＳＡＲとの対応関係の第５の例を示す表である。図１４の表に基づいて、図１３のグループ設定を行う場合の例を説明する。なお、図１４と図１２の異なる点は、ＭＩＭＯ方式、または、ＭＩＳＯ方式の「有」と「無」により、選択番号、ＳＡＲを分離している点である。
【０１９９】
ここで、ＭＩＭＯ方式、または、ＭＩＳＯ方式の「有」とは、ＭＩＭＯ方式、または、ＭＩＳＯ方式で送信する（つまり、複数のアンテナを用いて、変調信号を送信する）ことを意味し、ＭＩＭＯ方式、または、ＭＩＳＯ方式の「無」とは、ＭＩＭＯ方式で送信しない、または、ＭＩＳＯ方式で送信しない（つまり、シングルアンテナを用いて、変調信号を送信する）ことを意味している。
【０２００】
図１４の例では、選択番号＃１は、「第１の無線通信方式」であり、通信方式の名称が「無線ＬＡＮ」、使用する周波数が２．４ＧＨｚであり、ＭＩＭＯ方式、または、ＭＩＳＯ方式の「有」であり、選択番号＃１の方法で端末が変調信号を送信した場合、ＳＡＲ１がａ１１であり、ＳＡＲ２がｂ１１であることを意味している。
【０２０１】
ＳＡＲの種類として複数あると記載し、図１４では、２種類の場合を記載しているが、例えば、手に装着したときのＳＡＲがＳＡＲ１であり、頭部に近づけたときのＳＡＲがＳＡＲ２という場合というように、測定対象や測定方法が異なる場合に、複数のＳＡＲ測定が必要となる。
【０２０２】
なお、図１４ではＳＡＲが２種類の例で説明しているが、２種類以上存在してもよく、この場合、図６から図１４に拡張したように、各選択番号で、複数種類のＳＡＲの値が定義されることになる。
【０２０３】
選択番号＃２は、「第１の無線通信方式」であり、通信方式の名称が「無線ＬＡＮ」、使用する周波数が２．４ＧＨｚであり、ＭＩＭＯ方式、または、ＭＩＳＯ方式の「無」であり、選択番号＃２の方法で端末が変調信号を送信した場合、ＳＡＲ１がａ１２であり、ＳＡＲ２がｂ１２であるということを意味している。
【０２０４】
選択番号＃３は、「第１の無線通信方式」であり、通信方式の名称が「無線ＬＡＮ」、使用する周波数が５ＧＨｚであり、ＭＩＭＯ方式、または、ＭＩＳＯ方式の「有」であり、選択番号＃３の方法で端末が変調信号を送信した場合、ＳＡＲ１がａ１３であり、ＳＡＲ２がｂ１３であるということを意味している。
【０２０５】
選択番号＃４は、「第１の無線通信方式」であり、通信方式の名称が「無線ＬＡＮ」、使用する周波数が５ＧＨｚであり、ＭＩＭＯ方式、または、ＭＩＳＯ方式の「無」であり、選択番号＃４の方法で端末が変調信号を送信した場合、ＳＡＲ１がａ１４であり、ＳＡＲ２がｂ１４であるということを意味している。
【０２０６】
選択番号＃５は、「第２の無線通信方式」であり、通信方式の名称が「Ｂｌｕｅｔｏｏｔｈ（登録商標）」、使用する周波数が２．４ＧＨｚであり、選択番号＃５の方法で端末が変調信号を送信した場合、ＳＡＲ１がａ２１であり、ＳＡＲ２がｂ２１であるということを意味している。
【０２０７】
選択番号＃６は、「第３の無線通信方式」であり、通信方式の名称が「第三世代携帯電話」、使用する周波数が８００ＭＨｚであり、選択番号＃６の方法で端末が変調信号を送信した場合、ＳＡＲ１がａ３１であり、ＳＡＲ２がｂ３１であることを意味している。
【０２０８】
選択番号＃７は、「第３の無線通信方式」であり、通信方式の名称が「第三世代携帯電話」、使用する周波数が２ＧＨｚであり、選択番号＃７の方法で端末が変調信号を送信した場合、ＳＡＲ１がａ３２であり、ＳＡＲ２がｂ３２であることを意味している。
【０２０９】
選択番号＃８は、「第４の無線通信方式」であり、通信方式の名称が「第四世代携帯電話」、使用する周波数が８００ＭＨｚであり、選択番号＃８の方法で端末が変調信号を送信した場合、ＳＡＲ１がａ４１であり、ＳＡＲ２がｂ４１であることを意味している。
【０２１０】
選択番号＃９は、「第４の無線通信方式」であり、通信方式の名称が「第四世代携帯電話」、使用する周波数が２ＧＨｚであり、選択番号＃９の方法で端末が変調信号を送信した場合、ＳＡＲ１がａ４２であり、ＳＡＲ２がｂ４２であることを意味している。
【０２１１】
図１４の表に基づいて、図１３のグループ設定を行う場合の例を説明する。
【０２１２】
例えば、端末が「グループ＃Ｙ」の設定を行うものとする。このとき、図１３、図１４に基づいた「グループ＃Ｙ」の設定方法について説明する。なお、この説明において、図１３の「グループ＃Ｘ」は、「グループ＃Ｙ」に置き換えるものとする。
【０２１３】
Ｓ１０１にて、通信方式の選択動作を開始する操作を受付の後、Ｓ１０２にて、端末が、例えば、図１４の選択番号「＃６」の選択を受けつける。次に、Ｓ２０３にて、選択番号「＃６」を選択したときのそれぞれのＳＡＲを計算する。ＳＡＲ１についてはａ３１であり、ＳＡＲ２についてはｂ３１である。Ｓ２０４にて、これらの値とそれぞれに対応する規定値とを比較する。ここで、ＳＡＲ１及びＳＡＲ２の両方が規定値以下である場合（Ｓ２０５にてＹｅｓ）、Ｓ１０６にて、「グループ＃Ｙ」に選択番号「＃６」を追加する。つまり、「ｊは１以上Ｍ以下（Ｍは２以上の整数である）であり、これを満たす、すべてのｊで、ＳＡＲｊはそれぞれに対応して定められた規定値以下である」についての確認を行うことになる。
【０２１４】
次に、Ｓ１０７にて、次の「同時送信用の通信方式」の選択を受けつけたか否かを判定する。例えば、図１４の選択番号「＃９」の選択を受けつけるものとする（Ｓ１０７にてＹｅｓ）。この場合、Ｓ２０３に戻り、選択番号「＃９」をグループ＃Ｙに追加したときのそれぞれのＳＡＲを計算する。ａ４２が選択番号「＃９」のＳＡＲ１の値であるため（図１４参照）、ＳＡＲ１の合計値はａ３１＋ａ４２となる。また、ｂ４２が選択番号「＃９」のＳＡＲ２の値であるため（図１４参照）、ＳＡＲ２の合計値はｂ３１＋ｂ４２となる。Ｓ２０４にて、これらの値とそれぞれに対応する規定値とを比較する。ここで、「ＳＡＲ１の合計値が、ＳＡＲ１に対応する規定値以下であり、かつ、ＳＡＲ２の合計値が、ＳＡＲ２に対応する規定値以下である」という条件を満たさない場合（Ｓ２０５にてＮｏ）、「グループ＃Ｙ」に、選択番号「＃９」を追加しない。
【０２１５】
次に、Ｓ１０７にて、次の「同時送信用の通信方式」の選択を受けつけたか否かを判定する。ユーザーが選択を行った場合、Ｓ２０３に再び戻ることになる。
【０２１６】
ここで、図１２の選択番号「＃１」の選択を受けつけるものとする（Ｓ１０７にてＹｅｓ）。Ｓ２０３にて、選択番号「＃１」をグループ＃Ｙに追加したときのそれぞれのＳＡＲを計算する。ａ１１が選択番号「＃１」のＳＡＲ１の値であるため（図１４参照）、ＳＡＲ１の合計値はａ３１＋ａ１１となる。また、ｂ１１が選択番号「＃１」のＳＡＲ２の値であるため（図１４参照）、ＳＡＲ２の合計値はｂ３１＋ｂ１１となる。Ｓ２０４にて、これらの値とそれぞれに対応する規定値とを比較する。ここで、「ＳＡＲ１の合計値が、ＳＡＲ１に対応する規定値以下であり、かつ、ＳＡＲ２の合計値が、ＳＡＲ２に対応する規定値以下である」という条件を満たす場合（Ｓ２０５にてＹｅｓ）、Ｓ１０６にて、「グループ＃Ｙ」に、選択番号「＃１」を追加する。
【０２１７】
次に、Ｓ１０７にて、次の「同時送信用の通信方式」の選択を受けつけたか否かを判定する。ユーザーから次の「同時送信用の通信方式」の選択を受けつけない場合（Ｓ１０７にてＮｏ）、例えば、ユーザーから「選択しない」という指示を受けつけた場合、「同時送信の通信方式の選択を完了」する（Ｓ１０８）。
【０２１８】
そして、端末は、同時送信に用いられる複数の通信方式の組合せの情報（グループ情報）を「グループ＃Ｙ」として記憶しておく。そして、端末は、グループ＃Ｙを呼び出し、グループ＃Ｙを構成する複数の通信方式を用いて、データを送信することになる。これにより、ＳＡＲの規定値以下を実現しながら、変調信号を同時送信することができ、データの伝送速度を向上させることができるという効果を得ることができる。
【０２１９】
次に、無線通信方式とＳＡＲとの対応関係の第６の例について説明する。図１５は、無線通信方式とＳＡＲとの対応関係の第６の例を示す表である。図１５の表に基づいて、図１３のグループ設定を行う場合の例を説明する。なお、図１２と図１５の異なる点は、ＭＩＭＯ方式、または、ＭＩＳＯ方式の「有」と「無」、および、「使用する周波数帯域」により、選択番号、ＳＡＲを分離している点である。
【０２２０】
ここで、ＭＩＭＯ方式、または、ＭＩＳＯ方式の「有」とは、ＭＩＭＯ方式、または、ＭＩＳＯ方式で送信する（つまり、複数のアンテナを用いて、変調信号を送信する）ことを意味し、ＭＩＭＯ方式、または、ＭＩＳＯ方式の「無」とは、ＭＩＭＯ方式で送信しない、または、ＭＩＳＯ方式で送信しない（つまり、シングルアンテナを用いて、変調信号を送信する）ことを意味している。
【０２２１】
図１５の例では、選択番号＃１は、「第１の無線通信方式」であり、通信方式の名称が「無線ＬＡＮ」、使用する周波数が２．４ＧＨｚであり、ＭＩＭＯ方式、または、ＭＩＳＯ方式の「有」であり、使用する周波数帯域は２０ＭＨｚであり、選択番号＃１の方法で端末が変調信号を送信した場合、ＳＡＲ１がａ１１であり、ＳＡＲ２がｂ１１であるということを意味している。
【０２２２】
ＳＡＲの種類として複数あると記載し、図１５では、２種類の場合を記載しているが、例えば、手に装着したときのＳＡＲがＳＡＲ１であり、頭部に近づけたときのＳＡＲがＳＡＲ２という場合というように、測定対象や測定方法が異なる場合に、複数のＳＡＲ測定が必要となる。
【０２２３】
なお、図１５ではＳＡＲが２種類の例で説明しているが、２種類以上存在してもよく、この場合、図７から図１５に拡張したように、各選択番号で、複数種類のＳＡＲの値が定義されることになる。
【０２２４】
選択番号＃２は、「第１の無線通信方式」であり、通信方式の名称が「無線ＬＡＮ」、使用する周波数が２．４ＧＨｚであり、ＭＩＭＯ方式、または、ＭＩＳＯ方式の「有」であり、使用する周波数帯域は２０ＭＨｚまたは４０ＭＨｚであり、選択番号＃２の方法で端末が変調信号を送信した場合、ＳＡＲ１がａ１２であり、ＳＡＲ２がｂ１２であるということを意味している。
【０２２５】
選択番号＃３は、「第１の無線通信方式」であり、通信方式の名称が「無線ＬＡＮ」、使用する周波数が２．４ＧＨｚであり、ＭＩＭＯ方式、または、ＭＩＳＯ方式の「無」であり、使用する周波数帯域は２０ＭＨｚであり、選択番号＃３の方法で端末が変調信号を送信した場合、ＳＡＲ１がａ１３であり、ＳＡＲ２がｂ１３であるということを意味している。
【０２２６】
選択番号＃４は、「第１の無線通信方式」であり、通信方式の名称が「無線ＬＡＮ」、使用する周波数が２．４ＧＨｚであり、ＭＩＭＯ方式、または、ＭＩＳＯ方式の「無」であり、使用する周波数帯域は２０ＭＨｚまたは４０ＭＨｚであり、選択番号＃４の方法で端末が変調信号を送信した場合、ＳＡＲ１がａ１４であり、ＳＡＲ２がｂ１４であるということを意味している。
【０２２７】
選択番号＃５は、「第１の無線通信方式」であり、通信方式の名称が「無線ＬＡＮ」、使用する周波数が５ＧＨｚであり、ＭＩＭＯ方式、または、ＭＩＳＯ方式の「有」であり、使用する周波数帯域は２０ＭＨｚであり、選択番号＃５の方法で端末が変調信号を送信した場合、ＳＡＲ１がａ１５であり、ＳＡＲ２がｂ１５であるということを意味している。
【０２２８】
選択番号＃６は、「第１の無線通信方式」であり、通信方式の名称が「無線ＬＡＮ」、使用する周波数が５ＧＨｚであり、ＭＩＭＯ方式、または、ＭＩＳＯ方式の「有」であり、使用する周波数帯域は２０ＭＨｚまたは４０ＭＨｚであり、選択番号＃６の方法で端末が変調信号を送信した場合、ＳＡＲ１がａ１６であり、ＳＡＲ２がｂ１６であるということを意味している。
【０２２９】
選択番号＃７は、「第１の無線通信方式」であり、通信方式の名称が「無線ＬＡＮ」、使用する周波数が５ＧＨｚであり、ＭＩＭＯ方式、または、ＭＩＳＯ方式の「無」であり、使用する周波数帯域は２０ＭＨｚであり、選択番号＃７の方法で端末が変調信号を送信した場合、ＳＡＲ１がａ１７であり、ＳＡＲ２がｂ１７であるということを意味している。
【０２３０】
選択番号＃８は、「第１の無線通信方式」であり、通信方式の名称が「無線ＬＡＮ」、使用する周波数が５ＧＨｚであり、ＭＩＭＯ方式、または、ＭＩＳＯ方式の「無」であり、使用する周波数帯域は２０ＭＨｚまたは４０ＭＨｚであり、選択番号＃８の方法で端末が変調信号を送信した場合、ＳＡＲ１がａ１８であり、ＳＡＲ２がｂ１８であるということを意味している。
【０２３１】
選択番号＃９は、「第２の無線通信方式」であり、通信方式の名称が「Ｂｌｕｅｔｏｏｔｈ（登録商標）」、使用する周波数が２．４ＧＨｚであり、選択番号＃９の方法で端末が変調信号を送信した場合、ＳＡＲ１がａ２１であり、ＳＡＲ２がｂ２１であるということを意味している。
【０２３２】
選択番号＃１０は、「第３の無線通信方式」であり、通信方式の名称が「第三世代携帯電話」、使用する周波数が８００ＭＨｚであり、選択番号＃１０の方法で端末が変調信号を送信した場合、ＳＡＲ１がａ３１であり、ＳＡＲ２がｂ３１であることを意味している。
【０２３３】
選択番号＃１１は、「第３の無線通信方式」であり、通信方式の名称が「第三世代携帯電話」、使用する周波数が２ＧＨｚであり、選択番号＃１１の方法で端末が変調信号を送信した場合、ＳＡＲ１がａ３２であり、ＳＡＲ２がｂ３２であることを意味している。
【０２３４】
選択番号＃１２は、「第４の無線通信方式」であり、通信方式の名称が「第四世代携帯電話」、使用する周波数が８００ＭＨｚであり、使用する周波数帯域はＸ Ｈｚであり、選択番号＃１２の方法で端末が変調信号を送信した場合、ＳＡＲ１がａ４１であり、ＳＡＲ２がｂ４１であることを意味している。
【０２３５】
選択番号＃１３は、「第４の無線通信方式」であり、通信方式の名称が「第四世代携帯電話」、使用する周波数が８００ＭＨｚであり、使用する周波数帯域はＸ Ｈｚ、または、Ｙ Ｈｚであり、選択番号＃１３の方法で端末が変調信号を送信した場合、ＳＡＲ１がａ４２であり、ＳＡＲ２がｂ４２であることを意味している。
【０２３６】
選択番号＃１４は、「第４の無線通信方式」であり、通信方式の名称が「第四世代携帯電話」、使用する周波数が２ＧＨｚであり、使用する周波数帯域はＸ Ｈｚであり、選択番号＃１４の方法で端末が変調信号を送信した場合、ＳＡＲ１がａ４３であり、ＳＡＲ２がｂ４３であることを意味している。
【０２３７】
選択番号＃１５は、「第４の無線通信方式」であり、通信方式の名称が「第四世代携帯電話」、使用する周波数が２ＧＨｚであり、使用する周波数帯域はＸ Ｈｚ、または、Ｙ Ｈｚであり、選択番号＃１５の方法で端末が変調信号を送信した場合、ＳＡＲ１がａ４４であり、ＳＡＲ２がｂ４４であることを意味している。
【０２３８】
図１５の表に基づいて、図１３のグループ設定を行う場合の例を説明する。
【０２３９】
例えば、端末が「グループ＃Ｚ」の設定を行うものとする。このとき、図１３、図１５に基づいた「グループ＃Ｚ」の設定方法の具体例について説明する。なお、この説明において、図１３の「グループ＃Ｘ」は、「グループ＃Ｚ」に置き換えるものとする。
【０２４０】
Ｓ１０１にて、通信方式の選択動作を開始する操作を受付の後、Ｓ１０２にて、端末が、例えば、図１５の選択番号「＃６」の選択を受けつける。次に、Ｓ２０３にて、選択番号「＃６」を選択したときのそれぞれのＳＡＲを計算する。ＳＡＲ１についてはａ１６であり、ＳＡＲ２についてはｂ１６である。Ｓ２０４にて、これらの値とそれぞれに対応する規定値とを比較する。ここで、ＳＡＲ１及びＳＡＲ２の両方が規定値以下である場合（Ｓ２０５にてＹｅｓ）、Ｓ１０６にて、「グループ＃Ｚ」に選択番号「＃６」を追加する。つまり、「ｊは１以上Ｍ以下（Ｍは２以上の整数である）であり、これを満たす、すべてのｊで、ＳＡＲｊは、それぞれに対応して定められた規定値以下である」かどうかについての確認を行うことになる。
【０２４１】
次に、Ｓ１０７にて、次の「同時送信用の通信方式」の選択を受けつけたか否かを判定する。例えば、図１５の選択番号「＃１５」を選択の選択を受けつけるものとする（Ｓ１０７にてＹｅｓ）。この場合、Ｓ２０３に戻り、選択番号「＃１５」をグループ＃Ｚに追加したときのそれぞれのＳＡＲを計算する。ａ４４が選択番号「＃１５」のＳＡＲ１の値であるため（図１５参照）、ＳＡＲ１の合計値はａ１６＋ａ４４となる。また、ｂ４４が選択番号「＃１５」のＳＡＲ２の値であるため（図１５参照）、ＳＡＲ２の合計値はｂ１６＋ｂ４４となる。Ｓ２０４にて、これらの値とそれぞれに対応する規定値とを比較する。ここで、「ＳＡＲ１の合計値が、ＳＡＲ１に対応する規定値以下であり、かつ、ＳＡＲ２の合計値が、ＳＡＲ２に対応する規定値以下である」という条件を満たさない場合（Ｓ２０５にてＮｏ）、「グループ＃Ｚ」に、選択番号「＃１５」を追加しない。
【０２４２】
次に、Ｓ１０７にて、次の「同時送信用の通信方式」の選択を受けつけたか否かを判定する。ユーザーが選択を行った場合、Ｓ２０３に再び戻ることになる。
【０２４３】
ここで、図１５の選択番号「＃１０」の選択を受けつけるものとする（Ｓ１０７にてＹｅｓ）。Ｓ２０３にて、選択番号「＃１０」をグループ＃Ｚに追加したときのそれぞれのＳＡＲを計算する。ａ３１が選択番号「＃１０」のＳＡＲ１の値であるため（図１５参照）、ＳＡＲ１の合計値はａ１６＋ａ３１となる。また、ｂ３１が選択番号「＃１０」のＳＡＲ２の値であるため（図１５参照）、ＳＡＲ２の合計値はｂ１６＋ｂ３１となる。Ｓ２０４にて、これらの値とそれぞれに対応する規定値とを比較する。ここで、「ＳＡＲ１の合計値が、ＳＡＲ１に対応する規定値以下であり、かつ、ＳＡＲ２の合計値が、ＳＡＲ２に対応する規定値以下である」という条件を満たす場合（Ｓ２０５にてＹｅｓ）、Ｓ１０６にて、「グループ＃Ｚ」に、選択番号「＃１０」を追加する。
【０２４４】
次に、Ｓ１０７にて、次の「同時送信用の通信方式」の選択を受けつけたか否かを判定する。ユーザーから次の「同時送信用の通信方式」の選択を受けつけない場合（Ｓ１０７にてＮｏ）、例えば、ユーザーから「選択しない」という指示を受けつけた場合、「同時送信の通信方式の選択を完了」する（Ｓ１０８）。
【０２４５】
そして、端末は、同時送信に用いる複数の通信方式の組合せの情報（グループ情報）を「グループ＃Ｚ」として記憶しておく。そして、端末は、グループ＃Ｚを呼び出し、グループ＃Ｚを構成する複数の通信方式を用いて、データを送信することになる。これにより、ＳＡＲの規定値以下を実現しながら、変調信号を同時送信することができ、データの伝送速度を向上させることができるという効果を得ることができる。
【０２４６】
以上のように、本実施の形態では、ユーザーが同時送信する通信方式を選択し、ＳＡＲが規定値以下となる、同時送信に用いられる複数の通信方式で構成されるグループを形成し、そのグループの情報に基づいて、変調信号を同時送信することで、ＳＡＲの規定値以下を実現しながら、データの伝送速度を向上させることができるという効果を得ることができる。
【０２４７】
なお、本実施の形態では、通信方式として、無線ＬＡＮ、Ｂｌｕｅｔｏｏｔｈ（登録商標）、第三世代携帯電話、第四世代携帯電話を例に説明したがこれに限ったものではなく、他の無線通信方式が、同時送信する通信方式の一つに選ばれても、本実施の形態は、同様に実施することができる。また、選択番号の分類方法として、図１２、図１４、図１５を用いて説明しているが、これに限ったものではなく、他の分類方法を用いて、選択番号を設定し、本実施の形態で説明したグループの設定を行っても同様に実施することができる。
【０２４８】
そして、端末の画面において、図１０に示すような確認ができてもよい。図１０では、通信方式と（予想）伝送速度の関係が示されている。ただし、伝送速度については、上でも述べたように、端末の受信時のデータ伝送速度であってもよいし、端末の送信時のデータの伝送速度であってもよい。また、表示は、端末の送信時のデータの伝送速度と端末の受信時のデータの伝送速度の両者が表示されていてもよい。当然であるが、一方が表示されていてもよい。
【０２４９】
図１０では、端末が通信方式として「無線ＬＡＮ」を用いた場合、（予想）データの伝送速度は１００Ｍｂｐｓであるという表示を行っている。同様に、端末が通信方式として「第三世代携帯電話」を用いた場合、（予想）データの伝送速度は５Ｍｂｐｓであるという表示を行っている。そして、端末が通信方式として「第四世代携帯電話」を用いた場合、（予想）データの伝送速度は５０Ｍｂｐｓであるという表示を行っている。
【０２５０】
端末が本実施の形態で説明した設定方法を用いて設定した「グループ＃Ｘ」に含まれる複数の通信方式を用いた場合、（予想）データの伝送速度は２００Ｍｂｐｓであるという表示を行っている。
【０２５１】
端末が本実施の形態で説明した設定方法を用いて設定した「グループ＃Ｙ」に含まれる複数の通信方式を用いた場合、（予想）データの伝送速度は３００Ｍｂｐｓであるという表示を行っている。
【０２５２】
このような表示を端末が行うと、ユーザーは、例えば、要求データの伝送速度やバッテリーの残量を考慮して、好適な通信方式を選択することができるという利点をもつことになり、本実施の形態で説明した設定方法を有効に活用することができるという効果を得ることができる。
【０２５３】
また、本実施の形態で説明した端末で行うグループ化については、ユーザーが端末を操作することで、グループ化を行ってもよいし、ユーザーが他の機器を介して、実施の形態で説明したグループ化の端末の設定を行ってもよい。この点について、図１１を用いて説明する。
【０２５４】
図１１において、１１０１は端末である（例えば、図３で示したような構成をとる）。そして、例えば、端末１１０１と第１機器１１０２は、有線、または、無線で接続されており、第１機器１１０２を操作することで、本実施の形態で説明したグループ化を実施してもよい。このとき、第１機器１１０２がコントローラーとなり、端末１１０１で、グループ化の設定を行ってもよいし、第１機器１１０２で、グループ化の設定を行い、グループ化を行った結果の情報、または、これに関連するプログラムを端末１１０１に送信し、グループ化を実現してもよい。
【０２５５】
また、図１１において、端末１１０１と第２機器１１０３は、ネットワークを介し、有線、または、無線で接続されており、第２機器１１０３を操作することで、本実施の形態で説明したグループ化を実施してもよい。このとき、第２機器１１０３がコントローラーとなり、端末１１０１でグループ化の設定を行ってもよいし、第２機器１１０３で、グループ化の設定を行う、グループ化を行った結果の情報、または、これに関連するプログラムを端末１１０１に送信し、グループ化を実現してもよい。
【０２５６】
なお、本実施の形態では、端末が生成し、送信するグループ情報は、同時送信に用いる複数の通信方式からなるグループの情報であってもよいし、同時送信に用いる複数の通信局の組合せを示す情報であってもよい。
【０２５７】
（実施の形態３）
本実施の形態では、例えば、６ＧＨｚ以上の高い周波数を用いる無線通信方式が存在していた場合における、実施の形態１で説明したグループ化の変形例について説明する。
【０２５８】
端末が複数の無線通信方式の送受信ができるときの通信形態の例は、図１、図２に示したとおりであり、実施の形態１で説明したので、説明は省略する。また、端末の構成については、図３に示したとおりであり、実施の形態１で説明したので、説明は省略する。
【０２５９】
図１６は、無線通信方式とＳＡＲとの対応関係の第７の例を示す表であり、例えば、例３の送信制御部３０５が、図１３の制御を行うのに必要な情報に関する表を示している。
【０２６０】
図１６の例では、選択番号＃１は、「第１の無線通信方式」であり、通信方式の名称が「無線ＬＡＮ」、使用する周波数が２．４ＧＨｚであり、選択番号＃１の方法で端末が変調信号を送信した場合、ＳＡＲ１がａ１１であり、ＳＡＲ２がｂ１１であることを意味している。
【０２６１】
各通信方式について複数のＳＡＲの値がある場合の一例として、図１６では、ＳＡＲ１とＳＡＲ２の２種類のＳＡＲがある場合を記載しているが、例えば、手に装着したときのＳＡＲがＳＡＲ１であり、頭部に近づけたときのＳＡＲがＳＡＲ２という場合というように、測定対象や測定方法が異なる場合に、複数のＳＡＲ測定が必要となる。なお、図１２のＳＡＲ１およびＳＡＲ２に対して、それぞれ、第１の規定値および第２の規定値が存在する。
【０２６２】
なお、図１６では２種類のＳＡＲがある場合を例として説明しているが、２種類以上存在してもよく、この場合、各選択番号で、複数種類のＳＡＲの値が定義されることになる。また、複数種類のＳＡＲの値に対して、それぞれ、規定値が存在する。
【０２６３】
選択番号＃２は、「第１の無線通信方式」であり、通信方式の名称が「無線ＬＡＮ」、使用する周波数が５ＧＨｚであり、選択番号＃２の方法で端末が変調信号を送信した場合、ＳＡＲ１がａ１２であり、ＳＡＲ２がｂ１２であるということを意味している。
【０２６４】
選択番号＃３は、「第２の無線通信方式」であり、通信方式の名称が「Ｂｌｕｅｔｏｏｔｈ（登録商標）」、使用する周波数が２．４ＧＨｚであり、選択番号＃３の方法で端末が変調信号を送信した場合、ＳＡＲ１がａ２１であり、ＳＡＲ２がｂ２１であるということを意味している。
【０２６５】
選択番号＃４は、「第３の無線通信方式」であり、通信方式の名称が「第三世代携帯電話」、使用する周波数が８００ＭＨｚであり、選択番号＃４の方法で端末が変調信号を送信した場合、ＳＡＲ１がａ３１であり、ＳＡＲ２がｂ３１であることを意味している。
【０２６６】
選択番号＃５は、「第３の無線通信方式」であり、通信方式の名称が「第三世代携帯電話」、使用する周波数が２ＧＨｚであり、選択番号＃５の方法で端末が変調信号を送信した場合、ＳＡＲ１がａ３２であり、ＳＡＲ２がｂ３２であることを意味している。
【０２６７】
選択番号＃６は、「第４の無線通信方式」であり、通信方式の名称が「第四世代携帯電話」、使用する周波数が８００ＭＨｚであり、選択番号＃６の方法で端末が変調信号を送信した場合、ＳＡＲ１がａ４１であり、ＳＡＲ２がｂ４１であることを意味している。
【０２６８】
選択番号＃７は、「第４の無線通信方式」であり、通信方式の名称が「第四世代携帯電話」、使用する周波数が２ＧＨｚであり、選択番号＃７の方法で端末が変調信号を送信した場合、ＳＡＲ１がａ４２であり、ＳＡＲ２がｂ４２であることを意味している。
【０２６９】
選択番号＃８は、「第５の無線通信方式」であり、通信方式の名称が「携帯電話」、使用する周波数が１０ＧＨｚであり、選択番号＃８の方法で端末が変調信号を送信した場合、ＳＡＲ１がａ５１であり、ＳＡＲ２がｂ５１であることを意味している。
【０２７０】
選択番号＃９は、「第５の無線通信方式」であり、通信方式の名称が「携帯電話」、使用する周波数が１５ＧＨｚであり、選択番号＃９の方法で端末が変調信号を送信した場合、ＳＡＲ１がａ５２であり、ＳＡＲ２がｂ５２であることを意味している。
【０２７１】
選択番号＃１０は、「第６の無線通信方式」であり、通信方式の名称が「高速無線ＬＡＮ」、使用する周波数が２０ＧＨｚであり、選択番号＃１０の方法で端末が変調信号を送信した場合、ＳＡＲ１がａ６１であり、ＳＡＲ２がｂ６１であることを意味している。
【０２７２】
選択番号＃１１は、「第６の無線通信方式」であり、通信方式の名称が「高速無線ＬＡＮ」、使用する周波数が６０ＧＨｚであり、選択番号＃１１の方法で端末が変調信号を送信した場合、ＳＡＲ１がａ６２であり、ＳＡＲ２がｂ６２であることを意味している。
【０２７３】
図１３は、図３の送信制御部３０５が行う動作の一つである制御のフローチャートの一例を示している。なお、図１３の動作については、実施の形態２で説明したので説明は省略する。
【０２７４】
図１６の表に基づいて、図１３のグループ設定を行う場合の例を説明する。
【０２７５】
例えば、端末が「グループ＃Ｘ」の設定を行うものとする。このとき、図１３、図１６に基づいた「グループ＃Ｘ」の設定方法について説明する。
【０２７６】
Ｓ１０１にて、通信方式の選択動作を開始する操作を受付の後、Ｓ１０２にて、端末が、（例えば、図１６の選択番号「＃６」の選択を受けつける。次に、Ｓ２０３にて、選択番号「＃６」を選択したときのそれぞれのＳＡＲを計算する。ＳＡＲ１についてはａ４１であり、ＳＡＲ２についてはｂ４１である。Ｓ２０４にて、これらの値とそれぞれに対応する規定値とを比較する。ここで、ＳＡＲ１及びＳＡＲ２の両方が規定値以下である場合（Ｓ２０５にてＹｅｓ）、Ｓ１０６にて、「グループ＃Ｘ」に選択番号「＃６」を追加する。つまり、「ｊは１以上Ｍ以下（Ｍは２以上の整数である）であり、これを満たす、すべてのｊで、ＳＡＲｊはそれぞれに対応して定められた規定値以下である」についての確認を行うことになる。
【０２７７】
次に、Ｓ１０７にて、次の「同時送信用の通信方式」の選択を受けつけたか否かを判定する。例えば、、図１６の選択番号「＃５」の選択を受けつけるものとする（Ｓ１０７にてＹｅｓ）。この場合、Ｓ２０３に戻り、選択番号「＃５」をグループ＃Ｘに追加したときのそれぞれＳＡＲを計算する。ａ３２が選択番号「＃５」のＳＡＲ１の値であるため（図１６参照）、ＳＡＲ１の合計値はａ４１＋ａ３２となる。また、ｂ３２が選択番号「＃５」のＳＡＲ２の値であるため（図１６参照）、ＳＡＲ２の合計値はｂ４１＋ｂ３２となる。Ｓ２０４にて、これらの値とそれぞれに対応する規定値とを比較する。ここで、「ＳＡＲ１の合計値が、ＳＡＲ１に対応する規定値以下であり、かつ、ＳＡＲ２の合計値が、ＳＡＲ２に対応する規定値以下である」という条件を満たさない場合（Ｓ２０５にてＮｏ）、「グループ＃Ｘ」に、選択番号「＃５」を追加しない。
【０２７８】
次に、Ｓ１０７にて、次の「同時送信用の通信方式」の選択を受けつけたか否かを判定する。ユーザーが選択を行った場合、Ｓ２０３に再び戻ることになる。
【０２７９】
ここで、図１６の選択番号「＃１１」の選択を受けつけるものとする（Ｓ１０７にてＹｅｓ）。Ｓ２０３にて、選択番号「＃１１」をグループ＃Ｘに追加したときのそれぞれのＳＡＲを計算する。ａ６２が選択番号「＃１１」のＳＡＲ１の値であるため（図１６参照）、ＳＡＲ１の合計値はａ４１＋ａ６２となる。また、ｂ６２が選択番号「＃１１」のＳＡＲ２の値であるため（図１６参照）、ＳＡＲ２の合計値はｂ４１＋ｂ６２となる。Ｓ２０４にて、これらの値とそれぞれに対応する規定値とを比較する。ここで、「ＳＡＲ１の合計値が、ＳＡＲ１に対応する規定値以下であり、かつ、ＳＡＲ２の合計値が、ＳＡＲ２に対応する規定値以下である」という条件を満たす場合（Ｓ２０５にてＹｅｓ）、Ｓ１０６にて、「グループ＃Ｘ」に、選択番号「＃１１」を追加する。
【０２８０】
次に、Ｓ１０７にて、次の「同時送信用の通信方式」の選択を受けつけたか否かを判定する。ユーザーから次の「同時送信用の通信方式」の選択を受けつけない場合（Ｓ１０７にてＮｏ）、例えば、ユーザーから「選択しない」という指示を受けつけた場合、「同時送信の通信方式の選択を完了」する（Ｓ１０８）。
【０２８１】
そして、端末は、同時送信に用いられる複数の通信方式の組合せの情報（グループ情報）を「グループ＃Ｘ」として記憶しておく。そして、端末は、グループ＃Ｘを呼び出し、グループ＃Ｘを構成する複数の通信方式を用いて、データを送信することになる。これにより、ＳＡＲの規定値以下を実現しながら、変調信号を同時送信することができ、データの伝送速度を向上させることができるという効果を得ることができる。
【０２８２】
次に、無線通信方式とＳＡＲとの対応関係の第８の例について説明する。図１７は、無線通信方式とＳＡＲとの対応関係の第８の例を示す表である。図１７の表に基づいて、図１３のグループ設定を行う場合の例を説明する。図１７において、ＳＡＲ１およびＳＡＲ２が、例えば、通信方式の使用する周波数が６ＧＨｚ以下の場合のＳＡＲに関するもので、例えば、手に装着したときのＳＡＲがＳＡＲ１であり、頭部に近づけたときのＳＡＲがＳＡＲ２であるものとする。
【０２８３】
そして、ＳＡＲ３およびＳＡＲ４が、例えば、通信方式の使用する周波数が６ＧＨｚ以上の場合のＳＡＲに関するもので、例えば、手に装着したときのＳＡＲがＳＡＲ３であり、頭部に近づけたときのＳＡＲがＳＡＲ４であるものとする。
【０２８４】
つまり、図１７の例では、通信方式の使用する周波数が６ＧＨｚ以下の場合、ＳＡＲ１およびＳＡＲ２が値として存在し、通信方式の使用する周波数が６ＧＨｚ以上の場合、ＳＡＲ３およびＳＡＲ４が値として存在する。また、図１７のＳＡＲ１〜ＳＡＲ４に対して、それぞれ規定値が存在する。なお、図１７ではＳＡＲが４種類の例で説明しているが、４種類に限ったものではない。
【０２８５】
つまり、通信方式が使用する周波数によって、ＳＡＲの規制方法が異なる場合の例を図１７では説明している。図１７の例では、通信方式の使用する周波数が６ＧＨｚ以下のときにＳＡＲ１とＳＡＲ２に関する規制が行われ、通信方式の使用する周波数が６ＧＨｚ以上のときにＳＡＲ３とＳＡＲ４に関する規制が行われるものとする。ただし、図１７のような分類はあくまでも例であり、通信方式の使用する周波数による分類方法は、図１７の方法に限ったものではない。
【０２８６】
選択番号＃１は、「第１の無線通信方式」であり、通信方式の名称が「無線ＬＡＮ」、使用する周波数が２．４ＧＨｚであり、選択番号＃１の方法で端末が変調信号を送信した場合、ＳＡＲ１がａ１１であり、ＳＡＲ２がｂ１１であることを意味している。また、使用する周波数が２．４ＧＨｚであるので、ＳＡＲ３およびＳＡＲ４は値として存在しないことを意味している。
【０２８７】
選択番号＃２は、「第１の無線通信方式」であり、通信方式の名称が「無線ＬＡＮ」、使用する周波数が５ＧＨｚであり、選択番号＃２の方法で端末が変調信号を送信した場合、ＳＡＲ１がａ１２であり、ＳＡＲ２がｂ１２であることを意味している。また、使用する周波数が５ＧＨｚであるので、ＳＡＲ３およびＳＡＲ４は値として存在しないことを意味している。
【０２８８】
選択番号＃３は、「第２の無線通信方式」であり、通信方式の名称が「Ｂｌｕｅｔｏｏｔｈ（登録商標）」、使用する周波数が２．４ＧＨｚであり、選択番号＃３の方法で端末が変調信号を送信した場合、ＳＡＲ１がａ２１であり、ＳＡＲ２がｂ２１であることを意味している。また、使用する周波数が２．４ＧＨｚであるので、ＳＡＲ３およびＳＡＲ４は値として存在しないことを意味している。
【０２８９】
選択番号＃４は、「第３の無線通信方式」であり、通信方式の名称が「第三世代携帯電話」、使用する周波数が８００ＭＨｚであり、選択番号＃４の方法で端末が変調信号を送信した場合、ＳＡＲ１がａ３１であり、ＳＡＲ２がｂ３１であることを意味している。また、使用する周波数が８００ＭＨｚであるので、ＳＡＲ３およびＳＡＲ４は値として存在しないことを意味している。
【０２９０】
選択番号＃５は、「第３の無線通信方式」であり、通信方式の名称が「第三世代携帯電話」、使用する周波数が２ＧＨｚであり、選択番号＃５の方法で端末が変調信号を送信した場合、ＳＡＲ１がａ３２であり、ＳＡＲ２がｂ３２であることを意味している。また、使用する周波数が２ＧＨｚであるので、ＳＡＲ３およびＳＡＲ４は値として存在しないことを意味している。
【０２９１】
選択番号＃６は、「第４の無線通信方式」であり、通信方式の名称が「第四世代携帯電話」、使用する周波数が８００ＭＨｚであり、選択番号＃６の方法で端末が変調信号を送信した場合、ＳＡＲ１がａ４１であり、ＳＡＲ２がｂ４１であることを意味している。また、使用する周波数が８００ＭＨｚであるので、ＳＡＲ３およびＳＡＲ４は値として存在しないことを意味している。
【０２９２】
選択番号＃７は、「第４の無線通信方式」であり、通信方式の名称が「第四世代携帯電話」、使用する周波数が２ＧＨｚであり、選択番号＃７の方法で端末が変調信号を送信した場合、ＳＡＲ１がａ４２であり、ＳＡＲ２がｂ４２であることを意味している。また、使用する周波数が２ＧＨｚであるので、ＳＡＲ３およびＳＡＲ４は値として存在しないことを意味している。
【０２９３】
選択番号＃８は、「第５の無線通信方式」であり、通信方式の名称が「携帯電話」、使用する周波数が１０ＧＨｚであり、選択番号＃８の方法で端末が変調信号を送信した場合、ＳＡＲ３がｃ５１であり、ＳＡＲ４がｄ５１であることを意味している。また、使用する周波数が１０ＧＨｚであるので、ＳＡＲ１およびＳＡＲ２は値として存在しないことを意味している。
【０２９４】
選択番号＃９は、「第５の無線通信方式」であり、通信方式の名称が「携帯電話」、使用する周波数が１５ＧＨｚであり、選択番号＃８の方法で端末が変調信号を送信した場合、ＳＡＲ３がｃ５２であり、ＳＡＲ４がｄ５２であることを意味している。また、使用する周波数が１５ＧＨｚであるので、ＳＡＲ１およびＳＡＲ２は値として存在しないことを意味している。
【０２９５】
選択番号＃１０は、「第６の無線通信方式」であり、通信方式の名称が「高速無線ＬＡＮ」、使用する周波数が２０ＧＨｚであり、選択番号＃１０の方法で端末が変調信号を送信した場合、ＳＡＲ３がｃ６１であり、ＳＡＲ４がｄ６１であることを意味している。また、使用する周波数が２０ＧＨｚであるので、ＳＡＲ１およびＳＡＲ２は値として存在しないことを意味している。
【０２９６】
選択番号＃１１は、「第６の無線通信方式」であり、通信方式の名称が「高速無線ＬＡＮ」、使用する周波数が６０ＧＨｚであり、選択番号＃１１の方法で端末が変調信号を送信した場合、ＳＡＲ３がｃ６２であり、ＳＡＲ４がｄ６２であることを意味している。また、使用する周波数が６０ＧＨｚであるので、ＳＡＲ１およびＳＡＲ２は値として存在しないことを意味している。
【０２９７】
図１３は、図３の送信制御部３０５が行う動作の一つである制御のフローチャートの一例を示している。なお、図１３の動作については、実施の形態２で説明したので説明は省略する。
【０２９８】
図１７の表に基づいて、図１３のグループ設定を行う場合の例を説明する。
【０２９９】
例えば、端末が「グループ＃Ｘ」の設定を行うものとする。このとき、図１３、図１７に基づいた「グループ＃Ｘ」の設定方法について説明する。
【０３００】
Ｓ１０１にて、通信方式の選択動作を開始する操作を受付の後、Ｓ１０２にて、端末が、例えば、図１７の選択番号「＃６」の選択を受けつける。次に、Ｓ２０３にて、選択番号「＃６」を選択したときのそれぞれのＳＡＲを計算する。ＳＡＲ１についてはａ４１であり、ＳＡＲ２についてはｂ４１である。Ｓ２０４にて、これらの値とそれぞれに対応する規定値とを比較する。ＳＡＲ１について規定値以下であり、かつ、ＳＡＲ２について規定値以下であるものとする。そして、ＳＡＲ３の値、および、ＳＡＲ４の値は存在していないので、ＳＡＲ３に関する規定値の評価は対象外となり、ＳＡＲ４に関する規定値の評価も対象外となる。したがって、ＳＡＲ１及びＳＡＲ２の両方が規定値以下である場合（Ｓ２０５にてＹｅｓ）、Ｓ１０６にて、「グループ＃Ｘ」に選択番号「＃６」を追加する。つまり、「ｊは１以上Ｍ以下（Ｍは２以上の整数である）であり、これを満たす、すべてのｊで、ＳＡＲｊはそれぞれに対応して定められた規定値以下である」についての確認を行うことになる。
【０３０１】
次に、Ｓ１０７にて、次の「同時送信用の通信方式」の選択を受けつけたか否かを判定する。例えば、図１７の選択番号「＃５」の選択を受けつけるものとする（Ｓ１０７にてＹｅｓ）。この場合、Ｓ２０３に戻り、選択番号「＃５」をグループ＃Ｘに追加したときのそれぞれＳＡＲを計算する。ａ３２が選択番号「＃５」のＳＡＲ１の値であるため（図１７参照）、ＳＡＲ１の合計値はａ４１＋ａ３２となる。また、ｂ３２が選択番号「＃５」のＳＡＲ２の値であるため（図１７参照）、ＳＡＲ２の合計値はｂ４１＋ｂ３２となる。Ｓ２０４にて、これらの値とそれぞれに対応する規定値とを比較する。ここで、「ＳＡＲ１の合計値が、ＳＡＲ１に対応する規定値以下であり、かつ、ＳＡＲ２の合計値が、ＳＡＲ２に対応する規定値以下である」という条件を満たさない場合（Ｓ２０５にてＮｏ）、「グループ＃Ｘ」に、選択番号「＃５」を追加しない。なお、ＳＡＲ３の値、および、ＳＡＲ４の値は存在していないので、ＳＡＲ３に関する規定値の評価は対象外となり、ＳＡＲ４に関する規定値の評価も対象外となる。
【０３０２】
次に、Ｓ１０７にて、次の「同時送信用の通信方式」の選択を受けつけたか否かを判定する。ユーザーが選択を行った場合、Ｓ２０３に再び戻ることになる。
【０３０３】
ここで、図１７の選択番号「＃１」の選択を受けつけるものとする（Ｓ１０７にてＹｅｓ）。Ｓ２０３にて、選択番号「＃１」をグループ＃Ｘに追加したときのそれぞれのＳＡＲを計算する。ａ１１が選択番号「＃１」のＳＡＲ１の値であるため（図１７参照）、ＳＡＲ１の合計値はａ４１＋ａ１１となる。また、ｂ１１が選択番号「＃１」のＳＡＲ２の値であるため（図１７参照）、ＳＡＲ２の合計値はｂ４１＋ｂ１１となる。Ｓ２０４にて、これらの値とそれぞれに対応する規定値とを比較する。ここで、「ＳＡＲ１の合計値が、ＳＡＲ１に対応する規定値以下であり、かつ、ＳＡＲ２の合計値が、ＳＡＲ２に対応する規定値以下である」という条件を満たす場合（Ｓ２０５にてＹｅｓ）、Ｓ１０６にて、「グループ＃Ｘ」に、選択番号「＃１」を追加する。なお、ＳＡＲ３の値、および、ＳＡＲ４の値は存在していないので、ＳＡＲ３に関する規定値の評価は対象外となり、ＳＡＲ４に関する規定値の評価も対象外となる。
【０３０４】
次に、Ｓ１０７にて、次の「同時送信用の通信方式」の選択を受けつけたか否かを判定する。ユーザーが選択を行った場合、Ｓ２０３に再び戻ることになる。
【０３０５】
ここで、図１７の選択番号「＃８」の選択を受けつけるものとする（Ｓ１０７にてＹｅｓ）。Ｓ２０３にて、選択番号「＃８」をグループ＃Ｘに追加したときのそれぞれのＳＡＲを計算する。ｃ５１が選択番号「＃８」のＳＡＲ３の値であるため（図１７参照）、ＳＡＲ３の合計値はｃ５１となる。また、ｄ５１が選択番号「＃８」のＳＡＲ４の値であるため（図１７参照）、ＳＡＲ４の合計値はｄ５１となる。Ｓ２０４にて、これらの値とそれぞれに対応する規定値とを比較する。ここで、「ＳＡＲ３の合計値が、ＳＡＲ３に対応する規定値以下であり、かつ、ＳＡＲ４の合計値が、ＳＡＲ４に対応する規定値以下である」という条件を満たす場合（Ｓ２０５にてＹｅｓ）、Ｓ１０６にて、「グループ＃Ｘ」に、選択番号「＃８」を追加する。なお、ＳＡＲ１の値、および、ＳＡＲ２の値は存在していないので、ＳＡＲ１に関する規定値の評価は対象外となり、ＳＡＲ２に関する規定値の評価も対象外となる。
【０３０６】
次に、Ｓ１０７にて、次の「同時送信用の通信方式」の選択を受けつけたか否かを判定する。ユーザーが選択を行った場合、Ｓ２０３に再び戻ることになる。
【０３０７】
ここで、図１７の選択番号「＃９」の選択を受けつけるものとする（Ｓ１０７にてＹｅｓ）。Ｓ２０３にて、選択番号「＃９」をグループ＃Ｘに追加したときのそれぞれＳＡＲを計算する。ｃ５２が選択番号「＃９」のＳＡＲ３の値であるため（図１７参照）、ＳＡＲ３の合計値はｃ５１＋ｃ５２となる。また、ｄ５２が選択番号「＃９」のＳＡＲ４の値であるため（図１７参照）、ＳＡＲ４の合計値はｄ５１＋ｄ５２となる。Ｓ２０４にて、これらの値とそれぞれに対応する規定値とを比較する。ここで、「ＳＡＲ３の合計値が、ＳＡＲ３に対応する規定値以下であり、かつ、ＳＡＲ４の合計値が、ＳＡＲ４に対応する規定値以下である」という条件を満たさない場合（Ｓ２０５にてＮｏ）、「グループ＃Ｘ」に、選択番号「＃９」を追加しない。なお、ＳＡＲ１の値、および、ＳＡＲ２の値は存在していないので、ＳＡＲ１に関する規定値の評価は対象外となり、ＳＡＲ２に関する規定値の評価も対象外となる。
【０３０８】
次に、Ｓ１０７にて、次の「同時送信用の通信方式」の選択を受けつけたか否かを判定する。ユーザーが選択を行った場合、Ｓ２０３に再び戻ることになる。
【０３０９】
ここで、図１７の選択番号「＃１１」の選択を受けつけるものとする（Ｓ１０７にてＹｅｓ）。Ｓ２０３にて、選択番号「＃１１」をグループ＃Ｘに追加したときのそれぞれのＳＡＲを計算する。ｃ６２が選択番号「＃１１」のＳＡＲ３の値であるため（図１７参照）、ＳＡＲ３の合計値はｃ５１＋ｃ６２となる。また、ｄ６２が選択番号「＃１１」のＳＡＲ４の値であるため（図１７参照）、ＳＡＲ４の合計値はｄ５１＋ｄ６２となる。Ｓ２０４にて、これらの値とそれぞれに対応する規定値とを比較する。ここで、「ＳＡＲ３の合計値が、ＳＡＲ３に対応する規定値以下であり、かつ、ＳＡＲ４の合計値が、ＳＡＲ４に対応する規定値以下である」という条件を満たす場合（Ｓ２０５にてＹｅｓ）、Ｓ１０６にて、「グループ＃Ｘ」に、選択番号「＃１１」を追加する。なお、ＳＡＲ１の値、および、ＳＡＲ２の値は存在していないので、ＳＡＲ１に関する規定値の評価は対象外となり、ＳＡＲ２に関する規定値の評価も対象外となる。
【０３１０】
次に、Ｓ１０７にて、次の「同時送信用の通信方式」の選択を受けつけたか否かを判定する。ユーザーから次の「同時送信用の通信方式」の選択を受けつけない場合（Ｓ１０７にてＮｏ）、例えば、ユーザーから「選択しない」という指示を受けつけた場合、「同時送信の通信方式の選択を完了」する（Ｓ１０８）。
【０３１１】
そして、端末は、同時送信に用いられる複数の通信方式の組合せの情報（グループ情報）を「グループ＃Ｘ」として記憶しておく。そして、端末は、グループ＃Ｘを呼び出し、グループ＃Ｘを構成する複数の通信方式を用いて、データを送信することになる。これにより、ＳＡＲの規定値以下を実現しながら、変調信号を同時送信することができ、データの伝送速度を向上させることができるという効果を得ることができる。
【０３１２】
次に、無線通信方式とＳＡＲとの対応関係の第９の例について説明する。図１８は、無線通信方式とＳＡＲとの対応関係の第９の例を示す表である。図１８の表に基づいて、図１３のグループ設定を行う場合の例を説明する。なお、図１８と図１６の異なる点は、ＭＩＭＯ方式、または、ＭＩＳＯ方式の「有」と「無」により、選択番号、ＳＡＲを分離している点である。
【０３１３】
ここで、ＭＩＭＯ方式、または、ＭＩＳＯ方式の「有」とは、ＭＩＭＯ方式、または、ＭＩＳＯ方式で送信する（つまり、複数のアンテナを用いて、変調信号を送信する）ことを意味し、ＭＩＭＯ方式、または、ＭＩＳＯ方式の「無」とは、ＭＩＭＯ方式で送信しない、または、ＭＩＳＯ方式で送信しない（つまり、シングルアンテナを用いて、変調信号を送信する）ことを意味している。
【０３１４】
図１８の例では、選択番号＃１は、「第１の無線通信方式」であり、通信方式の名称が「無線ＬＡＮ」、使用する周波数が２．４ＧＨｚであり、ＭＩＭＯ方式、または、ＭＩＳＯ方式の「有」であり、選択番号＃１の方法で端末が変調信号を送信した場合、ＳＡＲ１がａ１１であり、ＳＡＲ２がｂ１１であることを意味している。
【０３１５】
ＳＡＲの種類として複数あると記載し、図１８では、２種類の場合を記載しているが、例えば、手に装着したときのＳＡＲがＳＡＲ１であり、頭部に近づけたときのＳＡＲがＳＡＲ２という場合というように、測定対象や測定方法が異なる場合に、複数のＳＡＲ測定が必要となる。
【０３１６】
なお、図１８ではＳＡＲが２種類の例で説明しているが、２種類以上存在してもよく、この場合、各選択番号で、複数種類のＳＡＲの値が定義されることになる。
【０３１７】
選択番号＃２は、「第１の無線通信方式」であり、通信方式の名称が「無線ＬＡＮ」、使用する周波数が２．４ＧＨｚであり、ＭＩＭＯ方式、または、ＭＩＳＯ方式の「無」であり、選択番号＃２の方法で端末が変調信号を送信した場合、ＳＡＲ１がａ１２であり、ＳＡＲ２がｂ１２であるということを意味している。
【０３１８】
選択番号＃３は、「第２の無線通信方式」であり、通信方式の名称が「Ｂｌｕｅｔｏｏｔｈ（登録商標）」、使用する周波数が２．４ＧＨｚであり、選択番号＃３の方法で端末が変調信号を送信した場合、ＳＡＲ１がａ２１であり、ＳＡＲ２がｂ２１であるということを意味している。
【０３１９】
選択番号＃４は、「第３の無線通信方式」であり、通信方式の名称が「第三世代携帯電話」、使用する周波数が８００ＭＨｚであり、選択番号＃４の方法で端末が変調信号を送信した場合、ＳＡＲ１がａ３１であり、ＳＡＲ２がｂ３１であることを意味している。
【０３２０】
選択番号＃５は、「第３の無線通信方式」であり、通信方式の名称が「第三世代携帯電話」、使用する周波数が２ＧＨｚであり、選択番号＃５の方法で端末が変調信号を送信した場合、ＳＡＲ１がａ３２であり、ＳＡＲ２がｂ３２であることを意味している。
【０３２１】
選択番号＃６は、「第４の無線通信方式」であり、通信方式の名称が「第四世代携帯電話」、使用する周波数が８００ＭＨｚであり、選択番号＃６の方法で端末が変調信号を送信した場合、ＳＡＲ１がａ４１であり、ＳＡＲ２がｂ４１であることを意味している。
【０３２２】
選択番号＃７は、「第４の無線通信方式」であり、通信方式の名称が「第四世代携帯電話」、使用する周波数が２ＧＨｚであり、選択番号＃７の方法で端末が変調信号を送信した場合、ＳＡＲ１がａ４２であり、ＳＡＲ２がｂ４２であることを意味している。
【０３２３】
選択番号＃８は、「第５の無線通信方式」であり、通信方式の名称が「携帯電話」、使用する周波数が１０ＧＨｚであり、選択番号＃８の方法で端末が変調信号を送信した場合、ＳＡＲ１がａ５１であり、ＳＡＲ２がｂ５１であることを意味している。
【０３２４】
選択番号＃９は、「第５の無線通信方式」であり、通信方式の名称が「携帯電話」、使用する周波数が１５ＧＨｚであり、選択番号＃９の方法で端末が変調信号を送信した場合、ＳＡＲ１がａ５２であり、ＳＡＲ２がｂ５２であることを意味している。
【０３２５】
選択番号＃１０は、「第６の無線通信方式」であり、通信方式の名称が「高速無線ＬＡＮ」、使用する周波数が２０ＧＨｚであり、選択番号＃１０の方法で端末が変調信号を送信した場合、ＳＡＲ１がａ６１であり、ＳＡＲ２がｂ６１であることを意味している。
【０３２６】
選択番号＃１１は、「第６の無線通信方式」であり、通信方式の名称が「高速無線ＬＡＮ」、使用する周波数が６０ＧＨｚであり、ＭＩＭＯ方式、または、ＭＩＳＯ方式の「有」であり、選択番号＃１１の方法で端末が変調信号を送信した場合、ＳＡＲ１がａ６２であり、ＳＡＲ２がｂ６２であることを意味している。
【０３２７】
選択番号＃１２は、「第６の無線通信方式」であり、通信方式の名称が「高速無線ＬＡＮ」、使用する周波数が６０ＧＨｚであり、ＭＩＭＯ方式、または、ＭＩＳＯ方式の「無」であり、選択番号＃１２の方法で端末が変調信号を送信した場合、ＳＡＲ１がａ６３であり、ＳＡＲ２がｂ６３であることを意味している。
【０３２８】
図１８の表に基づいて、図１３のグループ設定を行う場合の例を説明する。
【０３２９】
例えば、端末が「グループ＃Ｙ」の設定を行うものとする。このとき、図１３、図１８に基づいた「グループ＃Ｙ」の設定方法について説明する。なお、この説明において、図１３の「グループ＃Ｘ」は、「グループ＃Ｙ」に置き換えるものとする。
【０３３０】
Ｓ１０１にて、通信方式の選択動作を開始する操作を受付の後、Ｓ１０２にて、端末が、例えば、図１８の選択番号「＃４」の選択を受けつける。次に、Ｓ２０３にて、選択番号「＃４」を選択したときのそれぞれのＳＡＲを計算する。ＳＡＲ１についてはａ３１であり、ＳＡＲ２についてはｂ３１である。Ｓ２０４にて、これらの値とそれぞれに対応する規定値とを比較する。ここで、ＳＡＲ１及びＳＡＲ２の両方が規定値以下である場合（Ｓ２０５にてＹｅｓ）、Ｓ１０６にて、「グループ＃Ｙ」に選択番号「＃４」を追加する。つまり、「ｊは１以上Ｍ以下（Ｍは２以上の整数である）であり、これを満たす、すべてのｊで、ＳＡＲｊはそれぞれに対応して定められた規定値以下である」についての確認を行うことになる。
【０３３１】
次に、Ｓ１０７にて、次の「同時送信用の通信方式」の選択を受けつけたか否かを判定する。例えば、図１８の選択番号「＃７」の選択を受けつけるものとする（Ｓ１０７にてＹｅｓ）。この場合、Ｓ２０３に戻り、選択番号「＃７」をグループ＃Ｙに追加したときのそれぞれのＳＡＲを計算する。ａ４２が選択番号「＃７」のＳＡＲ１の値であるため（図１８参照）、ＳＡＲ１の合計値はａ３１＋ａ４２となる。また、ｂ４２が選択番号「＃７」のＳＡＲ２の値であるため（図１８参照）、ＳＡＲ２の合計値はｂ３１＋ｂ４２となる。Ｓ２０４にて、これらの値とそれぞれに対応する規定値とを比較する。ここで、「ＳＡＲ１の合計値が、ＳＡＲ１に対応する規定値以下であり、かつ、ＳＡＲ２の合計値が、ＳＡＲ２に対応する規定値以下である」という条件を満たさない場合（Ｓ２０５にてＮｏ）、「グループ＃Ｙ」に、選択番号「＃７」を追加しない。
【０３３２】
次に、Ｓ１０７にて、次の「同時送信用の通信方式」の選択を受けつけたか否かを判定する。ユーザーが選択を行った場合、Ｓ２０３に再び戻ることになる。
【０３３３】
ここで、図１８の選択番号「＃１１」の選択を受けつけるものとする（Ｓ１０７にてＹｅｓ）。Ｓ２０３にて、選択番号「＃１１」をグループ＃Ｙに追加したときのそれぞれのＳＡＲを計算する。ａ６１が選択番号「＃１１」のＳＡＲ１の値であるため（図１８参照）、ＳＡＲ１の合計値はａ３１＋ａ６１となる。また、ｂ６１が選択番号「＃１１」のＳＡＲ２の値であるため（図１８参照）、ＳＡＲ２の合計値はｂ３１＋ｂ６１となる。Ｓ２０４にて、これらの値とそれぞれに対応する規定値とを比較する。ここで、「ＳＡＲ１の合計値が、ＳＡＲ１に対応する規定値以下であり、かつ、ＳＡＲ２の合計値が、ＳＡＲ２に対応する規定値以下である」という条件を満たす場合（Ｓ２０５にてＹｅｓ）、Ｓ１０６にて、「グループ＃Ｙ」に、選択番号「＃１１」を追加する。
【０３３４】
次に、Ｓ１０７にて、次の「同時送信用の通信方式」の選択を受けつけたか否かを判定する。ユーザーから次の「同時送信用の通信方式」の選択を受けつけない場合（Ｓ１０７にてＮｏ）、例えば、ユーザーから「選択しない」いう指示を受けつけた場合、「同時送信の通信方式の選択を完了」する（Ｓ１０８）。
【０３３５】
そして、端末は、同時送信に用いる複数の通信方式の組合せの情報（グループ情報）を「グループ＃Ｙ」として記憶しておく。そして、端末は、グループ＃Ｙを呼び出し、グループ＃Ｙを構成する複数の通信方式を用いて、データを送信することになる。これにより、ＳＡＲの規定値以下を実現しながら、変調信号を同時送信することができ、データの伝送速度を向上させることができるという効果を得ることができる。
【０３３６】
次に、無線通信方式とＳＡＲとの対応関係の第１０の例について説明する。図１９は、無線通信方式とＳＡＲとの対応関係の第１０の例を示す表である。図１９の表に基づいて、図１３のグループ設定を行う場合の例を説明する。図１９において、ＳＡＲ１およびＳＡＲ２が、例えば、通信方式の使用する周波数が６ＧＨｚ以下の場合のＳＡＲに関するもので、例えば、手に装着したときのＳＡＲがＳＡＲ１であり、頭部に近づけたときのＳＡＲがＳＡＲ２であるものとする。
【０３３７】
そして、ＳＡＲ３およびＳＡＲ４が、例えば、通信方式の使用する周波数が６ＧＨｚ以上の場合のＳＡＲに関するもので、例えば、手に装着したときのＳＡＲがＳＡＲ３であり、頭部に近づけたときのＳＡＲがＳＡＲ４であるものとする。
【０３３８】
つまり、図１９の例では、通信方式の使用する周波数が６ＧＨｚ以下の場合、ＳＡＲ１およびＳＡＲ２が値として存在し、通信方式の使用する周波数が６ＧＨｚ以上の場合、ＳＡＲ３およびＳＡＲ４が値として存在する。また、図１９のＳＡＲ１〜ＳＡＲ４に対して、それぞれ規定値が存在する。なお、図１９ではＳＡＲが４種類の例で説明しているが、４種類に限ったものではない。
【０３３９】
つまり、通信方式が使用する周波数によって、ＳＡＲの規制方法が異なる場合の例を図１９では説明している。図１９の例では、通信方式の使用する周波数が６ＧＨｚ以下のときにＳＡＲ１とＳＡＲ２に関する規制が行われ、通信方式の使用する周波数が６ＧＨｚ以上のときにＳＡＲ３とＳＡＲ４に関する規制が行われるものとする。ただし、図１９のような分類はあくまでも例であり、通信方式の使用する周波数による分類方法は、図１９の方法に限ったものではない。
【０３４０】
図１９と図１７の異なる点は、ＭＩＭＯ方式、または、ＭＩＳＯ方式の「有」と「無」により、選択番号、ＳＡＲを分離している点である。
【０３４１】
ここで、ＭＩＭＯ方式、または、ＭＩＳＯ方式の「有」とは、ＭＩＭＯ方式、または、ＭＩＳＯ方式で送信する（つまり、複数のアンテナを用いて、変調信号を送信する）ことを意味し、ＭＩＭＯ方式、または、ＭＩＳＯ方式の「無」とは、ＭＩＭＯ方式で送信しない、または、ＭＩＳＯ方式で送信しない（つまり、シングルアンテナを用いて、変調信号を送信する）ことを意味している。
【０３４２】
選択番号＃１は、「第１の無線通信方式」であり、通信方式の名称が「無線ＬＡＮ」、使用する周波数が２．４ＧＨｚであり、ＭＩＭＯ方式、または、ＭＩＳＯ方式の「有」であり、選択番号＃１の方法で端末が変調信号を送信した場合、ＳＡＲ１がａ１１であり、ＳＡＲ２がｂ１１であることを意味している。また、使用する周波数が２．４ＧＨｚであるので、ＳＡＲ３およびＳＡＲ４は値として存在しないことを意味している。
【０３４３】
選択番号＃２は、「第１の無線通信方式」であり、通信方式の名称が「無線ＬＡＮ」、使用する周波数が２．４ＧＨｚであり、ＭＩＭＯ方式、または、ＭＩＳＯ方式の「無」であり、選択番号＃２の方法で端末が変調信号を送信した場合、ＳＡＲ１がａ１２であり、ＳＡＲ２がｂ１２であることを意味している。また、使用する周波数が２．４ＧＨｚであるので、ＳＡＲ３およびＳＡＲ４は値として存在しないことを意味している。
【０３４４】
選択番号＃３は、「第２の無線通信方式」であり、通信方式の名称が「Ｂｌｕｅｔｏｏｔｈ（登録商標）」、使用する周波数が２．４ＧＨｚであり、選択番号＃３の方法で端末が変調信号を送信した場合、ＳＡＲ１がａ２１であり、ＳＡＲ２がｂ２１であることを意味している。また、使用する周波数が２．４ＧＨｚであるので、ＳＡＲ３およびＳＡＲ４は値として存在しないことを意味している。
【０３４５】
選択番号＃４は、「第３の無線通信方式」であり、通信方式の名称が「第三世代携帯電話」、使用する周波数が８００ＭＨｚであり、選択番号＃４の方法で端末が変調信号を送信した場合、ＳＡＲ１がａ３１であり、ＳＡＲ２がｂ３１であることを意味している。また、使用する周波数が８００ＭＨｚであるので、ＳＡＲ３およびＳＡＲ４は値として存在しないことを意味している。
【０３４６】
選択番号＃５は、「第３の無線通信方式」であり、通信方式の名称が「第三世代携帯電話」、使用する周波数が２ＧＨｚであり、選択番号＃５の方法で端末が変調信号を送信した場合、ＳＡＲ１がａ３２であり、ＳＡＲ２がｂ３２であることを意味している。また、使用する周波数が２ＧＨｚであるので、ＳＡＲ３およびＳＡＲ４は値として存在しないことを意味している。
【０３４７】
選択番号＃６は、「第４の無線通信方式」であり、通信方式の名称が「第四世代携帯電話」、使用する周波数が８００ＭＨｚであり、選択番号＃６の方法で端末が変調信号を送信した場合、ＳＡＲ１がａ４１であり、ＳＡＲ２がｂ４１であることを意味している。また、使用する周波数が８００ＭＨｚであるので、ＳＡＲ３およびＳＡＲ４は値として存在しないことを意味している。
【０３４８】
選択番号＃７は、「第４の無線通信方式」であり、通信方式の名称が「第四世代携帯電話」、使用する周波数が２ＧＨｚであり、選択番号＃７の方法で端末が変調信号を送信した場合、ＳＡＲ１がａ４２であり、ＳＡＲ２がｂ４２であることを意味している。また、使用する周波数が２ＧＨｚであるので、ＳＡＲ３およびＳＡＲ４は値として存在しないことを意味している。
【０３４９】
選択番号＃８は、「第５の無線通信方式」であり、通信方式の名称が「携帯電話」、使用する周波数が１０ＧＨｚであり、選択番号＃８の方法で端末が変調信号を送信した場合、ＳＡＲ３がｃ５１であり、ＳＡＲ４がｄ５１であることを意味している。また、使用する周波数が１０ＧＨｚであるので、ＳＡＲ１およびＳＡＲ２は値として存在しないことを意味している。
【０３５０】
選択番号＃９は、「第５の無線通信方式」であり、通信方式の名称が「携帯電話」、使用する周波数が１５ＧＨｚであり、選択番号＃８の方法で端末が変調信号を送信した場合、ＳＡＲ３がｃ５２であり、ＳＡＲ４がｄ５２であることを意味している。また、使用する周波数が１５ＧＨｚであるので、ＳＡＲ１およびＳＡＲ２は値として存在しないことを意味している。
【０３５１】
選択番号＃１０は、「第６の無線通信方式」であり、通信方式の名称が「高速無線ＬＡＮ」、使用する周波数が２０ＧＨｚであり、選択番号＃１０の方法で端末が変調信号を送信した場合、ＳＡＲ３がｃ６１であり、ＳＡＲ４がｄ６１であることを意味している。また、使用する周波数が２０ＧＨｚであるので、ＳＡＲ１およびＳＡＲ２は値として存在しないことを意味している。
【０３５２】
選択番号＃１１は、「第６の無線通信方式」であり、通信方式の名称が「高速無線ＬＡＮ」、使用する周波数が６０ＧＨｚであり、ＭＩＭＯ方式、または、ＭＩＳＯ方式の「有」であり、選択番号＃１１の方法で端末が変調信号を送信した場合、ＳＡＲ３がｃ６２であり、ＳＡＲ４がｄ６２であることを意味している。また、使用する周波数が６０ＧＨｚであるので、ＳＡＲ１およびＳＡＲ２は値として存在しないことを意味している。
【０３５３】
選択番号＃１２は、「第６の無線通信方式」であり、通信方式の名称が「高速無線ＬＡＮ」、使用する周波数が６０ＧＨｚであり、ＭＩＭＯ方式、または、ＭＩＳＯ方式の「無」であり、選択番号＃１２の方法で端末が変調信号を送信した場合、ＳＡＲ３がｃ６３であり、ＳＡＲ４がｄ６３であることを意味している。また、使用する周波数が６０ＧＨｚであるので、ＳＡＲ１およびＳＡＲ２は値として存在しないことを意味している。
【０３５４】
図１３は、図３の送信制御部３０５が行う動作の一つである制御のフローチャートの一例を示している。なお、図１３の動作については、実施の形態２で説明したので説明は省略する。
【０３５５】
図１９の表に基づいて、図１３のグループ設定を行う場合の例を説明する。
【０３５６】
例えば、端末が「グループ＃Ｘ」の設定を行うものとする。このとき、図１３、図１９に基づいた「グループ＃Ｘ」の設定方法について説明する。
【０３５７】
Ｓ１０１にて、通信方式の選択動作を開始する操作を受付の後、Ｓ１０２にて、端末が、例えば、図１９の選択番号「＃６」の選択を受けつける。次に、Ｓ２０３にて、選択番号「＃６」を選択したときのそれぞれのＳＡＲを計算する。ＳＡＲ１についてはａ４１であり、ＳＡＲ２についてはｂ４１である。Ｓ２０４にて、これらの値とそれぞれに対応する規定値とを比較する。ＳＡＲ１について規定値以下であり、かつ、ＳＡＲ２について規定値以下であるものとする。そして、ＳＡＲ３の値、および、ＳＡＲ４の値は存在していないので、ＳＡＲ３に関する規定値の評価は対象外となり、ＳＡＲ４に関する規定値の評価も対象外となる。したがって、ＳＡＲ１及びＳＡＲ２の両方が規定値以下である場合（Ｓ２０５にてＹｅｓ）、Ｓ１０６にて、「グループ＃Ｘ」に選択番号「＃６」を追加する。つまり、「ｊは１以上Ｍ以下（Ｍは２以上の整数である）であり、これを満たす、すべてのｊで、ＳＡＲｊはそれぞれに対応して定められた規定値以下である」についての確認を行うことになる。
【０３５８】
次に、Ｓ１０７にて、次の「同時送信用の通信方式」の選択を受けつけたか否かを判定する。例えば、図１９の選択番号「＃５」の選択を受けつけるものとする（Ｓ１０７にてＹｅｓ）。この場合、Ｓ２０３に戻り、選択番号「＃５」をグループ＃Ｘに追加したときのそれぞれＳＡＲを計算する。ａ３２が選択番号「＃５」のＳＡＲ１の値であるため（図１９参照）、ＳＡＲ１の合計値はａ４１＋ａ３２となる。また、ｂ３２が選択番号「＃５」のＳＡＲ２の値であるため（図１９参照）、ＳＡＲ２の合計値はｂ４１＋ｂ３２となる。Ｓ２０４にて、これらの値とそれぞれに対応する規定値とを比較する。ここで、「ＳＡＲ１の合計値が、ＳＡＲ１に対応する規定値以下であり、かつ、ＳＡＲ２の合計値が、ＳＡＲ２に対応する規定値以下である」という条件を満たさない場合（Ｓ２０５にてＮｏ）、「グループ＃Ｘ」に、選択番号「＃５」を追加しない。なお、ＳＡＲ３の値、および、ＳＡＲ４の値は存在していないので、ＳＡＲ３に関する規定値の評価は対象外となり、ＳＡＲ４に関する規定値の評価も対象外となる。
【０３５９】
次に、Ｓ１０７にて、次の「同時送信用の通信方式」の選択を受けつけたか否かを判定する。ユーザーが選択を行った場合、Ｓ２０３に再び戻ることになる。
【０３６０】
ここで、図１９の選択番号「＃１」の選択を受けつけるものとする（Ｓ１０７にてＹｅｓ）。Ｓ２０３にて、選択番号「＃１」をグループ＃Ｘに追加したときのそれぞれのＳＡＲを計算する。ａ１１が選択番号「＃１」のＳＡＲ１の値であるため（図１９参照）、ＳＡＲ１の合計値はａ４１＋ａ１１となる。また、ｂ１１が選択番号「＃１」のＳＡＲ２の値であるため（図１９参照）、ＳＡＲ２の合計値はｂ４１＋ｂ１１となる。Ｓ２０４にて、これらの値とそれぞれに対応する規定値とを比較する。ここで、「ＳＡＲ１の合計値が、ＳＡＲ１に対応する規定値以下であり、かつ、ＳＡＲ２の合計値が、ＳＡＲ２に対応する規定値以下である」という条件を満たす場合（Ｓ２０５にてＹｅｓ）、Ｓ１０６にて、「グループ＃Ｘ」に、選択番号「＃１」を追加する。なお、ＳＡＲ３の値、および、ＳＡＲ４の値は存在していないので、ＳＡＲ３に関する規定値の評価は対象外となり、ＳＡＲ４に関する規定値の評価も対象外となる。
【０３６１】
次に、Ｓ１０７にて、次の「同時送信用の通信方式」の選択を受けつけたか否かを判定する。ユーザーが選択を行った場合、Ｓ２０３に再び戻ることになる。
【０３６２】
ここで、図１９の選択番号「＃８」の選択を受けつけるものとする（Ｓ１０７にてＹｅｓ）。Ｓ２０３にて、選択番号「＃８」をグループ＃Ｘに追加したときのそれぞれのＳＡＲを計算する。ｃ５１が選択番号「＃８」のＳＡＲ３の値であるため（図１９参照）、ＳＡＲ３の合計値はｃ５１となる。また、ｄ５１が選択番号「＃８」のＳＡＲ４の値であるため（図１９参照）、ＳＡＲ４の合計値はｄ５１となる。Ｓ２０４にて、これらの値とそれぞれに対応する規定値とを比較する。ここで、「ＳＡＲ３の合計値が、ＳＡＲ３に対応する規定値以下であり、かつ、ＳＡＲ４の合計値が、ＳＡＲ４に対応する規定値以下である」という条件を満たす場合（Ｓ２０５にてＹｅｓ）、Ｓ１０６にて、「グループ＃Ｘ」に、選択番号「＃８」を追加する。なお、ＳＡＲ１の値、および、ＳＡＲ２の値は存在していないので、ＳＡＲ１に関する規定値の評価は対象外となり、ＳＡＲ２に関する規定値の評価も対象外となる。
【０３６３】
次に、Ｓ１０７にて、次の「同時送信用の通信方式」の選択を受けつけたか否かを判定する。ユーザーが選択を行った場合、Ｓ２０３に再び戻ることになる。
【０３６４】
ここで、図１９の選択番号「＃９」の選択を受けつけるものとする（Ｓ１０７にてＹｅｓ）。Ｓ２０３にて、選択番号「＃９」をグループ＃Ｘに追加したときのそれぞれＳＡＲを計算する。ｃ５２が選択番号「＃９」のＳＡＲ３の値であるため（図１９参照）、ＳＡＲ３の合計値はｃ５１＋ｃ５２となる。また、ｄ５２が選択番号「＃９」のＳＡＲ４の値であるため（図１９参照）、ＳＡＲ４の合計値はｄ５１＋ｄ５２となる。Ｓ２０４にて、これらの値とそれぞれに対応する規定値とを比較する。ここで、「ＳＡＲ３の合計値が、ＳＡＲ３に対応する規定値以下であり、かつ、ＳＡＲ４の合計値が、ＳＡＲ４に対応する規定値以下である」という条件を満たさない場合（Ｓ２０５にてＮｏ）、「グループ＃Ｘ」に、選択番号「＃９」を追加しない。なお、ＳＡＲ１の値、および、ＳＡＲ２の値は存在していないので、ＳＡＲ１に関する規定値の評価は対象外となり、ＳＡＲ２に関する規定値の評価も対象外となる。
【０３６５】
次に、Ｓ１０７にて、次の「同時送信用の通信方式」の選択を受けつけたか否かを判定する。ユーザーが選択を行った場合、Ｓ２０３に再び戻ることになる。
【０３６６】
ここで、図１９の選択番号「＃１１」の選択を受けつけるものとする（Ｓ１０７にてＹｅｓ）。Ｓ２０３にて、選択番号「＃１１」をグループ＃Ｘに追加したときのそれぞれのＳＡＲを計算する。ｃ６２が選択番号「＃１１」のＳＡＲ３の値であるため（図１９参照）、ＳＡＲ３の合計値はｃ５１＋ｃ６２となる。また、ｄ６２が選択番号「＃１１」のＳＡＲ４の値であるため（図１９参照）、ＳＡＲ４の合計値はｄ５１＋ｄ６２となる。Ｓ２０４にて、これらの値とそれぞれに対応する規定値とを比較する。ここで、「ＳＡＲ３の合計値が、ＳＡＲ３に対応する規定値以下であり、かつ、ＳＡＲ４の合計値が、ＳＡＲ４に対応する規定値以下である」という条件を満たす場合（Ｓ２０５にてＹｅｓ）、Ｓ１０６にて、「グループ＃Ｘ」に、選択番号「＃１１」を追加する。なお、ＳＡＲ１の値、および、ＳＡＲ２の値は存在していないので、ＳＡＲ１に関する規定値の評価は対象外となり、ＳＡＲ２に関する規定値の評価も対象外となる。
【０３６７】
次に、Ｓ１０７にて、次の「同時送信用の通信方式」の選択を受けつけたか否かを判定する。ユーザーから次の「同時送信用の通信方式」の選択を受けつけない場合（Ｓ１０７にてＮｏ）、例えば、ユーザーから「選択しない」という指示を受けつけた場合、「同時送信の通信方式の選択を完了」する（Ｓ１０８）。
【０３６８】
そして、端末は、同時送信に用いられる複数の通信方式の組合せの情報（グループ情報）を「グループ＃Ｘ」として記憶しておく。そして、端末は、グループ＃Ｘを呼び出し、グループ＃Ｘを構成する複数の通信方式を用いて、データを送信することになる。これにより、ＳＡＲの規定値以下を実現しながら、変調信号を同時送信することができ、データの伝送速度を向上させることができるという効果を得ることができる。
【０３６９】
次に、無線通信方式とＳＡＲとの対応関係の第１１の例について説明する。図２０は、無線通信方式とＳＡＲとの対応関係の第１１の例を示す表である。図２０の表に基づいて、図１３のグループ設定を行う場合の例を説明する。なお、図２０と図１６の異なる点は、ＭＩＭＯ方式、または、ＭＩＳＯ方式の「有」と「無」、および、「使用する周波数帯域」により、選択番号、ＳＡＲを分離している点である。
【０３７０】
ここで、ＭＩＭＯ方式、または、ＭＩＳＯ方式の「有」とは、ＭＩＭＯ方式、または、ＭＩＳＯ方式で送信する（つまり、複数のアンテナを用いて、変調信号を送信する）ことを意味し、ＭＩＭＯ方式、または、ＭＩＳＯ方式の「無」とは、ＭＩＭＯ方式で送信しない、または、ＭＩＳＯ方式で送信しない（つまり、シングルアンテナを用いて、変調信号を送信する）ことを意味している。
【０３７１】
図２０の例では、選択番号＃１は、「第１の無線通信方式」であり、通信方式の名称が「無線ＬＡＮ」、使用する周波数が２．４ＧＨｚであり、ＭＩＭＯ方式、または、ＭＩＳＯ方式の「有」であり、使用する周波数帯域は２０ＭＨｚであり、選択番号＃１の方法で端末が変調信号を送信した場合、ＳＡＲ１がａ１１であり、ＳＡＲ２がｂ１１であることを意味している。
【０３７２】
ＳＡＲの種類として複数あると記載し、図２０では、２種類の場合を記載しているが、例えば、手に装着したときのＳＡＲがＳＡＲ１であり、頭部に近づけたときのＳＡＲがＳＡＲ２という場合というように、測定対象や測定方法が異なる場合に、複数のＳＡＲ測定が必要となる。
【０３７３】
なお、図２０ではＳＡＲが２種類の例で説明しているが、２種類以上存在してもよく、この場合、各選択番号で、複数種類のＳＡＲの値が定義されることになる。
【０３７４】
選択番号＃２は、「第１の無線通信方式」であり、通信方式の名称が「無線ＬＡＮ」、使用する周波数が２．４ＧＨｚであり、ＭＩＭＯ方式、または、ＭＩＳＯ方式の「有」であり、使用する周波数帯域は２０ＭＨｚまたは４０ＭＨｚであり、選択番号＃２の方法で端末が変調信号を送信した場合、ＳＡＲ１がａ１２であり、ＳＡＲ２がｂ１２であるということを意味している。
【０３７５】
選択番号＃３は、「第１の無線通信方式」であり、通信方式の名称が「無線ＬＡＮ」、使用する周波数が２．４ＧＨｚであり、ＭＩＭＯ方式、または、ＭＩＳＯ方式の「無」であり、使用する周波数帯域は２０ＭＨｚであり、選択番号＃３の方法で端末が変調信号を送信した場合、ＳＡＲ１がａ１３であり、ＳＡＲ２がｂ１３であることを意味している。
【０３７６】
選択番号＃４は、「第１の無線通信方式」であり、通信方式の名称が「無線ＬＡＮ」、使用する周波数が２．４ＧＨｚであり、ＭＩＭＯ方式、または、ＭＩＳＯ方式の「無」であり、使用する周波数帯域は２０ＭＨｚまたは４０ＭＨｚであり、選択番号＃４の方法で端末が変調信号を送信した場合、ＳＡＲ１がａ１４であり、ＳＡＲ２がｂ１４であるということを意味している。
【０３７７】
選択番号＃５は、「第２の無線通信方式」であり、通信方式の名称が「Ｂｌｕｅｔｏｏｔｈ（登録商標）」、使用する周波数が２．４ＧＨｚであり、選択番号＃５の方法で端末が変調信号を送信した場合、ＳＡＲ１がａ２１であり、ＳＡＲ２がｂ２１であるということを意味している。
【０３７８】
選択番号＃６は、「第３の無線通信方式」であり、通信方式の名称が「第四世代携帯電話」、使用する周波数が８００ＭＨｚであり、使用する周波数帯域はＸ Ｈｚであり、選択番号＃６の方法で端末が変調信号を送信した場合、ＳＡＲ１がａ３１であり、ＳＡＲ２がｂ３１であることを意味している。
【０３７９】
選択番号＃７は、「第３の無線通信方式」であり、通信方式の名称が「第四世代携帯電話」、使用する周波数が８００ＭＨｚであり、使用する周波数帯域はＸ Ｈｚ、または、Ｙ Ｈｚであり、選択番号＃７の方法で端末が変調信号を送信した場合、ＳＡＲ１がａ３２であり、ＳＡＲ２がｂ３２であることを意味している。
【０３８０】
選択番号＃８は、「第３の無線通信方式」であり、通信方式の名称が「第四世代携帯電話」、使用する周波数が２ＧＨｚであり、使用する周波数帯域はＸ Ｈｚであり、選択番号＃８の方法で端末が変調信号を送信した場合、ＳＡＲ１がａ３３であり、ＳＡＲ２がｂ３３であることを意味している。
【０３８１】
選択番号＃９は、「第３の無線通信方式」であり、通信方式の名称が「第四世代携帯電話」、使用する周波数が２ＧＨｚであり、使用する周波数帯域はＸ Ｈｚ、または、Ｙ Ｈｚであり、選択番号＃９の方法で端末が変調信号を送信した場合、ＳＡＲ１がａ３４であり、ＳＡＲ２がｂ３４であることを意味している。
【０３８２】
選択番号＃１０は、「第４の無線通信方式」であり、通信方式の名称が「携帯電話」、使用する周波数が１０ＧＨｚであり、選択番号＃１０の方法で端末が変調信号を送信した場合、ＳＡＲ１がａ４１であり、ＳＡＲ２がｂ４１であることを意味している。
【０３８３】
選択番号＃１１は、「第４の無線通信方式」であり、通信方式の名称が「携帯電話」、使用する周波数が１５ＧＨｚであり、選択番号＃１１の方法で端末が変調信号を送信した場合、ＳＡＲ１がａ４２であり、ＳＡＲ２がｂ４２であることを意味している。
【０３８４】
選択番号＃１２は、「第５の無線通信方式」であり、通信方式の名称が「高速無線ＬＡＮ」、使用する周波数が２０ＧＨｚであり、選択番号＃１２の方法で端末が変調信号を送信した場合、ＳＡＲ１がａ５１であり、ＳＡＲ２がｂ５１であることを意味している。
【０３８５】
選択番号＃１３は、「第５の無線通信方式」であり、通信方式の名称が「高速無線ＬＡＮ」、使用する周波数が６０ＧＨｚであり、ＭＩＭＯ方式、または、ＭＩＳＯ方式の「有」であり、使用する周波数帯域はＰ Ｈｚであり、選択番号＃１３の方法で端末が変調信号を送信した場合、ＳＡＲ１がａ５２であり、ＳＡＲ２がｂ５２であることを意味している。
【０３８６】
選択番号＃１４は、「第５の無線通信方式」であり、通信方式の名称が「高速無線ＬＡＮ」、使用する周波数が６０ＧＨｚであり、ＭＩＭＯ方式、または、ＭＩＳＯ方式の「有」であり、使用する周波数帯域はＰ Ｈｚ、または、Ｑ Ｈｚであり、選択番号＃１４の方法で端末が変調信号を送信した場合、ＳＡＲ１がａ５３であり、ＳＡＲ２がｂ５３であることを意味している。
【０３８７】
選択番号＃１５は、「第５の無線通信方式」であり、通信方式の名称が「高速無線ＬＡＮ」、使用する周波数が６０ＧＨｚであり、ＭＩＭＯ方式、または、ＭＩＳＯ方式の「無」であり、使用する周波数帯域はＰ Ｈｚであり、選択番号＃１５の方法で端末が変調信号を送信した場合、ＳＡＲ１がａ５４であり、ＳＡＲ２がｂ５４であることを意味している。
【０３８８】
選択番号＃１６は、「第５の無線通信方式」であり、通信方式の名称が「高速無線ＬＡＮ」、使用する周波数が６０ＧＨｚであり、ＭＩＭＯ方式、または、ＭＩＳＯ方式の「無」であり、使用する周波数帯域はＰ Ｈｚ、または、Ｑ Ｈｚであり、選択番号＃１６の方法で端末が変調信号を送信した場合、ＳＡＲ１がａ５５であり、ＳＡＲ２がｂ５５であることを意味している。
【０３８９】
図２０の表に基づいて、図１３のグループ設定を行う場合の例を説明する。
【０３９０】
例えば、端末が「グループ＃Ｙ」の設定を行うものとする。このとき、図１３、図２０に基づいた「グループ＃Ｙ」の設定方法について説明する。なお、この説明において、図１３の「グループ＃Ｘ」は、「グループ＃Ｙ」に置き換えるものとする。
【０３９１】
Ｓ１０１にて、通信方式の選択動作を開始する操作を受付の後、Ｓ１０２にて、端末が、例えば、図２０の選択番号「＃６」の選択を受けつける。次に、Ｓ２０３にて、選択番号「＃６」を選択したときのそれぞれのＳＡＲを計算する。ＳＡＲ１についてはａ３１であり、ＳＡＲ２についてはｂ３１である。Ｓ２０４にて、これらの値とそれぞれに対応する規定値とを比較する。ここで、ＳＡＲ１及びＳＡＲ２の両方が規定値以下である場合（Ｓ２０５にてＹｅｓ）、Ｓ１０６にて、「グループ＃Ｙ」に選択番号「＃６」を追加する。つまり、「ｊは１以上Ｍ以下（Ｍは２以上の整数である）であり、これを満たす、すべてのｊで、ＳＡＲｊはそれぞれに対応して定められた規定値以下である」についての確認を行うことになる。
【０３９２】
次に、Ｓ１０７にて、次の「同時送信用の通信方式」の選択を受けつけたか否かを判定する。例えば、図２０の選択番号「＃１１」の選択を受けつけるものとする（Ｓ１０７にてＹｅｓ）。この場合、Ｓ２０３に戻り、選択番号「＃１１」をグループ＃Ｙに追加したときのそれぞれのＳＡＲを計算する。ａ４２が選択番号「＃１１」のＳＡＲ１の値であるため（図２０参照）、ＳＡＲ１の合計値はａ３１＋ａ４２となる。また、ｂ４２が選択番号「＃１１」のＳＡＲ２の値であるため（図２０参照）、ＳＡＲ２の合計値はｂ３１＋ｂ４２となる。Ｓ２０４にて、これらの値とそれぞれに対応する規定値とを比較する。ここで、「ＳＡＲ１の合計値が、ＳＡＲ１に対応する規定値以下であり、かつ、ＳＡＲ２の合計値が、ＳＡＲ２に対応する規定値以下である」という条件を満たさない場合（Ｓ２０５にてＮｏ）、「グループ＃Ｙ」に、選択番号「＃１１」を追加しない。
【０３９３】
次に、Ｓ１０７にて、次の「同時送信用の通信方式」の選択を受けつけたか否かを判定する。ユーザーが選択を行った場合、Ｓ２０３に再び戻ることになる。
【０３９４】
ここで、図２０の選択番号「＃１４」の選択を受けつけるものとする（Ｓ１０７にてＹｅｓ）。Ｓ２０３にて、選択番号「＃１４」をグループ＃Ｙに追加したときのそれぞれのＳＡＲを計算する。ａ５３が選択番号「＃１４」のＳＡＲ１の値であるため（図２０参照）、ＳＡＲ１の合計値はａ３１＋ａ５３となる。また、ｂ５３が選択番号「＃１４」のＳＡＲ２の値であるため（図２０参照）、ＳＡＲ２の合計値はｂ３１＋ｂ５３となる。Ｓ２０４にて、これらの値とそれぞれに対応する規定値とを比較する。ここで、「ＳＡＲ１の合計値が、ＳＡＲ１に対応する規定値以下であり、かつ、ＳＡＲ２の合計値が、ＳＡＲ２に対応する規定値以下である」という条件を満たす場合（Ｓ２０５にてＹｅｓ）、Ｓ１０６にて、「グループ＃Ｙ」に、選択番号「＃１４」を追加する。
【０３９５】
次に、Ｓ１０７にて、次の「同時送信用の通信方式」の選択を受けつけたか否かを判定する。ユーザーから次の「同時送信用の通信方式」の選択を受けつけない場合（Ｓ１０７にてＮｏ）、例えば、ユーザーから「選択しない」いう指示を受けつけた場合、「同時送信の通信方式の選択を完了」する（Ｓ１０８）。
【０３９６】
そして、端末は、同時送信に用いられる複数の通信方式の組合せの情報（グループ情報）を「グループ＃Ｙ」として記憶しておく。そして、端末は、グループ＃Ｙを呼び出し、グループ＃Ｙを構成する複数の通信方式を用いて、データを送信することになる。これにより、ＳＡＲの規定値以下を実現しながら、変調信号を同時送信することができ、データの伝送速度を向上させることができるという効果を得ることができる。
【０３９７】
次に、無線通信方式とＳＡＲとの対応関係の第１２の例について説明する。図２１は、無線通信方式とＳＡＲとの対応関係の第１２の例を示す表である。図２１の表に基づいて、図１３のグループ設定を行う場合の例を説明する。図２１において、ＳＡＲ１およびＳＡＲ２が、例えば、通信方式の使用する周波数が６ＧＨｚ以下の場合のＳＡＲに関するもので、例えば、手に装着したときのＳＡＲがＳＡＲ１であり、頭部に近づけたときのＳＡＲがＳＡＲ２であるものとする。
【０３９８】
そして、ＳＡＲ３およびＳＡＲ４が、例えば、通信方式の使用する周波数が６ＧＨｚ以上の場合のＳＡＲに関するもので、例えば、手に装着したときのＳＡＲがＳＡＲ３であり、頭部に近づけたときのＳＡＲがＳＡＲ４であるものとする。
【０３９９】
つまり、図２１の例では、通信方式の使用する周波数が６ＧＨｚ以下の場合、ＳＡＲ１およびＳＡＲ２が値として存在し、通信方式の使用する周波数が６ＧＨｚ以上の場合、ＳＡＲ３およびＳＡＲ４が値として存在する。また、図２１のＳＡＲ１〜ＳＡＲ４に対して、それぞれ規定値が存在する。なお、図２１ではＳＡＲが４種類の例で説明しているが、４種類に限ったものではない。
【０４００】
つまり、通信方式が使用する周波数によって、ＳＡＲの規制方法が異なる場合の例を図２１では説明している。図２１の例では、通信方式の使用する周波数が６ＧＨｚ以下のときにＳＡＲ１とＳＡＲ２に関する規制が行われ、通信方式の使用する周波数が６ＧＨｚ以上のときにＳＡＲ３とＳＡＲ４に関する規制が行われるものとする。ただし、図２１のような分類はあくまでも例であり、通信方式の使用する周波数による分類方法は、図２１の方法に限ったものではない。
【０４０１】
図２１と図１７の異なる点は、ＭＩＭＯ方式、または、ＭＩＳＯ方式の「有」と「無」、および、「使用する周波数帯域」により、選択番号、ＳＡＲを分離している点である。
【０４０２】
ここで、ＭＩＭＯ方式、または、ＭＩＳＯ方式の「有」とは、ＭＩＭＯ方式、または、ＭＩＳＯ方式で送信する（つまり、複数のアンテナを用いて、変調信号を送信する）ことを意味し、ＭＩＭＯ方式、または、ＭＩＳＯ方式の「無」とは、ＭＩＭＯ方式で送信しない、または、ＭＩＳＯ方式で送信しない（つまり、シングルアンテナを用いて、変調信号を送信する）ことを意味している。
【０４０３】
図２１の例では、選択番号＃１は、「第１の無線通信方式」であり、通信方式の名称が「無線ＬＡＮ」、使用する周波数が２．４ＧＨｚであり、ＭＩＭＯ方式、または、ＭＩＳＯ方式の「有」であり、使用する周波数帯域は２０ＭＨｚであり、選択番号＃１の方法で端末が変調信号を送信した場合、ＳＡＲ１がａ１１であり、ＳＡＲ２がｂ１１であることを意味している。また、使用する周波数が２．４ＧＨｚであるので、ＳＡＲ３およびＳＡＲ４は値として存在しないことを意味している。
【０４０４】
選択番号＃２は、「第１の無線通信方式」であり、通信方式の名称が「無線ＬＡＮ」、使用する周波数が２．４ＧＨｚであり、ＭＩＭＯ方式、または、ＭＩＳＯ方式の「有」であり、使用する周波数帯域は２０ＭＨｚまたは４０ＭＨｚであり、選択番号＃２の方法で端末が変調信号を送信した場合、ＳＡＲ１がａ１２であり、ＳＡＲ２がｂ１２であることを意味している。また、使用する周波数が２．４ＧＨｚであるので、ＳＡＲ３およびＳＡＲ４は値として存在しないことを意味している。
【０４０５】
選択番号＃３は、「第１の無線通信方式」であり、通信方式の名称が「無線ＬＡＮ」、使用する周波数が２．４ＧＨｚであり、ＭＩＭＯ方式、または、ＭＩＳＯ方式の「無」であり、使用する周波数帯域は２０ＭＨｚであり、選択番号＃３の方法で端末が変調信号を送信した場合、ＳＡＲ１がａ１３であり、ＳＡＲ２がｂ１３であることを意味している。また、使用する周波数が２．４ＧＨｚであるので、ＳＡＲ３およびＳＡＲ４は値として存在しないことを意味している。
【０４０６】
選択番号＃４は、「第１の無線通信方式」であり、通信方式の名称が「無線ＬＡＮ」、使用する周波数が２．４ＧＨｚであり、ＭＩＭＯ方式、または、ＭＩＳＯ方式の「無」であり、使用する周波数帯域は２０ＭＨｚまたは４０ＭＨｚであり、選択番号＃４の方法で端末が変調信号を送信した場合、ＳＡＲ１がａ１４であり、ＳＡＲ２がｂ１４であることを意味している。また、使用する周波数が２．４ＧＨｚであるので、ＳＡＲ３およびＳＡＲ４は値として存在しないことを意味している。
【０４０７】
選択番号＃５は、「第２の無線通信方式」であり、通信方式の名称が「Ｂｌｕｅｔｏｏｔｈ（登録商標）」、使用する周波数が２．４ＧＨｚであり、選択番号＃５の方法で端末が変調信号を送信した場合、ＳＡＲ１がａ２１であり、ＳＡＲ２がｂ２１であることを意味している。また、使用する周波数が２．４ＧＨｚであるので、ＳＡＲ３およびＳＡＲ４は値として存在しないことを意味している。
【０４０８】
選択番号＃６は、「第３の無線通信方式」であり、通信方式の名称が「第四世代携帯電話」、使用する周波数が８００ＭＨｚであり、使用する周波数帯域はＸ Ｈｚであり、選択番号＃６の方法で端末が変調信号を送信した場合、ＳＡＲ１がａ３１であり、ＳＡＲ２がｂ３１であることを意味している。また、使用する周波数が８００ＭＨｚであるので、ＳＡＲ３およびＳＡＲ４は値として存在しないことを意味している。
【０４０９】
選択番号＃７は、「第３の無線通信方式」であり、通信方式の名称が「第四世代携帯電話」、使用する周波数が８００ＭＨｚであり、使用する周波数帯域はＸ Ｈｚ、または、Ｙ Ｈｚであり、選択番号＃７の方法で端末が変調信号を送信した場合、ＳＡＲ１がａ３２であり、ＳＡＲ２がｂ３２であることを意味している。また、使用する周波数が８００ＭＨｚであるので、ＳＡＲ３およびＳＡＲ４は値として存在しないことを意味している。
【０４１０】
選択番号＃８は、「第３の無線通信方式」であり、通信方式の名称が「第四世代携帯電話」、使用する周波数が２ＧＨｚであり、使用する周波数帯域はＸ Ｈｚであり、選択番号＃８の方法で端末が変調信号を送信した場合、ＳＡＲ１がａ３３であり、ＳＡＲ２がｂ３３であることを意味している。また、使用する周波数が２ＧＨｚであるので、ＳＡＲ３およびＳＡＲ４は値として存在しないことを意味している。
【０４１１】
選択番号＃９は、「第３の無線通信方式」であり、通信方式の名称が「第四世代携帯電話」、使用する周波数が２ＧＨｚであり、使用する周波数帯域はＸ Ｈｚ、または、Ｙ Ｈｚであり、選択番号＃９の方法で端末が変調信号を送信した場合、ＳＡＲ１がａ３４であり、ＳＡＲ２がｂ３４であることを意味している。また、使用する周波数が２ＧＨｚであるので、ＳＡＲ３およびＳＡＲ４は値として存在しないことを意味している。
【０４１２】
選択番号＃１０は、「第４の無線通信方式」であり、通信方式の名称が「携帯電話」、使用する周波数が１０ＧＨｚであり、選択番号＃１０の方法で端末が変調信号を送信した場合、ＳＡＲ３がｃ４１であり、ＳＡＲ４がｄ４１であることを意味している。また、使用する周波数が１０ＧＨｚであるので、ＳＡＲ１およびＳＡＲ２は値として存在しないことを意味している。
【０４１３】
選択番号＃１１は、「第４の無線通信方式」であり、通信方式の名称が「携帯電話」、使用する周波数が１５ＧＨｚであり、選択番号＃１１の方法で端末が変調信号を送信した場合、ＳＡＲ３がｃ４２であり、ＳＡＲ４がｄ４２であることを意味している。また、使用する周波数が１５ＧＨｚであるので、ＳＡＲ１およびＳＡＲ２は値として存在しないことを意味している。
【０４１４】
選択番号＃１２は、「第５の無線通信方式」であり、通信方式の名称が「高速無線ＬＡＮ」、使用する周波数が２０ＧＨｚであり、選択番号＃１２の方法で端末が変調信号を送信した場合、ＳＡＲ３がｃ５１であり、ＳＡＲ４がｄ５１であることを意味している。また、使用する周波数が２０ＧＨｚであるので、ＳＡＲ１およびＳＡＲ２は値として存在しないことを意味している。
【０４１５】
選択番号＃１３は、「第５の無線通信方式」であり、通信方式の名称が「高速無線ＬＡＮ」、使用する周波数が６０ＧＨｚであり、ＭＩＭＯ方式、または、ＭＩＳＯ方式の「有」であり、使用する周波数帯域はＰ Ｈｚであり、選択番号＃１３の方法で端末が変調信号を送信した場合、ＳＡＲ３がｃ５２であり、ＳＡＲ４がｄ５２であることを意味している。また、使用する周波数が６０ＧＨｚであるので、ＳＡＲ１およびＳＡＲ２は値として存在しないことを意味している。
【０４１６】
選択番号＃１４は、「第５の無線通信方式」であり、通信方式の名称が「高速無線ＬＡＮ」、使用する周波数が６０ＧＨｚであり、ＭＩＭＯ方式、または、ＭＩＳＯ方式の「有」であり、使用する周波数帯域はＰ Ｈｚ、または、Ｑ Ｈｚであり、選択番号＃１４の方法で端末が変調信号を送信した場合、ＳＡＲ３がｃ５３であり、ＳＡＲ４がｄ５３であることを意味している。また、使用する周波数が６０ＧＨｚであるので、ＳＡＲ１およびＳＡＲ２は値として存在しないことを意味している。
【０４１７】
選択番号＃１５は、「第５の無線通信方式」であり、通信方式の名称が「高速無線ＬＡＮ」、使用する周波数が６０ＧＨｚであり、ＭＩＭＯ方式、または、ＭＩＳＯ方式の「無」であり、使用する周波数帯域はＰ Ｈｚであり、選択番号＃１５の方法で端末が変調信号を送信した場合、ＳＡＲ３がｃ５４であり、ＳＡＲ４がｄ５４であることを意味している。また、使用する周波数が６０ＧＨｚであるので、ＳＡＲ１およびＳＡＲ２は値として存在しないことを意味している。
【０４１８】
選択番号＃１６は、「第５の無線通信方式」であり、通信方式の名称が「高速無線ＬＡＮ」、使用する周波数が６０ＧＨｚであり、ＭＩＭＯ方式、または、ＭＩＳＯ方式の「無」であり、使用する周波数帯域はＰ Ｈｚ、または、Ｑ Ｈｚであり、選択番号＃１６の方法で端末が変調信号を送信した場合、ＳＡＲ３がｃ５５であり、ＳＡＲ４がｄ５５であることを意味している。また、使用する周波数が６０ＧＨｚであるので、ＳＡＲ１およびＳＡＲ２は値として存在しないことを意味している。
【０４１９】
図１３は、図３の送信制御部３０５が行う動作の一つである制御のフローチャートの一例を示している。なお、図１３の動作については、実施の形態２で説明したので説明は省略する。
【０４２０】
図２１の表に基づいて、図１３のグループ設定を行う場合の例を説明する。
【０４２１】
例えば、端末が「グループ＃Ｘ」の設定を行うものとする。このとき、図１３、図２１に基づいた「グループ＃Ｘ」の設定方法について説明する。
【０４２２】
Ｓ１０１にて、通信方式の選択動作を開始する操作を受付の後、Ｓ１０２にて、端末が、例えば、図２１の選択番号「＃６」の選択を受けつける。次に、Ｓ２０３にて、選択番号「＃６」を選択したときのそれぞれのＳＡＲを計算する。ＳＡＲ１についてはａ３１であり、ＳＡＲ２についてはｂ３１である。Ｓ２０４にて、これらの値とそれぞれに対応する規定値とを比較する。ＳＡＲ１について規定値以下であり、かつ、ＳＡＲ２について規定値以下であるものとする。そして、ＳＡＲ３の値、および、ＳＡＲ４の値は存在していないので、ＳＡＲ３に関する規定値の評価は対象外となり、ＳＡＲ４に関する規定値の評価も対象外となる。したがって、ＳＡＲ１及びＳＡＲ２の両方が規定値以下である場合（Ｓ２０５にてＹｅｓ）、Ｓ１０６にて、「グループ＃Ｘ」に選択番号「＃６」を追加する。つまり、「ｊは１以上Ｍ以下（Ｍは２以上の整数である）であり、これを満たす、すべてのｊで、ＳＡＲｊはそれぞれに対応して定められた規定値以下である」についての確認を行うことになる。
【０４２３】
次に、Ｓ１０７にて、次の「同時送信用の通信方式」の選択を受けつけたか否かを判定する。例えば、図２１の選択番号「＃９」の選択を受けつけるものとする（Ｓ１０７にてＹｅｓ）。この場合、Ｓ２０３に戻り、選択番号「＃９」をグループ＃Ｘに追加したときのそれぞれＳＡＲを計算する。ａ３４が選択番号「＃９」のＳＡＲ１の値であるため（図２１参照）、ＳＡＲ１の合計値はａ３１＋ａ３４となる。また、ｂ３４が選択番号「＃９」のＳＡＲ２の値であるため（図２１参照）、ＳＡＲ２の合計値はｂ３１＋ｂ３４となる。Ｓ２０４にて、これらの値とそれぞれに対応する規定値とを比較する。ここで、「ＳＡＲ１の合計値が、ＳＡＲ１に対応する規定値以下であり、かつ、ＳＡＲ２の合計値が、ＳＡＲ２に対応する規定値以下である」という条件を満たさない場合（Ｓ２０５にてＮｏ）、「グループ＃Ｘ」に、選択番号「＃９」を追加しない。なお、ＳＡＲ３の値、および、ＳＡＲ４の値は存在していないので、ＳＡＲ３に関する規定値の評価は対象外となり、ＳＡＲ４に関する規定値の評価も対象外となる。
【０４２４】
次に、Ｓ１０７にて、次の「同時送信用の通信方式」の選択を受けつけたか否かを判定する。ユーザーが選択を行った場合、Ｓ２０３に再び戻ることになる。
【０４２５】
ここで、図２１の選択番号「＃１」の選択を受けつけるものとする（Ｓ１０７にてＹｅｓ）。Ｓ２０３にて、選択番号「＃１」をグループ＃Ｘに追加したときのそれぞれのＳＡＲを計算する。ａ１１が選択番号「＃１」のＳＡＲ１の値であるため（図２１参照）、ＳＡＲ１の合計値はａ３１＋ａ１１となる。また、ｂ１１が選択番号「＃１」のＳＡＲ２の値であるため（図２１参照）、ＳＡＲ２の合計値はｂ３１＋ｂ１１となる。Ｓ２０４にて、これらの値とそれぞれに対応する規定値とを比較する。ここで、「ＳＡＲ１の合計値が、ＳＡＲ１に対応する規定値以下であり、かつ、ＳＡＲ２の合計値が、ＳＡＲ２に対応する規定値以下である」という条件を満たす場合（Ｓ２０５にてＹｅｓ）、Ｓ１０６にて、「グループ＃Ｘ」に、選択番号「＃１」を追加する。なお、ＳＡＲ３の値、および、ＳＡＲ４の値は存在していないので、ＳＡＲ３に関する規定値の評価は対象外となり、ＳＡＲ４に関する規定値の評価も対象外となる。
【０４２６】
次に、Ｓ１０７にて、次の「同時送信用の通信方式」の選択を受けつけたか否かを判定する。ユーザーが選択を行った場合、Ｓ２０３に再び戻ることになる。
【０４２７】
ここで、図２１の選択番号「＃１０」の選択を受けつけるものとする（Ｓ１０７にてＹｅｓ）。Ｓ２０３にて、選択番号「＃１０」をグループ＃Ｘに追加したときのそれぞれのＳＡＲを計算する。ｃ４１が選択番号「＃１０」のＳＡＲ３の値であるため（図２１参照）、ＳＡＲ３の合計値はｃ４１となる。また、ｄ４１が選択番号「＃１０」のＳＡＲ４の値であるため（図２１参照）、ＳＡＲ４の合計値はｄ４１となる。Ｓ２０４にて、これらの値とそれぞれに対応する規定値とを比較する。ここで、「ＳＡＲ３の合計値が、ＳＡＲ３に対応する規定値以下であり、かつ、ＳＡＲ４の合計値が、ＳＡＲ４に対応する規定値以下である」という条件を満たす場合（Ｓ２０５にてＹｅｓ）、Ｓ１０６にて、「グループ＃Ｘ」に、選択番号「＃１０」を追加する。なお、ＳＡＲ１の値、および、ＳＡＲ２の値は存在していないので、ＳＡＲ１に関する規定値の評価は対象外となり、ＳＡＲ２に関する規定値の評価も対象外となる。
【０４２８】
次に、Ｓ１０７にて、次の「同時送信用の通信方式」の選択を受けつけたか否かを判定する。ユーザーが選択を行った場合、Ｓ２０３に再び戻ることになる。
【０４２９】
ここで、図２１の選択番号「＃１１」の選択を受けつけるものとする（Ｓ１０７にてＹｅｓ）。Ｓ２０３にて、選択番号「＃１１」をグループ＃Ｘに追加したときのそれぞれＳＡＲを計算する。ｃ４２が選択番号「＃１１」のＳＡＲ３の値であるため（図２１参照）、ＳＡＲ３の合計値はｃ４１＋ｃ４２となる。また、ｄ４２が選択番号「＃１１」のＳＡＲ４の値であるため（図２１参照）、ＳＡＲ４の合計値はｄ４１＋ｄ４２となる。Ｓ２０４にて、これらの値とそれぞれに対応する規定値とを比較する。ここで、「ＳＡＲ３の合計値が、ＳＡＲ３に対応する規定値以下であり、かつ、ＳＡＲ４の合計値が、ＳＡＲ４に対応する規定値以下である」という条件を満たさない場合（Ｓ２０５にてＮｏ）、「グループ＃Ｘ」に、選択番号「＃１１」を追加しない。なお、ＳＡＲ１の値、および、ＳＡＲ２の値は存在していないので、ＳＡＲ１に関する規定値の評価は対象外となり、ＳＡＲ２に関する規定値の評価も対象外となる。
【０４３０】
次に、Ｓ１０７にて、次の「同時送信用の通信方式」の選択を受けつけたか否かを判定する。ユーザーが選択を行った場合、Ｓ２０３に再び戻ることになる。
【０４３１】
ここで、図２１の選択番号「＃１３」の選択を受けつけるものとする（Ｓ１０７にてＹｅｓ）。Ｓ２０３にて、選択番号「＃１３」をグループ＃Ｘに追加したときのそれぞれのＳＡＲを計算する。ｃ５２が選択番号「＃１３」のＳＡＲ３の値であるため（図２１参照）、ＳＡＲ３の合計値はｃ４１＋ｃ５２となる。また、ｄ５２が選択番号「＃１３」のＳＡＲ４の値であるため（図２１参照）、ＳＡＲ４の合計値はｄ４１＋ｄ５２となる。Ｓ２０４にて、これらの値とそれぞれに対応する規定値とを比較する。ここで、「ＳＡＲ３の合計値が、ＳＡＲ３に対応する規定値以下であり、かつ、ＳＡＲ４の合計値が、ＳＡＲ４に対応する規定値以下である」という条件を満たす場合（Ｓ２０５にてＹｅｓ）、Ｓ１０６にて、「グループ＃Ｘ」に、選択番号「＃１３」を追加する。なお、ＳＡＲ１の値、および、ＳＡＲ２の値は存在していないので、ＳＡＲ１に関する規定値の評価は対象外となり、ＳＡＲ２に関する規定値の評価も対象外となる。
【０４３２】
次に、Ｓ１０７にて、次の「同時送信用の通信方式」の選択を受けつけたか否かを判定する。ユーザーから次の「同時送信用の通信方式」の選択を受けつけない場合（Ｓ１０７にてＮｏ）、例えば、ユーザーから「選択しない」という指示を受けつけた場合、「同時送信の通信方式の選択を完了」する（Ｓ１０８）。
【０４３３】
そして、端末は、同時送信に用いられる複数の通信方式の組合せの情報（グループ情報）を「グループ＃Ｘ」として記憶しておく。そして、端末は、グループ＃Ｘを呼び出し、グループ＃Ｘを構成する複数の通信方式を用いて、データを送信することになる。これにより、ＳＡＲの規定値以下を実現しながら、変調信号を同時送信することができ、データの伝送速度を向上させることができるという効果を得ることができる。
【０４３４】
以上のように、本実施の形態では、ユーザーが同時送信に用いる複数の通信方式を選択し、ＳＡＲの合計値が規定値以下となるような、複数の通信方式で構成されるグループを形成し、そのグループの情報に基づいて、変調信号を同時送信することで、ＳＡＲの合計値が規定値以下という条件を実現しながら、データの伝送速度を向上させることができるという効果を得ることができる。
【０４３５】
なお、本実施の形態では、通信方式として、無線ＬＡＮ、Ｂｌｕｅｔｏｏｔｈ（登録商標）、第三世代携帯電話、第四世代携帯電話を例に説明したがこれに限ったものではなく、他の無線通信方式が、同時送信する通信方式の一つに選ばれても、本実施の形態は、同様に実施することができる。また、選択番号の分類方法として、図１６、図１７、図１８、図１９、図２０、図２１を用いて説明しているが、これに限ったものではなく、他の分類方法を用いて、選択番号を設定し、本実施の形態で説明したグループの設定を行っても同様に実施することができる。
【０４３６】
そして、端末の画面において、図１０に示すような確認ができてもよい。図１０では、通信方式と（予想）伝送速度の関係が示されている。（ただし、伝送速度については、上でも述べたように、端末の受信時のデータ伝送速度であってもよいし、端末の送信時のデータの伝送速度であってもよい。また、表示は、端末の送信時のデータの伝送速度と端末の受信時のデータの伝送速度の両者が表示されていてもよい。当然であるが、一方が表示されていてもよい。）なお、図１０の説明は、実施の形態１で説明したので省略する。
【０４３７】
このような表示を端末が行うと、ユーザーは、例えば、要求データの伝送速度やバッテリーの残量を考慮して、好適な通信方式を選択することができるという利点をもつことになり、本実施の形態で説明した設定方法を有効に活用することができるという効果を得ることができる。
【０４３８】
また、本実施の形態で説明した端末で行うグループ化については、ユーザーが端末を操作することで、グループ化を行ってもよいし、ユーザーが他の機器を介して、実施の形態で説明したグループ化の端末の設定を行ってもよい。この点については、実施の形態１で図１１を用いて説明したのでここでは説明を省略する。
【０４３９】
（実施の形態４）
本実施の形態では、これまでに説明した端末でのグループ化を利用した通信局による、無線通信方式の選択方法について説明する。
【０４４０】
端末、通信局、プロキシサーバー、サーバーの通信状態として、図１のような通信状態を考える。このとき、端末は、実施の形態１から実施の形態３で説明したように、同時送信する無線通信方式に関するグループ化の設定を行ったものとする。
【０４４１】
本実施の形態では、端末が、「同時送信に用いる複数の無線通信方式の組合せであるグループ」の設定を行い、その情報をいずれかの通信方式を使い、図１のサーバー１０２、および／または、プロキシサーバー１０４に伝送するものとする。
【０４４２】
例えば、図３の端末１０８の送信制御部３０５において、実施の形態１から実施の形態３に基づく、「同時送信に用いる複数の無線通信方式の組合せであるグループ」の設定を行うものとする。「同時送信に用いる複数の無線通信方式の組合せであるグループ」に関するグループ情報を含む送信制御信号３０６を、第ｉの送信部３０７＿ｉ（ｉは１以上Ｎ以下の整数）は、入力とする。そして、第ｉの送信部３０７＿ｉのいずれか１つまたは複数が、「同時送信に用いる複数の無線通信方式の組合せであるグループ」に関する情報を送信するものとする。
【０４４３】
図２２は、送信信号のフレーム構成の一例を示す図である。第Ｘの送信部３０７＿Ｘにより、端末が、「同時送信に用いる複数の無線通信方式の組合せであるグループ」に関するグループ情報を送信する場合に、図２２に示すようなフレーム構成の送信信号を送信する。
【０４４４】
図２２において、横軸は時間、縦軸は周波数であるものとする。プリアンブル２２０１は、受信装置（通信局）が、時間同期、周波数同期、信号検出、伝送路変動の推定を行うためのシンボルであるものとする。
【０４４５】
制御情報シンボル２２０２は、データシンボル２２０３を生成するために使用した誤り訂正方法に関する情報（誤り訂正符号の情報、符号長・符号化率などに関する情報）、変調方式に関する情報、送信方法に関する情報に加え、上で説明した「同時送信に用いる複数の無線通信方式の組合せであるグループ」に関する情報を含んでいるものとする。
【０４４６】
データシンボル２２０３は、データを伝送するためのシンボルであるものとする。
【０４４７】
なお、フレーム構成については、図２２に限ったものではなく、また、図２２で示したシンボル以外のシンボル、例えば、パイロットシンボル、リファレンスシンボルなどのシンボルを含んでいてもよい。
【０４４８】
図１のプロキシサーバー１０４は、第１の通信局１０６−１、第２の通信局１０６−２、・・・、第Ｎの通信局１０６−Ｎを経由して、端末１０８が送信した、「同時送信に用いる複数の無線通信方式の組合せであるグループ」に関する情報を得ることになる。なお、実施の形態１から実施の形態３で説明したように、「同時送信を行う複数の無線通信方式で構成されるグループ」の設定を、他の機器（例えば、コンピューターなど）から行うことも可能である。この場合、他の機器が、有線、および／または、無線により、プロキシサーバー１０４に、「同時送信に用いる複数の無線通信方式の組み合わせであるグループ」に関する情報を送信してもよい。
【０４４９】
この場合における、プロキシサーバーの構成について説明する。図２３は、プロキシサーバー１０４の構成の一例を示す図である。図２３の受信データ解析、および、受信データ振り分け部２３０５は、第１の通信局１０６−１からの受信データ２３０４−１、第２の通信局１０６−２からの受信データ２３０４−２、・・・、第Ｎの通信局１０６−Ｎからの受信データ２３０４−Ｎを入力とし、受信データの解析を行い、「同時送信に用いる複数の無線通信方式の組合せであるグループ」に関する情報を抽出し、グループ情報を含む信号２３０７を出力する。
【０４５０】
また、受信データ解析、および、受信データ振り分け部２３０５は、第１の通信局１０６−１からの受信データ２３０４−１、第２の通信局１０６−２からの受信データ２３０４−２、・・・、第Ｎの通信局１０６−Ｎからの受信データ２３０４−Ｎの振り分けを行い、例えば、受信データ２３０６を出力する。
【０４５１】
無線通信方式選択部２３０８は、「同時送信に用いる複数の無線通信方式の組合せであるグループ」に関するグループ情報を含む信号２３０７を入力とし、グループ情報に基づいて、データ送信に使用する無線通信方式を一つ以上選択する。
【０４５２】
例えば、実施の形態１で説明したように、グループ＃Ｘとして、図４の表の選択番号＃１と選択番号＃６が登録されているものとし、この情報を、無線通信方式選択部２３０８が得たとする。すると、無線通信方式選択部２３０８は、データを送信するための無線通信方式として、図４の表の選択番号＃１と選択番号＃６を選択するものとし、この情報を選択信号２３１０として、出力する。
【０４５３】
送信データ振り分け部２３０２は、データ２３０１、選択信号２３１０を入力とし、選択信号２３１０が、「図４の表の選択番号＃１と選択番号＃６」を示しているので、データ２３０１を「図４の表の選択番号＃１と選択番号＃６」の無線通信方式に対応する通信局でデータを送信するためのデータの割り当てを行う。例えば、「図４の表の選択番号＃１と選択番号＃６」の無線通信方式に対応する通信局が、図１の第１の通信局１０６−１と第Ｎの通信局１０６−Ｎの場合、図２３の送信データ振り分け部２３０２は、データ２３０１を第１のデータ２３０３―１と第Ｎのデータ２３０３−Ｎに振り分ける。そして、第１のデータ２３０３―１を含む変調信号を、第１の通信局１０６−１が送信し、第Ｎのデータ２３０３−Ｎを含む変調信号を、第Ｎの通信局１０６−Ｎが送信する。
【０４５４】
なお、例えば、「同時送信に用いる複数の無線通信方式の組合せであるグループ」であるグループ＃Ｘが、２種類以上の図４などの表に対応する選択番号を含んでいるとき、グループ＃Ｘに含まれているすべての選択番号に相当する無線通信方式で、（図１の）通信局がデータを送信しなくてもよい。つまり、「同時送信に用いる複数の無線通信方式の組合せであるグループ」であるグループ＃Ｘに含まれている選択番号のうち、一つ以上の選択番号を選択し、（図１の）通信局がデータを含む変調信号を送信するとしてもよい。
【０４５５】
また、実施の形態１から実施の形態３で説明したように、「同時送信に用いる複数の無線通信方式の組合せであるグループ」を複数設定している場合がある。この場合、例えば、端末１０８は、複数のグループを示すグループ情報をプロキシサーバー１０４に渡し、その情報にもとづき、プロキシサーバー１０４は、図４などの表に対応する選択番号の中から、一つ以上の選択番号を選択し、（図１の）通信局がデータを含む変調信号を送信するとしてもよい。
【０４５６】
例えば、端末１０８が、「同時送信に用いる複数の無線通信方式の組合せかであるグループ」として、グループ＃Ｘとグループ＃Ｙの設定を行っているものとする。すると、端末１０８は、グループ＃Ｘに関する情報とグループ＃Ｙに関する情報をプロキシサーバー１０４に伝送するものとする。そして、プロキシサーバー１０４は、グループ＃Ｘ、グループ＃Ｙのいずれかを選択する。そして、選択したグループに含まれる（図４などの表に対応する）選択番号のなかから、データを送信するための選択番号を選択し、データを送信するための選択番号に対応する通信局から、データを含む変調信号を送信することになる。
【０４５７】
以上のように、本実施の形態では、端末で設定した「同時送信に用いる複数の無線通信方式の組合せであるグループ」の情報をプロキシサーバーに伝送し、その情報に基づいて、無線通信方式を選択することで、ＳＡＲの規定値以下を実現しながら、データの伝送速度を向上させることができるという効果を得ることができる。
【０４５８】
上述の説明において、プロキシサーバーによる構成を説明したが、プロキシサーバーではなく、サーバーが、上述で説明した動作を行ってもよい。したがって、図１のプロキシサーバー１０４をサーバーに置き換えてもよく、このとき、サーバーが図２３の構成を有していることになる。
【０４５９】
なお、上記の説明では、プロキシサーバーあるいはサーバーが、グループ情報にもとづいて、送信データあるいは受信データを複数の通信局に振り分けるとして説明したが、プロキシサーバーあるいはサーバーに接続するコンピュータのような電子機器が、グループ情報にもとづいて、データを複数の通信局に振り分けてもよい。また、プロキシサーバーが、サーバーであってもよく、そして、プロキシ―サーバー、サーバーを別の呼び方をしてもよい（呼び方は、サーバー、プロキシサーバーに限ったものではない）。
【０４６０】
（実施の形態５）
本実施の形態では、実施の形態４とは異なる無線通信方式の設定方法について詳しく説明する。
【０４６１】
端末、通信局、プロキシサーバー、サーバーの通信状態として、図１のような通信状態を考える。
【０４６２】
そして、端末は、例えば、図４、図７、図１２、図１４、図１５、図１６、図１７、図１８、図１９、図２０、図２１の表に関する情報、つまり、端末における無線通信方式とＳＡＲの対応関係に関する情報を、図１のサーバー１０２、および／または、プロキシサーバー１０４に伝送するものとする。
【０４６３】
例えば、図３の端末１０８の送信制御部３０５が保有している端末における無線通信方式とＳＡＲの対応関係に関する情報を、第ｉの送信部３０７＿ｉ（ｉは１以上Ｎ以下の整数）は、入力とする。そして、第ｉの送信部３０７＿ｉのいずれか１つまたは複数が、「無線通信方式とＳＡＲの対応関係に関する情報」を送信するものとする。
【０４６４】
図２２に、第Ｘの送信部３０７＿Ｘにより、端末が、「無線通信方式とＳＡＲの対応関係に関する情報」を送信する場合の、送信信号のフレーム構成は、図２２と同様である。
【０４６５】
図２２において、横軸は時間、縦軸は周波数であるものとする。プリアンブル２２０１は、受信装置（通信局）が、時間同期、周波数同期、信号検出、伝送路変動の推定を行うためのシンボルであるものとする。
【０４６６】
制御情報シンボル２２０２は、データシンボル２２０３を生成するために使用した誤り訂正方法に関する情報（誤り訂正符号の情報、符号長・符号化率などに関する情報）、変調方式に関する情報、送信方法に関する情報に加え、上で説明した「無線通信方式とＳＡＲの対応関係に関する情報」を含んでいるものとする。
【０４６７】
データシンボル２２０３は、データを伝送するためのシンボルであるものとする。
【０４６８】
なお、フレーム構成については、図２２に限ったものではなく、また、図２２で示したシンボル以外のシンボル、例えば、パイロットシンボル、リファレンスシンボルなどのシンボルを含んでいてもよい。
【０４６９】
図１のプロキシサーバー１０４は、第１の通信局１０６−１、第２の通信局１０６−２、・・・、第Ｎの通信局１０６−Ｎを経由して、端末１０８が送信した、「無線通信方式とＳＡＲの対応関係に関する情報」を得ることになる。なお、「無線通信方式とＳＡＲの対応関係に関する情報」を、他の機器が、有線、および／または、無線により、プロキシサーバー１０４に、送信してもよい。
【０４７０】
この場合における、プロキシサーバーの構成は、図２３に示した一例と同様である。図２３の受信データ解析、および、受信データ振り分け部２３０５は、第１の通信局１０６−１からの受信データ２３０４−１、第２の通信局１０６−２からの受信データ２３０４−２、・・・、第Ｎの通信局１０６−Ｎからの受信データ２３０４−Ｎを入力とし、受信データの解析を行い、「無線通信方式とＳＡＲの対応関係に関する情報」を抽出し、「無線通信方式とＳＡＲの対応関係に関する情報」を含む信号２３０７を出力する。
【０４７１】
また、受信データ解析、および、受信データ振り分け部２３０５は、第１の通信局１０６−１からの受信データ２３０４−１、第２の通信局１０６−２からの受信データ２３０４−２、・・・、第Ｎの通信局１０６−Ｎからの受信データ２３０４−Ｎの振り分けを行い、例えば、受信データ２３０６を出力する。
【０４７２】
無線通信方式選択部２３０８は、「無線通信方式とＳＡＲの対応関係に関する情報」を含む信号２３０７を入力とし、「無線通信方式とＳＡＲの対応関係に関する情報」に基づいて、データ送信に使用する無線通信方式を一つ以上選択する。
【０４７３】
このとき、端末が、同時送信してもＳＡＲが規定値以下となることを考慮して、無線通信方式選択部２３０８は、データを送信する無線通信方式を一つ以上選択することになる。このとき、端末から得た「無線通信方式とＳＡＲの対応関係に関する情報」に基づいて、データ送信に使用する無線通信方式を一つ以上選択することになる。
【０４７４】
無線通信方式選択部２３０８で選択したデータを伝送するための一つ以上の（または、複数の）無線通信方式で、図１の第１の通信局１０６−１、第２の通信局１０６−２、・・・、第Ｎの通信局１０６−Ｎのいずれかを用いて、データを含む変調信号を端末１０８に送信することになるが、端末１０８は、無線通信方式選択部２３０８で選択したデータを伝送するための一つ以上の（または、複数の）無線通信方式で変調信号を送信する可能性があり、このとき、「無線通信方式選択部２３０８で選択したデータを伝送するための一つ以上の（または、複数の）無線通信方式」による同時送信が端末で行われる可能性がある。この点については、実施の形態４でも同様である。
【０４７５】
したがって、無線通信方式選択部２３０８が、データ送信に使用する無線通信方式を一つ以上選択する場合、端末１０８が同時送信した際にＳＡＲが規定値以下となるような組み合わせの無線通信方式を一つ以上選択することになる。選択の際、端末が送信した「無線通信方式とＳＡＲの対応関係に関する情報」に基づき、ＳＡＲが規定値以下となるように、無線通信方式を選択することになる。そして、図１の第１の通信局１０６−１、第２の通信局１０６−２、・・・、第Ｎの通信局１０６−Ｎのうち、選択した無線通信方式に相当する通信局が、データを送信することになる。
【０４７６】
以上のように、本実施の形態では、プロキシサーバー１０４が、端末１０８が送信した「無線通信方式とＳＡＲの対応関係に関する情報」に基づき、ＳＡＲが規定値以下となるように、無線通信方式を選択し、通信局がデータを送信することになる。これにより、端末１０８におけるＳＡＲが規定値以下を実現しながら、データの伝送速度を向上させることができるという効果を得ることができる。
【０４７７】
上述の説明において、プロキシサーバーによる構成を説明したが、プロキシサーバーではなく、サーバーが、上述で説明した動作を行ってもよい。したがって、図１のプロキシサーバー１０４をサーバーに置き換えてもよく、このとき、サーバーが図２３の構成を有していることになる。
【０４７８】
なお、上記の説明では、プロキシサーバーあるいはサーバーが、グループ情報にもとづいて、送信データあるいは受信データを複数の通信局に振り分けるとして説明したが、プロキシサーバーあるいはサーバーに接続するコンピュータのような電子機器が、グループ情報にもとづいて、データを複数の通信局に振り分けてもよい。また、プロキシサーバーが、サーバーであってもよく、そして、プロキシ―サーバー、サーバーを別の呼び方をしてもよい（呼び方は、サーバー、プロキシサーバーに限ったものではない）。
【０４７９】
（実施の形態６）
本実施の形態では、端末が変調信号を送信する際に、「同時送信に用いる複数の無線通信方式の組合せであるグループ」を切替える場合について説明する。
【０４８０】
例えば、端末１０８が、「同時送信に用いる複数の無線通信方式の組合せかであるグループ」として、グループ＃Ｘとグループ＃Ｙの設定を行っているものとする。この場合を例にとって、グループの切替について説明する。なお、設定されるグループの数は、３つ以上であってもよい。
【０４８１】
図２４は、グループの切替タイミングの一例を示す図である。図２４の横軸は、時間軸を示している。図２４は、「同時送信に用いる複数の無線通信方式の組合せであるグループ」であるグループ＃Ｘとグループ＃Ｙが、時間軸方向で切替えられることを示している。
【０４８２】
具体的には、時間間隔２４０１にて、端末は、グループ＃Ｘを構成する複数の通信方式を用いて、データを送信し、グループ＃Ｙを構成する複数の通信方式を用いてデータを受信することになる。なお、図２４では時間間隔２４０１においてグループ＃Ｙの受信を端末が行っている例で説明しているが、グループ＃Ｙの受信を行わなくてもよい。また、グループ＃Ｘの送信の時間的間隔とグループ＃Ｙの受信の時間的間隔が異なっていてもよい（同一でもよい）。そして、時間間隔２４０１と時間間隔２４０２との間、つまり、端末における送信タイミングと受信タイミングの切替時に、「同時送信に用いる複数の無線通信方式の組合せであるグループ」がグループ＃Ｘからグループ＃Ｙに切替えられる。
【０４８３】
同様に、時間間隔２４０２にて、端末は、グループ＃Ｙを構成する複数の通信方式を用いて、データを送信し、グループ＃Ｘを構成する複数の通信方式を用いてデータを受信することになる。なお、図２４では時間間隔２４０２においてグループ＃Ｘの受信を端末が行っている例で説明しているが、グループ＃Ｘの受信を行わなくてもよい。また、グループ＃Ｙの送信の時間的間隔とグループ＃Ｘの受信の時間的間隔が異なっていてもよい（同一でもよい）。そして、時間間隔２４０２と時間間隔２４０３との間、つまり、端末における送信タイミングと受信タイミングの切替時に、「同時送信に用いる複数の無線通信方式の組合せであるグループ」がグループ＃Ｙからグループ＃Ｘに切替えられる。また、同様に、時間間隔２４０３と時間間隔２４０４との間、つまり、端末における送信タイミングと受信タイミングの切替時に、「同時送信に用いる複数の無線通信方式の組合せであるグループ」がグループ＃Ｘからグループ＃Ｙに切替えられる。
【０４８４】
上記で説明した「同時送信に用いる複数の無線通信方式の組合せであるグループ」の切替は、端末がグループを選択する場合に、端末が切替を行ってもよいし、プロキシサーバーがグループを選択する場合に、プロキシサーバーが切替を行ってもよい。
【０４８５】
なお、本開示におけるグループの切替は、端末における送信タイミングと受信タイミングの切替時に限らない。複数のグループを時分割で切替えてもよい。そして、各グループでＳＡＲの値を規定値以下に抑えていれば、この端末はＳＡＲの値を規定値以下に抑えていることになる。
【０４８６】
当然であるが、本明細書において説明した実施の形態、その他の内容を複数組み合わせて、実施してもよい。
【０４８７】
また、各実施の形態、その他の内容については、あくまでも例であり、例えば、「変調方式、誤り（消失）訂正符号化方式（使用する誤り訂正符号、符号長、符号化率等）、制御情報など」を例示していても、別の「変調方式、誤り（消失）訂正符号化方式（使用する誤り訂正符号、符号長、符号化率等）、制御情報など」を適用した場合でも同様の構成で実施することが可能である。
【０４８８】
変調方式については、本明細書で記載している変調方式以外の変調方式を使用しても、本明細書において説明した実施の形態、その他の内容を実施することが可能である。例えば、ＡＰＳＫ（Amplitude Phase Shift Keying）（例えば、16APSK, 64APSK, 128APSK, 256APSK, 1024APSK, 4096APSKなど）、ＰＡＭ（Pulse Amplitude Modulation）（例えば、4PAM, 8PAM, 16PAM, 64PAM, 128PAM, 256PAM, 1024PAM, 4096PAMなど）、ＰＳＫ（Phase Shift Keying）（例えば、BPSK, QPSK, 8PSK, 16PSK, 64PSK, 128PSK, 256PSK, 1024PSK, 4096PSKなど）、ＱＡＭ（Quadrature Amplitude Modulation）（例えば、4QAM, 8QAM, 16QAM, 64QAM, 128QAM, 256QAM, 1024QAM, 4096QAMなど）などを適用してもよいし、各変調方式において、均一マッピング、非均一マッピングとしてもよい。
【０４８９】
また、変調信号は、シングルキャリア方式の信号、ＯＦＤＭ（Orthogonal Frequency Division Multiplexing）などのマルチキャリア方式の信号、いずれであってもよい。そして、伝送方法としては、送信装置が一つのアンテナ、受信装置が一つ以上のアンテナで信号を受信する伝送方法（ＳＩＳＯ（Single-Input Single-Output）伝送方法、ＳＩＭＯ（Single-Input Multiple-Output）伝送方法）であってもよいし、また、送信装置が複数ストリームを送信し、受信装置が１つ以上のアンテナで変調信号を受信する方式（ＭＩＭＯ（Multiple-Input Multiple-Output）伝送方式、ＭＩＳＯ（Multiple-Input Single-Output）伝送方式）を用いてもよい。また、時空間ブロック符号、時空間トレリス符号を用いてもよい（このとき、ＯＦＤＭなどのマルチキャリア方式を用いているとき、シンボルを時間軸方向に並べてもよいし、周波数軸方向に並べてもよいし、周波数―時間軸方向に並べてもよい）。
【０４９０】
本開示は上記の実施の形態で説明した内容に限定されず、本開示の目的とそれに関連又は付随する目的を達成するためのいかなる形態においても実施可能であり、例えば、以下であってもよい。
【０４９１】
（１）上記の各実施の形態では、主に、符号化器及び送信装置で実現する場合について説明しているが、これに限られるものではなく、例えば、有線による放送、有線通信、電灯線通信、光通信、無線通信装置で実現する場合においても適用可能である。
【０４９２】
（２）上記の各実施の形態で説明した送信側の通信装置の動作の手順をプログラムに記載し、当該プログラムを予めＲＯＭ（Read Only Memory）に格納しておき、ＣＰＵ（Central Processing Unit）がＲＯＭに記憶された当該プログラムを読み出して実行するようにしてもよい。また、送信側の通信装置の動作の手順を記載したプログラムをコンピュータで読み取り可能な記憶媒体に格納し、記憶媒体に格納されたプログラムをコンピュータのＲＡＭ（Random Access Memory）に記憶して、コンピュータのＣＰＵがＲＡＭに記憶された当該プログラムを読み出して実行するようにしてもよい。
【０４９３】
（３）上記の各実施の形態などの各構成は、典型的には集積回路であるＬＳＩ（Large Scale Integration）として実現されてもよい。これらは、個別に１チップ化されてもよいし、各実施の形態の全ての構成または一部の構成を含むように１チップ化されてもよい。
【０４９４】
ここでは、ＬＳＩとしたが、集積度の違いにより、ＩＣ（Integrated Circuit）、システムＬＳＩ、スーパーＬＳＩ、ウルトラＬＳＩと呼称されることもある。また、集積回路化の手法はＬＳＩに限られるものではなく、専用回路または汎用プロセッサで実現しても良い。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用しても良い。
【０４９５】
さらに、半導体技術の進歩又は派生する別技術によりＬＳＩに置き換わる集積回路化の技術が登場すれば、当然、その技術を用いて機能ブロックの集積化を行っても良い。バイオ技術の適応等が可能性としてあり得る。
【０４９６】
（４）本開示は、無線通信（無線による放送）に限らず、電灯線通信（ＰＬＣ：Power Line Communication）、可視光通信、光通信などの有線通信および有線による放送においても有用であることは言うまでもない。
【０４９７】
（５）上記の各実施の形態では、物理層やアプリケーション層、パケットレベルという用語を用いて説明したが、これは単に定義であって、呼び名はこれに限られるものではない。
【０４９８】
（６）物理層の誤り訂正符号のことを一般的にＦＥＣ（Forward Error Correction）schemeと呼ばれることがある。
【０４９９】
（７）パケットレベルの誤り（消失）訂正符号のことをＡＬ（Application Layer）−（Forward Error Correction）schemeと呼ばれることがある。
【０５００】
本明細書において、送信装置を具備しているのは、例えば、放送局、基地局、アクセスポイント、端末、携帯電話（ｍｏｂｉｌｅ  ｐｈｏｎｅ）等の通信・放送機器であることが考えられ、このとき、受信装置を具備しているのは、テレビ、ラジオ、端末、パーソナルコンピュータ、携帯電話、アクセスポイント、基地局等の通信機器であることが考えられる。また、本開示における送信装置、受信装置は、通信機能を有している機器であって、その機器が、テレビ、ラジオ、パーソナルコンピュータ、携帯電話等のアプリケーションを実行するための装置に何らかのインターフェースを解して接続できるような形態であることも考えられる。
【０５０１】
また、本実施の形態では、データシンボル以外のシンボル、例えば、パイロットシンボル（プリアンブル、ユニークワード、ポストアンブル、リファレンスシンボル等）、制御情報用のシンボルなどが、フレームにどのように配置されていてもよい。そして、ここでは、パイロットシンボル、制御情報用のシンボルと名付けているが、どのような名付け方を行ってもよく、機能自身が重要となっている。
【０５０２】
パイロットシンボルは、例えば、送受信機において、ＰＳＫ変調を用いて変調した既知のシンボル（または、受信機が同期をとることによって、受信機は、送信機が送信したシンボルを知ることができてもよい。）であればよく、受信機は、このシンボルを用いて、周波数同期、時間同期、（各変調信号の）チャネル推定（ＣＳＩ（Ｃｈａｎｎｅｌ  Ｓｔａｔｅ  Ｉｎｆｏｒｍａｔｉｏｎ）の推定）、信号の検出等を行うことになる。
【０５０３】
また、制御情報用のシンボルは、（アプリケーション等の）データ以外の通信を実現するための、通信相手に伝送する必要がある情報（例えば、通信に用いている変調方式・誤り（消失）訂正符号化方式・誤り（消失）訂正符号化方式の符号化率、上位レイヤーでの設定情報等）を伝送するためのシンボルである。
【０５０４】
送信装置と受信装置に対し、送信方法（ＭＩＭＯ、ＳＩＳＯ、時空間ブロック符号、インタリーブ方式）、変調方式、誤り訂正符号化方式、パケットレベルの誤り（消失）訂正方式を通知する必要があるが、実施の形態によってはこの点についての記載を省略している。なお、送信装置が送信するフレームに、これらの情報を伝送するシンボルが存在することになり、受信装置はこれを得ることで、動作を変更することになる。
【０５０５】
なお、本開示は各実施の形態に限定されず、種々変更して実施することが可能である。例えば、各実施の形態では、通信装置として行う場合について説明しているが、これに限られるものではなく、この通信方法をソフトウェアとして行うことも可能である。
【産業上の利用可能性】
【０５０６】
本開示にかかる端末装置は、複数の無線通信方式を用いて複数の変調信号を送信することができる端末に好適である。
【符号の説明】
【０５０７】
１０２，１０２−１〜１０２−Ｎ  サーバー
１０４，１０４−１〜１０４−Ｎ  プロキシサーバー
１０６−１〜１０６−Ｎ  通信局
１０８，１１０１  端末
３０１  送信情報
３０２  送信データ解析部
３０３＿１〜３０３＿Ｎ  送信データ
３０４  送信制御情報
３０５  送信制御部
３０６  送信制御信号
３０７＿１〜３０７＿Ｎ  送信部
３０８＿１〜３０８＿Ｎ  送信信号
３０９＿１〜３０９＿Ｎ  送信アンテナ
３１０＿１〜３１０＿Ｎ  受信アンテナ
３１１＿１〜３１１＿Ｎ  受信信号
３１２＿１〜３１２＿Ｎ  受信部
３１３＿１〜３１３＿Ｎ  受信データ
３１４  受信データ解析部
３１５  受信データ
３１６  受信制御情報
３１７  受信制御部
３１８  受信制御信号
１１０２  第１機器
１１０３  第２機器
２２０１  プリアンブル
２２０２  制御情報シンボル
２２０３  データシンボル
２３０１，２３０３−１〜２３０３−Ｎ  データ
２３０２  送信データ振り分け部
２３０４−１〜２３０４−Ｎ，２３０６  受信データ
２３０５  受信データ解析、および、受信データ振り分け部
２３０７  信号
２３０８  無線通信方式選択部
２３１０  選択信号
２４０１〜２４０４  時間間隔
【図１】
2016194310.tif 000003
【図２】
2016194310.tif 000004
【図３】
2016194310.tif 000005
【図４】
2016194310.tif 000006
【図５】
2016194310.tif 000007
【図６】
2016194310.tif 000008
【図７】
2016194310.tif 000009
【図８】
2016194310.tif 000010
【図９】
2016194310.tif 000011
【図１０】
2016194310.tif 000012
【図１１】
2016194310.tif 000013
【図１２】
2016194310.tif 000014
【図１３】
2016194310.tif 000015
【図１４】
2016194310.tif 000016
【図１５】
2016194310.tif 000017
【図１６】
2016194310.tif 000018
【図１７】
2016194310.tif 000019
【図１８】
2016194310.tif 000020
【図１９】
2016194310.tif 000021
【図２０】
2016194310.tif 000022
【図２１】
2016194310.tif 000023
【図２２】
2016194310.tif 000024
【図２３】
2016194310.tif 000025
【図２４】
2016194310.tif 000026
【国際調査報告】
2016194310.tif 000027
2016194310.tif 000028
2016194310.tif 000029
2016194310.tif 000030